(57)【要約】  従来の消光剤は、蛍光性を有する化合物の蛍光発光を十分に抑制し得るほどの消光能を有していない。そこで、本発明は、キサンテン系染料をはじめとする蛍光性を有する化合物に対し、その蛍光を十分に消光し得る消光剤の提供を課題とする。  本発明は、下記一般式（１）で示される化合物からなる消光剤等に関する。2017222006.tif 000158（式中、ｎ１個のＲ５はそれぞれ独立して、重合性不飽和基を有する基、置換基を有するアミノ基等を表し、Ｒ６は、重合性不飽和基を有する基、ヒドロキシル基等を表し、Ａｎ-は、アニオンを表し、Ａｒ１は、特定の環構造を表し、＊及び＊＊は、特定の環構造との結合位置を表し、Ａｒ２は、ベンゼン環等を表し、Ａｒ２がベンゼン環の場合、ｎ１は０〜４の整数を表し、Ｒ３２及びＲ３３はそれぞれ独立して、アルキル基又はアリール基を表す。）
2017222006.tif 000002
【特許請求の範囲】
【請求項１】
下記一般式（１）で示される化合物からなる消光剤。
2017222006.tif 000128
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000129
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000130
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。｝
【請求項２】
一般式（１）で示される化合物が、下記一般式（１'）で示される化合物である、請求項１に記載の消光剤；
2017222006.tif 000131
（式中、Ｒ６１及びＲ６２はそれぞれ独立して、炭素数１〜１２のアルキル基、又は炭素数１〜６のアルキル基を有するもしくは無置換のフェニル基を表し、Ｒ６３及びＲ６４はそれぞれ独立して、炭素数１〜６のアルキル基、フェニル基又は炭素数７〜９のフェニルアルキル基を表し、Ｒ６５及びＲ６６はそれぞれ独立して、炭素数１〜６のアルキル基又はフェニル基を表し、Ｒ６及びＡｎ−は、上記と同じ。）。
【請求項３】
一般式（１）で示される化合物が、下記一般式（１'−１）で示される化合物である、請求項１に記載の消光剤；
2017222006.tif 000132
（式中、Ｒ６７及びＲ６８はそれぞれ独立して、炭素数１〜６のアルキル基、又は炭素数１〜３のアルキル基を有するもしくは無置換のフェニル基を表し、Ｒ６、Ｒ６３〜Ｒ６６及びＡｎ−は、上記と同じ。）。
【請求項４】
一般式（１）で示される化合物が、下記一般式（１'−２）で示される化合物である、請求項１に記載の消光剤；
2017222006.tif 000133
（式中、Ｒ６９〜Ｒ７４はそれぞれ独立して、炭素数１〜４のアルキル基を表し、Ｒ６及びＡｎ−は、上記と同じ。）。
【請求項５】
一般式（１）で示される化合物が、下記一般式（３−５）で示される化合物である、請求項１に記載の消光剤；
2017222006.tif 000134
（式中、Ｒ７は、水素原子又はメチル基を表し、Ａ２ａは、炭素数１〜２１のアルキレン基を表し、Ａｎ'−は、電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオンを表し、Ｒ６９〜Ｒ７４は、上記と同じ。）。
【請求項６】
下記一般式（３）で示される化合物。
2017222006.tif 000135
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000136
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000137
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。ただし、Ｒ２、Ｒ３、ｎ１個のＲ５、Ｒ６及びＲ３１のうち少なくとも１つは重合性不飽和基を有する基である。｝
【請求項７】
一般式（３）で示される化合物が、下記一般式（３−３）で示される化合物である、請求項６に記載の化合物；
2017222006.tif 000138
｛式中、Ｒ７は、水素原子又はメチル基を表し、Ｒ６１及びＲ６２はそれぞれ独立して、炭素数１〜１２のアルキル基、又は炭素数１〜６のアルキル基を有するもしくは無置換のフェニル基を表し、Ｒ６３及びＲ６４はそれぞれ独立して、炭素数１〜６のアルキル基、フェニル基又は炭素数７〜９のフェニルアルキル基を表し、Ｒ６５及びＲ６６はそれぞれ独立して、炭素数１〜６のアルキル基又はフェニル基を表し、Ａ１は、−Ｏ−又は下記一般式（２−１）で示される基を表し、Ａ２は、−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基；ヒドロキシ基を置換基として有する炭素数１〜２１のアルキレン基；又は炭素数１〜２１のアルキレン基を表し、Ａ３は、−ＮＲ１０−又は−Ｏ−を表し、Ｒ１０は水素原子又は炭素数１〜１２のアルキル基を表し、Ａｎ'−は、電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオンを表す；
2017222006.tif 000139
［式中、Ｒ８は、水素原子、炭素数１〜１２のアルキル基又は下記一般式（２−４）で示される基を表し、Ｒ９は、水素原子又は炭素数１〜１２のアルキル基を表し、Ａ４は、窒素原子または下記式（２−２）で示される基を表し、ｎ２は０〜３の整数を表し、Ｒ８とＲ９は、これらと結合している−Ｎ−(ＣＨ２)ｎ２−(Ａ４)ｎ３−とで、５〜６員環の環状構造を形成してもよく、Ｒ８、Ｒ９及び−Ｎ−(ＣＨ２)ｎ２−(Ａ４)ｎ３−で５〜６員環の環状構造を形成している場合、ｎ３は１を表し、５〜６員環の環状構造を形成していない場合、ｎ３は０又は１を表す；
2017222006.tif 000140
（式中、Ｒ７、Ａ２及びＡ３は上記と同じ。）。］。｝。
【請求項８】
一般式（３）で示される化合物が、下記一般式（３−４）で示される化合物である、請求項６に記載の化合物；
2017222006.tif 000141
（式中、Ｒ６７及びＲ６８はそれぞれ独立して、炭素数１〜６のアルキル基、又は炭素数１〜３のアルキル基を有するもしくは無置換のフェニル基を表し、Ｒ７、Ｒ６３〜Ｒ６６、Ａ１〜Ａ３及びＡｎ'−は、上記と同じ。）
【請求項９】
一般式（３）で示される化合物が、下記一般式（３−５）で示される化合物である、請求項６に記載の化合物；
2017222006.tif 000142
（式中、Ｒ６９〜Ｒ７４はそれぞれ独立して、炭素数１〜４のアルキル基を表し、Ａ２ａは、炭素数１〜２１のアルキレン基を表し、Ｒ７及びＡｎ'−は、上記と同じ。）。
【請求項１０】
下記一般式（３）で示される化合物由来のモノマー単位を有するポリマー。
2017222006.tif 000143
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000144
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000145
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。
ただし、Ｒ２、Ｒ３、ｎ１個のＲ５、Ｒ６及びＲ３１のうち少なくとも１つは重合性不飽和基を有する基である。｝
【請求項１１】
一般式（３）で示される化合物が、下記一般式（３−３）で示される化合物である、請求項１０に記載のポリマー；
2017222006.tif 000146
｛式中、Ｒ７は、水素原子又はメチル基を表し、Ｒ６１及びＲ６２はそれぞれ独立して、炭素数１〜１２のアルキル基、又は炭素数１〜６のアルキル基を有するもしくは無置換のフェニル基を表し、Ｒ６３及びＲ６４はそれぞれ独立して、炭素数１〜６のアルキル基、フェニル基又は炭素数７〜９のフェニルアルキル基を表し、Ｒ６５及びＲ６６はそれぞれ独立して、炭素数１〜６のアルキル基又はフェニル基を表し、Ａ１は、−Ｏ−又は下記一般式（２−１）で示される基を表し、Ａ２は、−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基；ヒドロキシ基を置換基として有する炭素数１〜２１のアルキレン基；又は炭素数１〜２１のアルキレン基を表し、Ａ３は、−ＮＲ１０−又は−Ｏ−を表し、Ｒ１０は水素原子又は炭素数１〜１２のアルキル基を表し、Ａｎ'−は、電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオンを表す；
2017222006.tif 000147
［式中、Ｒ８は、水素原子、炭素数１〜１２のアルキル基又は下記一般式（２−４）で示される基を表し、Ｒ９は、水素原子又は炭素数１〜１２のアルキル基を表し、Ａ４は、窒素原子または下記式（２−２）で示される基を表し、ｎ２は０〜３の整数を表し、Ｒ８とＲ９は、これらと結合している−Ｎ−(ＣＨ２)ｎ２−(Ａ４)ｎ３−とで、５〜６員環の環状構造を形成してもよく、Ｒ８、Ｒ９及び−Ｎ−(ＣＨ２)ｎ２−(Ａ４)ｎ３−で５〜６員環の環状構造を形成している場合、ｎ３は１を表し、５〜６員環の環状構造を形成していない場合、ｎ３は０又は１を表す；
2017222006.tif 000148
（式中、Ｒ７、Ａ２及びＡ３は上記と同じ。）。］。｝。
【請求項１２】
一般式（３）で示される化合物が、下記一般式（３−４）で示される化合物である、請求項１０に記載のポリマー；
2017222006.tif 000149
（式中、Ｒ６７及びＲ６８はそれぞれ独立して、炭素数１〜６のアルキル基、又は炭素数１〜３のアルキル基を有するもしくは無置換のフェニル基を表し、Ｒ７、Ｒ６３〜Ｒ６６、Ａ１〜Ａ３及びＡｎ'−は、上記と同じ。）
【請求項１３】
一般式（３）で示される化合物が、下記一般式（３−５）で示される化合物である、請求項１０に記載のポリマー；
2017222006.tif 000150
（式中、Ｒ６９〜Ｒ７４はそれぞれ独立して、炭素数１〜４のアルキル基を表し、Ａ２ａは、炭素数１〜２１のアルキレン基を表し、Ｒ７及びＡｎ'−は、上記と同じ。）。
【請求項１４】
ポリマーがコポリマーである、請求項１０〜１３に記載のポリマー。
【請求項１５】
コポリマーが、重合性不飽和基を有する蛍光性染料由来のモノマー単位及び／又は下記一般式（４）、一般式（５）、一般式（６）もしくは一般式（７）で示される化合物由来のモノマー単位１〜２種と、上記一般式（３）で示される化合物由来のモノマー単位とを構成成分とするものである、請求項１４に記載のポリマー；
2017222006.tif 000151
［式中、Ｒ１１は、水素原子又はメチル基を表し、Ｒ１２は、水素原子、炭素数１〜２０のアルキル基、炭素数１〜１０のヒドロキシアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素原子を有する炭素数６〜１２の脂環式炭化水素基、炭素数３〜９のジアルキルアミノアルキル基、炭素数１〜１８のフルオロアルキル基、炭素数９〜１４のＮ−アルキレンフタルイミド基、下記一般式（４−１）で示される基
2017222006.tif 000152
（式中、ｑ個のＲ２１はそれぞれ独立して、ヒドロキシ基を置換基として有する又は無置換の炭素数１〜３のアルキレン基を表し、Ｒ２２は、ヒドロキシ基を置換基として有する又は無置換のフェニル基、或いは炭素数１〜３のアルキル基を表し、ｑは１〜３の整数を表す。）、下記一般式（４−２）で示される基
2017222006.tif 000153
（式中、Ｒ２３〜Ｒ２５はそれぞれ独立して、炭素数１〜３のアルキル基を表し、Ｒ２６は炭素数１〜３のアルキレン基を表す。）、又は、下記一般式（４−３）で示される基
2017222006.tif 000154
（式中、Ｒ２７はフェニレン基又はシクロへキシレン基を表し、ｌは、１〜６の整数を表す。）を表す。］、
2017222006.tif 000155
（式中、Ｒ１３は、水素原子又は炭素数１〜３のアルキル基を表し、Ｒ１４は、水素原子、炭素数１〜３のアルキル基、炭素数３〜９のジアルキルアミノアルキル基又は炭素数１〜１０のヒドロキシアルキル基を表し、Ｒ１１は上記と同じ。Ｒ１３とＲ１４は、これらと隣接する窒素原子とでモルホリノ基を形成してもよい。）、
2017222006.tif 000156
（式中、Ｒ１５は、フェニル基又はピロリジノ基を表し、Ｒ１１は上記と同じ。）、
2017222006.tif 000157
（式中、Ｒ１７は、窒素原子又は酸素原子を表し、Ｒ１６は、水素原子、炭素数１〜２０のアルキル基、炭素数１〜１０のヒドロキシアルキル基、炭素数１〜１０のハロゲン化アルキル基、炭素数６〜１０のアリール基、又は、ハロゲノ基もしくは炭素数１〜６のアルキル基を置換基として有する炭素数６〜１０のアリール基表し、ｊは、Ｒ１７が酸素原子の場合に０を表し、Ｒ１７が窒素原子の場合には１を表す。）。
【発明の詳細な説明】
【技術分野】
【０００１】
本発明は、カラー液晶表示装置やカラー撮像管素子におけるカラーフィルター等に用いられる消光剤、該消光剤等として用いられる化合物、及び該化合物由来のモノマー単位を有するポリマーに関する。
【背景技術】
【０００２】
一般的にカラーフィルターは、ガラス等の透明な基板の表面に形成された各色のフィルター層からなる微細な帯（ストライプ）状のフィルタセグメント（画素）を、平行又は交差して配置したもの、あるいは微細なフィルタセグメントを縦横一定の配列で配置したものからなっている。カラーフィルターの上には透明電極や配向膜が形成され、これらの性能を十分に得るためには、形成工程を一般的に１５０℃以上、好ましくは２００℃以上の高温で行う必要がある。【０００３】
カラーフィルターに要求される品質項目としては、明度とコントラスト比が挙げられる。コントラスト比の低いカラーフィルターは、ぼやけた画面の原因となるため、高コントラスト化が必要とされている。また、明度が低いカラーフィルターは、光の透過率が低く、暗い画面となってしまうため、カラーフィルターの高明度化が求められている。【０００４】
そこで、明度とコントラスト比の問題を解決するものとして、ローダミン系色素等のキサンテン骨格を有する染料や該キサンテン系染料を用いたカラーフィルターが種々報告されている。例えば、特開２０１１−２４１３７２号公報では、カラーフィルター用インキ等に好適に用いられるローダミン染料が報告されている。また、特開２０１０−２４９８７０号公報では、キサンテン系染料を含むカラーフィルター用着色組成物等が、国際公開第２０１４／１２６１６７号では、特定のアニオンを有するカチオン性ローダミン誘導体を含む着色組成物等が報告されている。
【先行技術文献】
【特許文献】
【０００５】
【特許文献１】特開２０１１−２４１３７２号公報
【特許文献２】特開２０１０−２４９８７０号公報
【特許文献３】国際公開第２０１４／１２６１６７号
【発明の概要】
【発明が解決しようとする課題】
【０００６】
しかし、上述したキサンテン系染料は蛍光発光を示すため、コントラスト比が低くなるという問題を有している。そこで、従来の消光剤を検討したが、キサンテン系染料の蛍光発光を十分に抑制し得るほどの消光能を有する消光剤はなかった。そのため、本発明は、キサンテン系染料をはじめとする蛍光性を有する化合物に対し、その蛍光を十分に消光し得る消光剤の提供を課題とする。
【課題を解決するための手段】
【０００７】
上記状況に鑑み、本発明者らは、鋭意研究の結果、特定の構造を有する化合物が、例えばキサンテン系染料等の種々の蛍光性を有する化合物に対し、消光剤として有用であることを見出した。【０００８】
また、特定のアニオンをカウンターアニオンとして有し、且つ重合性不飽和基を有する化合物、或いは該化合物由来のモノマー単位を有するポリマーを用いることにより、蛍光性を有する化合物に対する消光効果に加えて、高い耐熱性、耐溶出性及び耐候性を有することを見出し、本発明を完成するに至った。【０００９】
即ち、本発明は、「下記一般式（１）で示される化合物からなる消光剤（以下、本発明の消光剤と略記する場合がある）
2017222006.tif 000003
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000004
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000005
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。｝」、
「下記一般式（３）で示される化合物（以下、本発明の化合物と略記する場合がある）
2017222006.tif 000006
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000007
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000008
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。ただし、Ｒ２、Ｒ３、ｎ１個のＲ５、Ｒ６及びＲ３１のうち少なくとも１つは重合性不飽和基を有する基である。｝」及び
「上記一般式（３）で示される化合物由来のモノマー単位を有するポリマー（以下、本発明のポリマーと略記する場合がある）」
に関する。
【発明の効果】
【００１０】
本発明の消光剤を用いると、従来の消光剤では消光できなかった、例えばキサンテン系染料等が発する蛍光に対して、十分な消光効果を奏する。即ち、本発明の消光剤を含有するカラーフィルターは、キサンテン系染料等の種々の蛍光性を有する化合物が発する蛍光が抑制され、高コントラスト比を有するという効果を奏する。【００１１】
また、上記本発明の化合物又は本発明のポリマーは、上記消光効果に加え、１５０〜２５０℃で加熱した場合であっても加熱による退色が少なく、高い耐熱効果を奏する。即ち、上記本発明の化合物又は本発明のポリマーを含有する着色組成物は、高コントラスト比を有しているばかりでなく、従来の着色組成物と同等又はそれ以上の耐熱性を有しているという効果を奏するので、優れた着色硬化膜を形成することができる。そのため、本発明の化合物又は本発明のポリマーを含有する着色組成物は、液晶表示装置（ＬＣＤ）や固体撮像素子（ＣＣＤ、ＣＭＯＳ等）に用いられるカラーフィルター等の着色画素形成用途、印刷インキ、インクジェットインキ、および塗料等の用途に用いることができ、特に、液晶表示装置のカラーフィルター用として好適である。さらに、本発明の化合物又は本発明のポリマーを含有する着色組成物は、従来公知の成形方法により、シート、フィルム、ボトル、カップ等に成形して着色樹脂成形物として使用することもできる。よって、メガネ、カラーコンタクトレンズ等の用途にも使用することができ、公知の樹脂との多層構造体とすることによっても同様の用途に使用することができる。その他にも、例えば光学フィルム、ヘアカラーリング剤、化合物や生体物質に対する標識物質、有機太陽電池の材料等の用途にも用いることが可能である。
【発明を実施するための形態】
【００１２】
以下の記載において、Meはメチル基を、Etはエチル基を、Prはプロピル基を、Buはブチル基を、n-はnormal-体を、それぞれ表す。
【００１３】
［本発明の消光剤］
本発明の消光剤は、一般式（１）で示される化合物からなるものである。
【００１４】
2017222006.tif 000009
｛式中、ｎ１個のＲ５はそれぞれ独立して、重合性不飽和基を有する基、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ６は、重合性不飽和基を有する基、ヒドロキシ基、炭素数１〜２０のアルコキシ基、置換基を有するもしくは無置換のアミノ基又は複素環式アミノ基を表し、Ａｎ−は、アニオンを表し、Ａｒ１は、下記一般式（１−１）〜（１−７）で示される環構造を表し、＊及び＊＊は、一般式（１−１）〜（１−７）で示される環構造との結合位置を表し；
2017222006.tif 000010
（式中、Ｒ１及びＲ４は、水素原子を表し、Ｒ２及びＲ３はそれぞれ独立して、重合性不飽和基を有する基、炭素数１〜２０のアルキル基又は置換基を有するもしくは無置換の炭素数６〜１４のアリール基を表し、＊及び＊＊は、一般式（１）における＊及び＊＊と同じ位置を表し、Ｒ１とＲ２とで炭素数２〜４のアルキレン基を形成していてもよく、Ｒ３とＲ４とで炭素数２〜４のアルキレン基を形成していてもよい。）、
2017222006.tif 000011
（式中、Ｒ３１は、重合性不飽和基を有する基又は炭素数１〜２０のアルキル基を表し、＊及び＊＊は、一般式（１）における＊及び＊＊と同じ位置を表す。）、
Ａｒ２は、ベンゼン環、ナフタレン環又はアントラセン環を表し、Ａｒ２がベンゼン環の場合、ｎ１は０〜４の整数を表し、Ａｒ２がナフタレン環の場合、ｎ１は０〜６の整数を表し、Ａｒ２がアントラセン環の場合、ｎ１は０〜８の整数を表し、Ｒ３２及びＲ３３はそれぞれ独立して、炭素数１〜６のアルキル基又は炭素数６〜１４のアリール基を表す。｝
【００１５】
［重合性不飽和基を有する基］
Ｒ２、Ｒ３、Ｒ５、Ｒ６及びＲ３１における重合性不飽和基を有する基としては、官能基末端に重合性不飽和基を有するものであればよく、当該重合性不飽和基としては、例えば、アクリロイル基、メタクリロイル基、ビニルアリール基、ビニルオキシ基、アリル基等が挙げられ、中でもアクリロイル基、メタクリロイル基が好ましく、メタクリロイル基がより好ましい。
【００１６】
Ｒ５及びＲ６における重合性不飽和基を有する基の中でも好ましい具体例としては、下記一般式（２）で示される基が挙げられる。
【００１７】
2017222006.tif 000012
｛式中、Ｒ７は、水素原子又はメチル基を表し、Ａ１は、−Ｏ−又は下記一般式（２−１）で示される基を表し、Ａ２は、−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基；−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基；ヒドロキシ基を置換基として有する炭素数１〜２１のアルキレン基；又は炭素数１〜２１のアルキレン基を表し、Ａ３は、−ＮＲ１０−又は−Ｏ−を表し、Ｒ１０は水素原子又は炭素数１〜１２のアルキル基を表す；
2017222006.tif 000013
［式中、Ｒ８は、水素原子、炭素数１〜１２のアルキル基又は下記一般式（２−４）で示される基を表し、Ｒ９は、水素原子又は炭素数１〜１２のアルキル基を表し、Ａ４は、窒素原子または下記式（２−２）で示される基を表し、ｎ２は０〜３の整数を表し、Ｒ８とＲ９は、これらと結合している−Ｎ−(ＣＨ２)ｎ２−(Ａ４)ｎ３−とで、５〜６員環の環状構造を形成してもよく、Ｒ８、Ｒ９及び−Ｎ−(ＣＨ２)ｎ２−(Ａ４)ｎ３−で５〜６員環の環状構造を形成している場合、ｎ３は１を表し、５〜６員環の環状構造を形成していない場合、ｎ３は０又は１を表す；
2017222006.tif 000014
（式中、Ｒ７、Ａ２及びＡ３は上記と同じ。）。］。｝
【００１８】
一般式（２）及び（２−４）のＲ７としては、メチル基が好ましい。
【００１９】
Ｒ５が一般式（２）で示される基である場合、一般式（２）のＡ１としては、一般式（２−１）で示される基が好ましい。Ｒ６が一般式（２）で示される基である場合、一般式（２）のＡ１としては、−Ｏ−が好ましい。
【００２０】
一般式（２）及び（２−４）のＡ２における、「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基」、「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基」、「ヒドロキシ基を置換基として有する炭素数１〜２１のアルキレン基」及び「炭素数１〜２１のアルキレン基」における、炭素数１〜２１のアルキレン基としては、直鎖状、分枝状及び環状のうちいずれであってもよく、直鎖状のものが好ましい。また、炭素数１〜２１のアルキレン基の中でも、炭素数１〜１２が好ましく、炭素数１〜６がより好ましく、炭素数１〜３がさらに好ましい。具体的には例えば、メチレン基、エチレン基、トリメチレン基、プロピレン基、テトラメチレン基、1-メチルトリメチレン基、2-メチルトリメチレン基、1,2-ジメチルエチレン基、1,1-ジメチルエチレン基、エチルエチレン基、ペンタメチレン基、1-メチルテトラメチレン基、2-メチルテトラメチレン基、1,2-ジメチルトリメチレン基、1-エチルトリメチレン基、ヘキサメチレン基、メチルペンタメチレン基、n-へプチレン基、n-オクチレン基、n-ノニレン基、n-デシレン基、n-ウンデシレン基、n-ドデシレン基、n-トリデシレン基、n-テトラデシレン基、n-ペンタデシレン基、n-ヘキサデシレン基、n-ヘプタデシレン基、n-オクタデシレン基、n-ノナデシレン基、n-イコシレン基、n-ヘンイコシレン基、-C4H6-CH2-基、-C5H8-CH2-基、-C6H10-CH2-基、-C6H10-C2H4-基、-C6H10-C3H6-基、-C7H12-CH2-基等が挙げられ、中でもメチレン基、エチレン基、トリメチレン基、テトラメチレン基、ペンタメチレン基、ヘキサメチレン基、-C6H10-CH2-基、-C6H10-C2H4-基、-C6H10-C3H6-基が好ましく、メチレン基、エチレン基、トリメチレン基、テトラメチレン基、ペンタメチレン基、ヘキサメチレン基がより好ましく、メチレン基、エチレン基、トリメチレン基がさらに好ましく、エチレン基が特に好ましい。
【００２１】
一般式（２）及び（２−４）のＡ２における、「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基」及び「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基」におけるアリーレン基としては、炭素数６〜１０のものが挙げられ、具体的には例えばフェニレン基、ナフチレン基等が挙げられる。
【００２２】
一般式（２）及び（２−４）のＡ２における「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基」としては、例えば下記一般式（２１−１）〜（２１−５）で示される基等が挙げられる。
【００２３】
−(Ｒ５１−Ｏ−)ｈ１−Ｒ５２−      （２１−１）
（式中、Ｒ５１及びＲ５２はそれぞれ独立して、直鎖状又は分枝状の炭素数１〜４のアルキレン基を表し、ｈ１は、１〜９の整数を表す。ただし、式中の炭素数の総数は、２〜２１である。）
【００２４】
−(ＣＨ２)ｈ２−ＯＣＯ−(ＣＨ２)ｈ３−      （２１−２）
（式中、ｈ２及びｈ３はそれぞれ独立して、１〜１０の整数を表す。）
【００２５】
−(ＣＨ２)ｈ４−ＯＣＯ−Ｒ５３−ＣＯＯ−(ＣＨ２)ｈ５−      （２１−３）
（式中、Ｒ５３は、フェニレン基又は炭素数１〜７のアルキレン基を表し、ｈ４及びｈ５はそれぞれ独立して、１〜３の整数を表す。）
【００２６】
−(ＣＨ２)ｈ６−Ａ５−(ＣＨ２)ｈ７−      （２１−４）
（式中、Ａ５は、−ＮＨＣＯ−、−ＣＯＮＨ−又は−ＮＨＣＯＮＨ−を表し、ｈ６及びｈ７はそれぞれ独立して、1〜１０の整数を表す。）
【００２７】
−(ＣＨ２)ｈ８−Ｏ−ＣＯＮＨ−(ＣＨ２)ｈ９−      （２１−５）
（式中、ｈ８及びｈ９はそれぞれ独立して、１〜１０の整数を表す。）
【００２８】
一般式（２１−１）のＲ５１及びＲ５２における直鎖状又は分枝状の炭素数１〜４のアルキレン基としては、具体的には例えば、メチレン基、エチレン基、トリメチレン基、プロピレン基、テトラメチレン基、1-メチルトリメチレン基、2-メチルトリメチレン基、1,2-ジメチルエチレン基、1,1-ジメチルエチレン基、エチルエチレン基等が挙げられ、中でもエチレン基、プロピレン基が好ましい。
【００２９】
一般式（２１−２）のｈ２としては、１〜３の整数が好ましく、２がより好ましい。
【００３０】
一般式（２１−２）のｈ３としては、２が好ましい。
【００３１】
一般式（２１−３）のＲ５３における炭素数１〜７のアルキレン基としては、具体的には例えば、メチレン基、エチレン基、トリメチレン基、テトラメチレン基、ペンタメチレン基、ヘキサメチレン基、n-へプチレン基、シクロブチレン基、シクロペンチレン基、シクロへキシレン基、シクロへプチレン基等が挙げられる。
【００３２】
一般式（２１−３）のｈ４及びｈ５としては、ｈ４とｈ５が同じ場合が好ましく、また、１〜３の整数が好ましく、２がより好ましい。
【００３３】
一般式（２１−４）におけるＡ５としては、−ＮＨＣＯＮＨ−が好ましい。
【００３４】
一般式（２１−４）のｈ６及びｈ７としては、ｈ６とｈ７が同じ場合が好ましく、また、２が好ましい。
【００３５】
一般式（２１−５）のｈ８及びｈ９としては、ｈ８とｈ９が同じ場合が好ましく、また、１〜４の整数が好ましい。
【００３６】
一般式（２１−１）で示される基としては、具体的には例えば、
-CH2CH2-O-CH2CH2-、-(CH2CH2-O)2-CH2CH2-、-(CH2CH2-O)3-CH2CH2-、
-(CH2CH2-O)4-CH2CH2-、-(CH2CH2-O)5-CH2CH2-、-(CH2CH2-O)6-CH2CH2-、
-(CH2CH2-O)7-CH2CH2-、-(CH2CH2-O)8-CH2CH2-、-(CH2CH2-O)9-CH2CH2-、
-CH2CH(CH3)-O-CH2CH(CH3)-、-(CH2CH(CH3)-O)2-CH2CH(CH3)-、
-(CH2CH(CH3)-O)3-CH2CH(CH3)-、-(CH2CH(CH3)-O)4-CH2CH(CH3)-、
-(CH2CH(CH3)-O)5-CH2CH(CH3)-、-(CH2CH(CH3)-O)6-CH2CH(CH3)-、
-CH(CH3)CH2-O-CH(CH3)CH2-、-(CH(CH3)CH2-O)2-CH(CH3)CH2-、
-(CH(CH3)CH2-O)3-CH(CH3)CH2-、-(CH(CH3)CH2-O)4-CH(CH3)CH2-、
-(CH(CH3)CH2-O)5-CH(CH3)CH2-、-(CH(CH3)CH2-O)6-CH(CH3)CH2-、
-CH(CH3)CH2-O-CH2CH(CH3)-  等が挙げられる。
【００３７】
一般式（２１−２）で示される基としては、具体的には例えば、
-CH2-O-CO-(CH2)2-、-(CH2)2-O-CO-(CH2)2-、-(CH2)3-O-CO-(CH2)2-
等が挙げられる。
【００３８】
一般式（２１−３）で示される基としては、具体的には例えば、
-CH2-O-CO-CH2-CO-O-CH2-、-CH2-O-CO-(CH2)2-CO-O-CH2-、
-CH2-O-CO-(CH2)3-CO-O-CH2-、-CH2-O-CO-(CH2)4-CO-O-CH2-、
-CH2-O-CO-(CH2)5-CO-O-CH2-、-CH2-O-CO-(CH2)6-CO-O-CH2-、
-CH2-O-CO-(CH2)7-CO-O-CH2-、-(CH2)2-O-CO-CH2-CO-O-(CH2)2-、
-(CH2)2-O-CO-(CH2)2-CO-O-(CH2)2-、-(CH2)2-O-CO-(CH2)3-CO-O-(CH2)2-、
-(CH2)2-O-CO-(CH2)4-CO-O-(CH2)2-、-(CH2)2-O-CO-(CH2)5-CO-O-(CH2)2-、
-(CH2)2-O-CO-(CH2)6-CO-O-(CH2)2-、-(CH2)2-O-CO-(CH2)7-CO-O-(CH2)2-、
-(CH2)3-O-CO-CH2-CO-O-(CH2)3-、-(CH2)3-O-CO-(CH2)2-CO-O-(CH2)3-、
-(CH2)3-O-CO-(CH2)3-CO-O-(CH2)3-、-(CH2)3-O-CO-(CH2)4-CO-O-(CH2)3-、
-(CH2)3-O-CO-(CH2)5-CO-O-(CH2)3-、-(CH2)3-O-CO-(CH2)6-CO-O-(CH2)3-、
-(CH2)3-O-CO-(CH2)7-CO-O-(CH2)3-、-CH2-O-CO-C6H4-CO-O-CH2-、
-(CH2)2-O-CO-C6H4-CO-O-(CH2)2-、-(CH2)3-O-CO-C6H4-CO-O-(CH2)3-、
-CH2-O-CO-C6H10-CO-O-CH2-、-(CH2)2-O-CO-C6H10-CO-O-(CH2)2-、
-(CH2)3-O-CO-C6H10-CO-O-(CH2)3-  等が挙げられ、中でも
-CH2-O-CO-CH2-CO-O-CH2-、-CH2-O-CO-(CH2)2-CO-O-CH2-、
-CH2-O-CO-(CH2)3-CO-O-CH2-、-CH2-O-CO-(CH2)4-CO-O-CH2-、
-CH2-O-CO-(CH2)5-CO-O-CH2-、-CH2-O-CO-(CH2)6-CO-O-CH2-、
-CH2-O-CO-(CH2)7-CO-O-CH2-、-(CH2)2-O-CO-CH2-CO-O-(CH2)2-、
-(CH2)2-O-CO-(CH2)2-CO-O-(CH2)2-、-(CH2)2-O-CO-(CH2)3-CO-O-(CH2)2-、
-(CH2)2-O-CO-(CH2)4-CO-O-(CH2)2-、-(CH2)2-O-CO-(CH2)5-CO-O-(CH2)2-、
-(CH2)2-O-CO-(CH2)6-CO-O-(CH2)2-、-(CH2)2-O-CO-(CH2)7-CO-O-(CH2)2-、
-(CH2)3-O-CO-CH2-CO-O-(CH2)3-、-(CH2)3-O-CO-(CH2)2-CO-O-(CH2)3-、
-(CH2)3-O-CO-(CH2)3-CO-O-(CH2)3-、-(CH2)3-O-CO-(CH2)4-CO-O-(CH2)3-、
-(CH2)3-O-CO-(CH2)5-CO-O-(CH2)3-、-(CH2)3-O-CO-(CH2)6-CO-O-(CH2)3-、
-(CH2)3-O-CO-(CH2)7-CO-O-(CH2)3-  が好ましく、
-(CH2)2-O-CO-CH2-CO-O-(CH2)2-、-(CH2)2-O-CO-(CH2)2-CO-O-(CH2)2-、
-(CH2)2-O-CO-(CH2)3-CO-O-(CH2)2-、-(CH2)2-O-CO-(CH2)4-CO-O-(CH2)2-、
-(CH2)2-O-CO-(CH2)5-CO-O-(CH2)2-、-(CH2)2-O-CO-(CH2)6-CO-O-(CH2)2-、
-(CH2)2-O-CO-(CH2)7-CO-O-(CH2)2-  がより好ましく、
-(CH2)2-O-CO-(CH2)2-CO-O-(CH2)2-  が特に好ましい。
【００３９】
一般式（２１−４）で示される基としては、具体的には例えば、
-CH2-NHCO-CH2-、-(CH2)2-NHCO-(CH2)2-、-(CH2)3-NHCO-(CH2)3-、
-(CH2)4-NHCO-(CH2)4-、-CH2-CONH-CH2-、-(CH2)2-CONH-(CH2)2-、
-(CH2)3-CONH-(CH2)3-、-(CH2)4-CONH-(CH2)4-、-CH2-NHCONH-CH2-、
-(CH2)2-NHCONH-(CH2)2-、-(CH2)3-NHCONH-(CH2)3-、-(CH2)4-NHCONH-(CH2)4-、
-(CH2)5-NHCONH-(CH2)5-、-(CH2)6-NHCONH-(CH2)6-、-(CH2)7-NHCONH-(CH2)7-、
-(CH2)8-NHCONH-(CH2)8-、-(CH2)9-NHCONH-(CH2)9-、-(CH2)10-NHCONH-(CH2)10-
等が挙げられ、中でも
-CH2-NHCONH-CH2-、-(CH2)2-NHCONH-(CH2)2-、-(CH2)3-NHCONH-(CH2)3-、
-(CH2)4-NHCONH-(CH2)4-、-(CH2)5-NHCONH-(CH2)5-、-(CH2)6-NHCONH-(CH2)6-、
-(CH2)7-NHCONH-(CH2)7-、-(CH2)8-NHCONH-(CH2)8-、-(CH2)9-NHCONH-(CH2)9-、
-(CH2)10-NHCONH-(CH2)10-  が好ましく、
-(CH2)2-NHCONH-(CH2)2-  がより好ましい。
【００４０】
一般式（２１−５）で示される基としては、具体的には例えば、
-CH2-O-CONH-CH2-、-(CH2)2-O-CONH-(CH2)2-、
-(CH2)3-O-CONH-(CH2)3-、-(CH2)4-O-CONH-(CH2)4-  等が挙げられる。
【００４１】
一般式（２）及び（２−４）のＡ２における、「−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有し、且つ、ヒドロキシ基を置換基として有する炭素数１〜２１のアルキレン基」としては、例えば下記一般式（２２−１）〜（２２−２）で示される基等が挙げられる。
【００４２】
−Ｒ５４−(ＣＨ２)ｈ１０−      （２２−１）
（式中、Ｒ５４は、ヒドロキシ基を置換基として有する炭素数６〜１０のアリーレン基を表し、ｈ１０は、１〜４の整数を表す。）
【００４３】
−Ｒ５５−Ａ６−(ＣＨ２)ｈ１１−      （２２−２）
（式中、Ｒ５５は、ヒドロキシ基を置換基として有する炭素数１〜７のアルキレン基又はヒドロキシ基を置換基として有する炭素数６〜１０のアリーレン基を表し、Ａ６は、−Ｏ−、−ＯＣＯ−、−ＣＯＯ−、−ＮＨＣＯ−、−ＣＯＮＨ−又は−ＮＨＣＯＮＨ−を表し、ｈ１１は、２〜４の整数を表す。）
【００４４】
一般式（２２−１）のＲ５４におけるヒドロキシ基を置換基として有する炭素数６〜１０のアリーレン基としては、ヒドロキシフェニレン基、ジヒドロキシフェニレン基、ヒドロキシナフチレン基、ジヒドロキシナフチレン基等が挙げられる。
【００４５】
一般式（２２−２）のＲ５５におけるヒドロキシ基を置換基として有する炭素数１〜７のアルキレン基としては、ヒドロキシメチレン基、ヒドロキシエチレン基、ヒドロキシトリメチレン基、ヒドロキシテトラメチレン基、ヒドロキシペンタメチレン基、ヒドロキシヘキサメチレン基、ヒドロキシへプチレン基、ヒドロキシシクロブチレン基、ヒドロキシシクロペンチレン基、ヒドロキシシクロへキシレン基、ヒドロキシシクロへプチレン基等が挙げられる。
【００４６】
一般式（２２−２）のＲ５５におけるヒドロキシ基を置換基として有する炭素数６〜１０のアリーレン基としては、一般式（２２−１）のＲ５４におけるヒドロキシ基を置換基として有する炭素数６〜１０のアリーレン基と同じものが挙げられる。
【００４７】
一般式（２２−１）で示される基の好ましい具体例としては、例えば
-C6H3(OH)-CH2-、-C6H3(OH)-(CH2)2-、-C6H3(OH)-(CH2)3-、-C6H3(OH)-(CH2)4-、
-C6H2(OH)2-CH2-、-C6H2(OH)2-(CH2)2-、-C6H2(OH)2-(CH2)3-、-C6H2(OH)2-(CH2)4-
等が挙げられる。
【００４８】
一般式（２２−２）で示される基の好ましい具体例としては、例えば
-CH(OH)-CH2-O-(CH2)2-、-CH(OH)-CH2-O-(CH2)3-、-CH(OH)-CH2-O-(CH2)4-、
-CH(OH)-CH2-OCO-(CH2)2-、-CH(OH)-CH2-OCO-(CH2)3-、
-CH(OH)-CH2-OCO-(CH2)4-、-CH(OH)-CH2-COO-(CH2)2-、
-CH(OH)-CH2-COO-(CH2)3-、-CH(OH)-CH2-COO-(CH2)4-、
-CH(OH)-CH2-NHCO-(CH2)2-、-CH(OH)-CH2-NHCO-(CH2)3-、
-CH(OH)-CH2-NHCO-(CH2)4-、-CH(OH)-CH2-CONH-(CH2)2-、
-CH(OH)-CH2-CONH-(CH2)3-、-CH(OH)-CH2-CONH-(CH2)4-、
-CH(OH)-CH2-NHCONH-(CH2)2-、-CH(OH)-CH2-NHCONH-(CH2)3-、
-CH(OH)-CH2-NHCONH-(CH2)4-  等が挙げられる。
【００４９】
一般式（２）及び（２−４）のＡ２における「ヒドロキシ基を置換基として有する炭素数１〜２１のアルキレン基」としては、例えば下記一般式（２３−１）で示される基等が挙げられる。
−Ｒ５６−(ＣＨ２)ｈ１２−      （２３−１）
（式中、Ｒ５６は、ヒドロキシ基を置換基として有する炭素数１〜７のアルキレン基を表し、ｈ１２は、１〜４の整数を表す。）
【００５０】
一般式（２３−１）のＲ５６におけるヒドロキシ基を置換基として有する炭素数１〜７のアルキレン基としては、一般式（２２−２）のＲ５５におけるヒドロキシ基を置換基として有する炭素数１〜７のアルキレン基と同じものが挙げられる。
【００５１】
一般式（２３−１）で示される基としては、具体的には例えば、
-C6H9(OH)-CH2-、-C6H9(OH)-(CH2)2-、-C6H9(OH)-(CH2)3-、-C6H9(OH)-(CH2)4-、
-CH(OH)-CH2-、-CH(OH)-(CH2)2-、-CH(OH)-(CH2)3-、-CH(OH)-(CH2)4-
等が挙げられる。
【００５２】
一般式（２）におけるＡ１が−Ｏ−である場合、一般式（２）におけるＡ２としては、炭素数１〜２１のアルキレン基が好ましい。中でも、メチレン基、エチレン基、トリメチレン基、テトラメチレン基、ペンタメチレン基、ヘキサメチレン基が好ましく、メチレン基、エチレン基、トリメチレン基がより好ましく、エチレン基が特に好ましい。
【００５３】
一般式（２）におけるＡ１が一般式（２−１）で示される基である場合、一般式（２）におけるＡ２としては、炭素数１〜２１のアルキレン基、並びに、−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基が好ましい。中でも、炭素数１〜１２のアルキレン基、並びに、上記一般式（２１−３）及び（２１−４）で示される基が好ましく、より具体的には、メチレン基、エチレン基、トリメチレン基、テトラメチレン基、ペンタメチレン基、ヘキサメチレン基、
-CH2-O-CO-CH2-CO-O-CH2-、-CH2-O-CO-(CH2)2-CO-O-CH2-、
-CH2-O-CO-(CH2)3-CO-O-CH2-、-CH2-O-CO-(CH2)4-CO-O-CH2-、
-CH2-O-CO-(CH2)5-CO-O-CH2-、-CH2-O-CO-(CH2)6-CO-O-CH2-、
-CH2-O-CO-(CH2)7-CO-O-CH2-、-(CH2)2-O-CO-CH2-CO-O-(CH2)2-、
-(CH2)2-O-CO-(CH2)2-CO-O-(CH2)2-、-(CH2)2-O-CO-(CH2)3-CO-O-(CH2)2-、
-(CH2)2-O-CO-(CH2)4-CO-O-(CH2)2-、-(CH2)2-O-CO-(CH2)5-CO-O-(CH2)2-、
-(CH2)2-O-CO-(CH2)6-CO-O-(CH2)2-、-(CH2)2-O-CO-(CH2)7-CO-O-(CH2)2-、
-(CH2)3-O-CO-CH2-CO-O-(CH2)3-、-(CH2)3-O-CO-(CH2)2-CO-O-(CH2)3-、
-(CH2)3-O-CO-(CH2)3-CO-O-(CH2)3-、-(CH2)3-O-CO-(CH2)4-CO-O-(CH2)3-、
-(CH2)3-O-CO-(CH2)5-CO-O-(CH2)3-、-(CH2)3-O-CO-(CH2)6-CO-O-(CH2)3-、
-(CH2)3-O-CO-(CH2)7-CO-O-(CH2)3-、
-CH2-NHCONH-CH2-、-(CH2)2-NHCONH-(CH2)2-、-(CH2)3-NHCONH-(CH2)3-、
-(CH2)4-NHCONH-(CH2)4-、-(CH2)5-NHCONH-(CH2)5-、-(CH2)6-NHCONH-(CH2)6-、
-(CH2)7-NHCONH-(CH2)7-、-(CH2)8-NHCONH-(CH2)8-、-(CH2)9-NHCONH-(CH2)9-、
-(CH2)10-NHCONH-(CH2)10-  が好ましく、
メチレン基、エチレン基、トリメチレン基、
-(CH2)2-O-CO-CH2-CO-O-(CH2)2-、-(CH2)2-O-CO-(CH2)2-CO-O-(CH2)2-、
-(CH2)2-O-CO-(CH2)3-CO-O-(CH2)2-、-(CH2)2-O-CO-(CH2)4-CO-O-(CH2)2-、
-(CH2)2-O-CO-(CH2)5-CO-O-(CH2)2-、-(CH2)2-O-CO-(CH2)6-CO-O-(CH2)2-、
-(CH2)2-O-CO-(CH2)7-CO-O-(CH2)2-、
-CH2-NHCONH-CH2-、-(CH2)2-NHCONH-(CH2)2-、-(CH2)3-NHCONH-(CH2)3-、
-(CH2)4-NHCONH-(CH2)4-、-(CH2)5-NHCONH-(CH2)5-、-(CH2)6-NHCONH-(CH2)6-、
-(CH2)7-NHCONH-(CH2)7-、-(CH2)8-NHCONH-(CH2)8-、-(CH2)9-NHCONH-(CH2)9-、
-(CH2)10-NHCONH-(CH2)10-  がより好ましく、
エチレン基、
-(CH2)2-O-CO-(CH2)2-CO-O-(CH2)2-、-(CH2)2-NHCONH-(CH2)2-  が特に好ましい。
【００５４】
一般式（２）及び（２−４）のＡ３中のＲ１０における炭素数１〜１２のアルキル基としては、直鎖状、分枝状及び環状のうちいずれであってもよく、なかでも、直鎖状及び分枝状が好ましい。また、炭素数１〜１２のアルキル基の中でも、炭素数１〜６のものが好ましく、炭素数１〜４のものがより好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基、n-ヘプチル基、イソヘプチル基、sec-ヘプチル基、tert-ヘプチル基、ネオヘプチル基、シクロヘプチル基、n-オクチル基、イソオクチル基、sec-オクチル基、tert-オクチル基、ネオオクチル基、2-エチルヘキシル基、シクロオクチル基、n-ノニル基、イソノニル基、sec-ノニル基、tert-ノニル基、ネオノニル基、シクロノニル基、n-デシル基、イソデシル基、sec-デシル基、tert-デシル基、ネオデシル基、シクロデシル基、n-ウンデシル基、シクロウンデシル基、n-ドデシル基、シクロドデシル基、シクロヘキシルメチル基、1-シクロヘキシルエチル基、2-メチルシクロへキシル基、3-メチルシクロへキシル基、4-メチルシクロへキシル基、2,6-ジメチルシクロへキシル基、2,4-ジメチルシクロへキシル基、3,5-ジメチルシクロへキシル基、2,5-ジメチルシクロへキシル基、2,3-ジメチルシクロへキシル基、3,3,5-トリメチルシクロへキシル基、4-tert-ブチルシクロへキシル基、1-アダマンチル基、2-アダマンチル基等が挙げられ、中でもメチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、ネオペンチル基、2-メチルブチル基、1,2-ジメチルプロピル基、1-エチルプロピル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、n-ヘプチル基、n-オクチル基、n-ノニル基、n-デシル基、n-ウンデシル基、n-ドデシル基が好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
【００５５】
一般式（２）及び（２−４）のＡ３中のＲ１０としては、水素原子及び炭素数１〜４のアルキル基が好ましく、水素原子がより好ましい。具体的には例えば、水素原子、メチル基、エチル基、n-プロピル基、イソプロピル基、n-ブチル基、イソブチル基、sec-ブチル基、tert-ブチル基等が挙げられ、中でも水素原子、メチル基、エチル基が好ましく、水素原子がより好ましい。
【００５６】
一般式（２）及び（２−４）におけるＡ３は、−Ｏ−が好ましい。
【００５７】
一般式（２−４）で示される基の中でも好ましい具体例としては、下記一般式（２−４'）で示される基が挙げられる。
2017222006.tif 000015
（式中、Ｒ７及びＡ２は、上記と同じ。）
【００５８】
一般式（２−４'）で示される基の中でも好ましい具体例としては、下記一般式（２−４''）で示される基が挙げられる。
2017222006.tif 000016
（式中、Ａ２ａは、炭素数１〜２１のアルキレン基を表し、Ｒ７は、上記と同じ。）
【００５９】
一般式（２−４''）のＡ２ａにおける炭素数１〜２１のアルキレン基としては、一般式（２）のＡ２における炭素数１〜２１のアルキレン基と同じものが挙げられ、好ましいものも同じである。
【００６０】
一般式（２−４''）で示される基の好ましい具体例としては、下記のものが挙げられる。
2017222006.tif 000017
【００６１】
上記具体例の中でも、下記のものが好ましい。
2017222006.tif 000018
【００６２】
一般式（２−１）のＲ８及びＲ９における炭素数１〜１２のアルキル基としては、一般式（２）及び（２−４）のＡ３中のＲ１０における炭素数１〜１２のアルキル基と同じものが挙げられ、好ましいものも同じである。
【００６３】
一般式（２−１）のＲ８とＲ９が、これらと結合している−Ｎ−(ＣＨ２)ｎ２−(Ａ４)ｎ３−とで、５〜６員環の環状構造を形成している場合、ｎ３は１であって、当該環状構造は、下記一般式（２−３）で示されるものである；
2017222006.tif 000019
（式中、ｎ４は、０〜４の整数を表し、Ａ４及びｎ２は上記と同じ。ただし、ｎ２＋ｎ４は３〜４の整数である。）。
【００６４】
一般式（２−１）のＡ４は、式（２−２）で示される基が好ましい。
【００６５】
一般式（２−１）のｎ２は、一般式（２−３）で示される環状構造を形成している場合には、２が好ましく、一般式（２−３）で示される環状構造を形成していない場合には、０が好ましい。尚、ｎ２が０であるとき、−(ＣＨ２)ｎ２−は単結合を表している。
【００６６】
一般式（２−１）のｎ３は、一般式（２−３）で示される環状構造を形成している場合には、１を表し、一般式（２−３）で示される環状構造を形成していない場合には、０が好ましい。尚、ｎ３が０であるとき、−(Ａ４Ｒ９)ｎ３−は単結合を表している。
【００６７】
一般式（２−３）のｎ４は、２が好ましい。尚、ｎ４が０であるとき、−(ＣＨ２)ｎ４−は単結合を表している。
【００６８】
一般式（２−３）で示される環状構造は、５〜６員環を表し、６員環が好ましい。
【００６９】
一般式（２−３）で示される環状構造の具体例としては、例えば、下記のものが挙げられる。
2017222006.tif 000020
【００７０】
上記具体例の中でも、下記のものが好ましい。
2017222006.tif 000021
【００７１】
一般式（２−１）におけるＲ８としては、水素原子、炭素数１〜６のアルキル基又は一般式（２−４'）で示される基が好ましく、水素原子、炭素数１〜４のアルキル基又は一般式（２−４''）で示される基が好ましい。具体的には例えば、水素原子、メチル基、エチル基、n-プロピル基、イソプロピル基、n-ブチル基、イソブチル基、sec-ブチル基、tert-ブチル基、下記式で示されるもの等が挙げられる。
2017222006.tif 000022
これらの中でも、水素原子、メチル基、エチル基、下記式で示されるものが好ましい。
2017222006.tif 000023
【００７２】
一般式（２−１）におけるＲ９としては、水素原子及び炭素数１〜４のアルキル基が好ましく、具体的には、水素原子、メチル基、エチル基、n-プロピル基、イソプロピル基、n-ブチル基、イソブチル基、sec-ブチル基、tert-ブチル基が好ましく、水素原子、メチル基、エチル基がより好ましい。
【００７３】
一般式（２）で示される基の中でも好ましい具体例としては、下記一般式（２'）で示される基が挙げられる。
2017222006.tif 000024
（式中、Ｒ７、Ａ１及びＡ２は、上記と同じ。）
【００７４】
一般式（２'）で示される基の中でも好ましい具体例としては、下記一般式（２'ａ）〜（２'ｄ）で示される基が挙げられる。
2017222006.tif 000025
（式中、Ｒ７及びＡ２ａは、上記と同じ。）
【００７５】
2017222006.tif 000026
（式中、Ｒ８'は、水素原子又は炭素数１〜１２のアルキル基を表し、Ａ２ｂは、−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基；又は炭素数１〜２１のアルキレン基を表し、Ｒ７は、上記と同じ。）
【００７６】
2017222006.tif 000027
（式中、Ｒ７、Ａ２ａ、Ａ４、ｎ２及びｎ４は、上記と同じ。）
【００７７】
2017222006.tif 000028
（式中、Ｒ７及びＡ２ａは、上記と同じであり、２個のＲ７及び２個のＡ２ａは、同一でも異なっていてもよい。）
【００７８】
一般式（２'ｂ）のＲ８'における炭素数１〜１２のアルキル基としては、一般式（２）及び（２−４）のＡ３中のＲ１０における炭素数１〜１２のアルキル基と同じものが挙げられ、好ましいものも同じである。
【００７９】
一般式（２'ｂ）のＡ２ｂにおける炭素数１〜２１のアルキレン基としては、一般式（２）のＡ２における炭素数１〜２１のアルキレン基と同じものが挙げられ、好ましいものも同じである。
【００８０】
一般式（２'ｂ）のＡ２ｂにおける−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基としては、一般式（２）のＡ２における−Ｏ−、−ＯＣＯ−、−ＣＯＯ−、−ＮＨＣＯ−、−ＣＯＮＨ−、−ＮＨＣＯＮＨ−及びアリーレン基から選ばれる少なくとも１つの基を鎖中に有する炭素数１〜２１のアルキレン基と同じものが挙げられ、好ましいものも同じである。
【００８１】
一般式（２'ｄ）における２個のＲ７及び２個のＡ２ａは、それぞれ独立しており、同一でも異なっていてもよい。これらの中でも、２個のＲ７及び２個のＡ２ａが、それぞれ同一であるものが好ましい。
【００８２】
一般式（２'ａ）で示される基の好ましい具体例としては、例えば、下記のものが挙げられる。
2017222006.tif 000029
【００８３】
一般式（２'ｂ）で示される基の好ましい具体例としては、例えば、下記のものが挙げられる。
2017222006.tif 000030
【００８４】
一般式（２'ｃ）で示される基の好ましい具体例としては、例えば、下記のものが挙げられる。
2017222006.tif 000031
【００８５】
一般式（２'ｄ）で示される基の好ましい具体例としては、例えば、下記のものが挙げられる。
2017222006.tif 000032
【００８６】
Ｒ５が一般式（２）で示される基である場合、Ｒ５は一般式（２'ｂ）及び（２'ｄ）で示される基が好ましく、下記のものがより好ましい。
2017222006.tif 000033
【００８７】
Ｒ６が一般式（２）で示される基である場合、Ｒ６は一般式（２'ａ）〜（２'ｃ）で示される基が好ましく、一般式（２'ａ）で示される基がより好ましく、下記のものが特に好ましい。
2017222006.tif 000034
【００８８】
Ｒ２、Ｒ３及びＲ３１における重合性不飽和基を有する基の中でも好ましい具体例としては、下記一般式（２−４）で示される基が挙げられる。
2017222006.tif 000035
（式中、Ｒ７、Ａ２及びＡ３は上記と同じ。）
【００８９】
Ｒ２、Ｒ３及びＲ３１における一般式（２−４）で示される基は、Ｒ８における一般式（２−４）で示される基と同じものが挙げられ、好ましいものも同じである。
【００９０】
［その他の官能基］
一般式（１）において、ｎ１個のＲ５は、それぞれ独立しており、同一でも異なっていてもよく；ｎ１個のうち少なくとも１個のＲ５が、重合性不飽和基を有する基、又は置換基を有するもしくは無置換のアミノ基であるものが好ましく；１個のＲ５が、重合性不飽和基を有する基、又は置換基を有するもしくは無置換のアミノ基であり、残りの（ｎ１−１）個のＲ５が、ハロゲノ基、炭素数１〜２０のアルキル基、炭素数１〜２０のアルコキシ基、炭素数１〜２０のアルキルチオ基、ヒドロキシ基、炭素数６〜１４のアリール基、炭素数６〜１４のアリールオキシ基又は炭素数７〜２０のアリールアルキル基であるものがより好ましい。中でも、ｎ１個のうち少なくとも１個のＲ５が、置換基を有するアミノ基であるものがさらに好ましく；１個のＲ５が、置換基を有するアミノ基であり、残りの（ｎ１−１）個のＲ５が、ハロゲノ基、炭素数１〜２０のアルキル基、炭素数１〜２０のアルコキシ基、炭素数１〜２０のアルキルチオ基、ヒドロキシ基、炭素数６〜１４のアリール基、炭素数６〜１４のアリールオキシ基又は炭素数７〜２０のアリールアルキル基であるものが特に好ましい。
【００９１】
一般式（１）のＲ５におけるハロゲノ基としては、例えば、フルオロ基、クロロ基、ブロモ基、ヨード基等が挙げられ、中でもフルオロ基が好ましい。
【００９２】
一般式（１）のＲ５における炭素数１〜２０のアルキル基としては、直鎖状、分枝状及び環状のうちいずれであってもよく、なかでも、直鎖状及び分枝状が好ましい。また、炭素数１〜２０のアルキル基の中でも、炭素数１〜１２のものが好ましく、炭素数１〜６のものがより好ましく、炭素数１〜４のものが特に好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基、n-ヘプチル基、イソヘプチル基、sec-ヘプチル基、tert-ヘプチル基、ネオヘプチル基、シクロヘプチル基、n-オクチル基、イソオクチル基、sec-オクチル基、tert-オクチル基、ネオオクチル基、2-エチルヘキシル基、シクロオクチル基、n-ノニル基、イソノニル基、sec-ノニル基、tert-ノニル基、ネオノニル基、シクロノニル基、n-デシル基、イソデシル基、sec-デシル基、tert-デシル基、ネオデシル基、シクロデシル基、n-ウンデシル基、シクロウンデシル基、n-ドデシル基、シクロドデシル基、n-トリデシル基、イソトリデシル基、n-テトラデシル基、イソテトラデシル基、n-ペンタデシル基、イソペンタデシル基、n-ヘキサデシル基、イソヘキサデシル基、n-ヘプタデシル基、イソヘプタデシル基、n-オクタデシル基、イソオクタデシル基、n-ノナデシル基、イソノナデシル基、n-イコシル基、イソイコシル基、シクロヘキシルメチル基、1-シクロヘキシルエチル基、2-メチルシクロへキシル基、3-メチルシクロへキシル基、4-メチルシクロへキシル基、2,6-ジメチルシクロへキシル基、2,4-ジメチルシクロへキシル基、3,5-ジメチルシクロへキシル基、2,5-ジメチルシクロへキシル基、2,3-ジメチルシクロへキシル基、3,3,5-トリメチルシクロへキシル基、4-tert-ブチルシクロへキシル基、1-アダマンチル基、2-アダマンチル基等が挙げられ、中でもメチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、ネオペンチル基、2-メチルブチル基、1,2-ジメチルプロピル基、1-エチルプロピル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、n-ヘプチル基、n-オクチル基、n-ノニル基、n-デシル基、n-ウンデシル基、n-ドデシル基が好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
【００９３】
一般式（１）のＲ５における炭素数１〜２０のアルコキシ基としては、直鎖状、分枝状及び環状のうちいずれであってもよく、なかでも、直鎖状及び分枝状が好ましい。また、炭素数１〜２０のアルコキシ基の中でも、炭素数１〜１２のものが好ましく、炭素数１〜６のものがより好ましく、炭素数１〜４のものが特に好ましい。具体的には例えば、メトキシ基、エトキシ基、n-プロポキシ基、イソプロポキシ基、n-ブトキシ基、イソブトキシ基、sec-ブトキシ基、tert-ブトキシ基、シクロブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、シクロペンチルオキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基、シクロヘキシルオキシ基、n-ヘプチルオキシ基、イソヘプチルオキシ基、sec-ヘプチルオキシ基、tert-ヘプチルオキシ基、ネオヘプチルオキシ基、シクロヘプチルオキシ基、n-オクチルオキシ基、イソオクチルオキシ基、sec-オクチルオキシ基、tert-オクチルオキシ基、ネオオクチルオキシ基、2-エチルヘキシルオキシ基、シクロオクチルオキシ基、n-ノニルオキシ基、イソノニルオキシ基、sec-ノニルオキシ基、tert-ノニルオキシ基、ネオノニルオキシ基、シクロノニルオキシ基、n-デシルオキシ基、イソデシルオキシ基、sec-デシルオキシ基、tert-デシルオキシ基、ネオデシルオキシ基、シクロデシルオキシ基、n-ウンデシルオキシ基、シクロウンデシルオキシ基、n-ドデシルオキシ基、シクロドデシルオキシ基、n-トリデシルオキシ基、イソトリデシルオキシ基、n-テトラデシルオキシ基、イソテトラデシルオキシ基、n-ペンタデシルオキシ基、イソペンタデシルオキシ基、n-ヘキサデシルオキシ基、イソヘキサデシルオキシ基、n-ヘプタデシルオキシ基、イソヘプタデシルオキシ基、n-オクタデシルオキシ基、イソオクタデシルオキシ基、n-ノナデシルオキシ基、イソノナデシルオキシ基、n-イコシルオキシ基、イソイコシルオキシ基等が挙げられ、中でもメトキシ基、エトキシ基、n-プロポキシ基、イソプロポキシ基、n-ブトキシ基、イソブトキシ基、sec-ブトキシ基、tert-ブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基が好ましく、メトキシ基、エトキシ基、n-プロポキシ基、イソプロポキシ基、n-ブトキシ基、イソブトキシ基、sec-ブトキシ基、tert-ブトキシ基がより好ましく、メトキシ基、エトキシ基がさらに好ましい。
【００９４】
一般式（１）のＲ５における炭素数１〜２０のアルキルチオ基としては、直鎖状、分枝状及び環状のうちいずれであってもよく、なかでも、直鎖状及び分枝状が好ましい。また、炭素数１〜２０のアルキルチオ基の中でも、炭素数１〜１２のものが好ましく、炭素数１〜６のものがより好ましく、炭素数１〜４のものが特に好ましい。具体的には例えば、メチルチオ基、エチルチオ基、n-プロピルチオ基、イソプロピルチオ基、n-ブチルチオ基、イソブチルチオ基、sec-ブチルチオ基、tert-ブチルチオ基、シクロブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、シクロペンチルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基、シクロヘキシルチオ基、n-ヘプチルチオ基、イソヘプチルチオ基、sec-ヘプチルチオ基、tert-ヘプチルチオ基、ネオヘプチルチオ基、シクロヘプチルチオ基、n-オクチルチオ基、イソオクチルチオ基、sec-オクチルチオ基、tert-オクチルチオ基、ネオオクチルチオ基、2-エチルヘキシルチオ基、シクロオクチルチオ基、n-ノニルチオ基、イソノニルチオ基、sec-ノニルチオ基、tert-ノニルチオ基、ネオノニルチオ基、シクロノニルチオ基、n-デシルチオ基、イソデシルチオ基、sec-デシルチオ基、tert-デシルチオ基、ネオデシルチオ基、シクロデシルチオ基、n-ウンデシルチオ基、シクロウンデシルチオ基、n-ドデシルチオ基、シクロドデシルチオ基、n-トリデシルチオ基、イソトリデシルチオ基、n-テトラデシルチオ基、イソテトラデシルチオ基、n-ペンタデシルチオ基、イソペンタデシルチオ基、n-ヘキサデシルチオ基、イソヘキサデシルチオ基、n-ヘプタデシルチオ基、イソヘプタデシルチオ基、n-オクタデシルチオ基、イソオクタデシルチオ基、n-ノナデシルチオ基、イソノナデシルチオ基、n-イコシルチオ基、イソイコシルチオ基等が挙げられ、中でもメチルチオ基、エチルチオ基、n-プロピルチオ基、イソプロピルチオ基、n-ブチルチオ基、イソブチルチオ基、sec-ブチルチオ基、tert-ブチルチオ基、n-ペンチルチオ基、イソペンチルチオ基、sec-ペンチルチオ基、tert-ペンチルチオ基、ネオペンチルチオ基、2-メチルブチルチオ基、1,2-ジメチルプロピルチオ基、1-エチルプロピルチオ基、n-ヘキシルチオ基、イソヘキシルチオ基、sec-ヘキシルチオ基、tert-ヘキシルチオ基、ネオヘキシルチオ基、2-メチルペンチルチオ基、1,2-ジメチルブチルチオ基、2,3-ジメチルブチルチオ基、1-エチルブチルチオ基が好ましく、メチルチオ基、エチルチオ基、n-プロピルチオ基、イソプロピルチオ基、n-ブチルチオ基、イソブチルチオ基、sec-ブチルチオ基、tert-ブチルチオ基がより好ましく、メチルチオ基、エチルチオ基がさらに好ましい。
【００９５】
一般式（１）のＲ５における置換基を有するアミノ基は、１個又は２個の置換基を有する。当該置換基としては、例えば、炭素数１〜２０のアルキル基、炭素数１〜２０のハロゲン化アルキル基、炭素数６〜１０のアリール基、炭素数７〜１３のアリールアルキル基等が挙げられ、中でも炭素数１〜２０のアルキル基、炭素数６〜１０のアリール基、炭素数７〜１３のアリールアルキル基が好ましく、炭素数１〜２０のアルキル基がより好ましい。
【００９６】
一般式（１）のＲ５における置換基を有するアミノ基の置換基における炭素数１〜２０のアルキル基としては、一般式（１）のＲ５における炭素数１〜２０のアルキル基と同じものが挙げられ、好ましいものも同じである。
【００９７】
一般式（１）のＲ５における置換基を有するアミノ基の置換基における炭素数１〜２０のハロゲン化アルキル基としては、直鎖状、分枝状及び環状のうちいずれであってもよく、なかでも、直鎖状及び分枝状が好ましい。また、炭素数１〜２０のハロゲン化アルキル基の中でも、炭素数１〜１２のものが好ましく、炭素数１〜６のものがより好ましく、炭素数１〜３のものが特に好ましい。具体的には例えば、クロロメチル基、トリクロロメチル基、2-クロロエチル基、2,2,2-トリクロロエチル基、ペンタクロロエチル基、2-クロロプロピル基、3-クロロプロピル基、2-クロロ-2-プロピル基、ヘプタクロロプロピル基等のクロロアルキル基；ブロモメチル基、トリブロモメチル基、2-ブロモエチル基、2,2,2-トリブロモエチル基、ペンタブロモエチル基、2-ブロモプロピル基、3-ブロモプロピル基、2-ブロモ-2-プロピル基、ヘプタブロモプロピル基等のブロモアルキル基；ヨードメチル基、トリヨードメチル基、2-ヨードエチル基、2,2,2-トリヨードエチル基、ペンタヨードエチル基、2-ヨードプロピル基、3-ヨードプロピル基、2-ヨード-2-プロピル基、ヘプタヨードプロピル基等のヨードアルキル基；フルオロメチル基、トリフルオロメチル基、2-フルオロエチル基、2,2,2-トリフルオロエチル基、1,1,2,2-テトラフルオロエチル基、ペンタフルオロエチル基、3-フルオロプロピル基、3,3,3-トリフルオロプロピル基、2,2,3,3-テトラフルオロプロピル基、ヘプタフルオロプロピル基等のフルオロアルキル基が挙げられる。これらの中でもトリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基、トリフルオロメチル基、ペンタフルオロエチル基、ヘプタフルオロプロピル基等のパーハロゲノアルキル基が好ましく、トリフルオロメチル基、ペンタフルオロエチル基、ヘプタフルオロプロピル基等のパーフルオロアルキル基がより好ましく、トリフルオロメチル基が特に好ましい。
【００９８】
一般式（１）のＲ５における置換基を有するアミノ基の置換基における炭素数６〜１０のアリール基としては、フェニル基、ナフチル基等が挙げられ、中でもフェニル基が好ましい。
【００９９】
一般式（１）のＲ５における置換基を有するアミノ基の置換基における炭素数７〜１３のアリールアルキル基としては、炭素数７〜９のフェニルアルキル基、炭素数１１〜１３のナフチルアルキル基等が挙げられ、中でも炭素数７〜９のフェニルアルキル基が好ましい。具体的には例えば、ベンジル基、フェネチル基（2-フェニルエチル基）、1-フェニルエチル基、ヒドロシンナミル基（3-フェニルプロピル基）、2-フェニルプロピル基、1-フェニルプロピル基、クミル基（2-フェニルプロパン-2-イル基）、ナフチルメチル基、2-ナフチルエチル基、3-ナフチルプロピル基等が挙げられ、中でもベンジル基、フェネチル基、1-フェニルエチル基、ヒドロシンナミル基、2-フェニルプロピル基、1-フェニルプロピル基、クミル基が好ましく、ベンジル基、フェネチル基、ヒドロシンナミル基がより好ましく、ベンジル基がさらに好ましい。
【０１００】
一般式（１）のＲ５における置換基を有する又は無置換のアミノ基としては、置換基を有するアミノ基が好ましく、炭素数１〜２０のアルキル基、炭素数１〜２０のハロゲン化アルキル基、炭素数６〜１０のアリール基又は炭素数７〜１３のアリールアルキル基を有するアミノ基がより好ましく、炭素数１〜６のアルキル基、フェニル基又は炭素数７〜９のフェニルアルキル基を有するアミノ基がさらに好ましい。具体的には例えば、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、フェネチルアミノ基、ヒドロシンナミルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基、ジフェネチルアミノ基、ビス（ヒドロシンナミル）アミノ基等が挙げられ、中でもメチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基が好ましい。
これらの中でも、炭素数１〜４のアルキル基を有するアミノ基が好ましく、炭素数１〜４のアルキル基を２個有するアミノ基が特に好ましい。具体的には、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基が好ましく、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がより好ましく、ジメチルアミノ基、ジエチルアミノ基が特に好ましい。
【０１０１】
一般式（１）のＲ５における炭素数６〜１４のアリール基としては、具体的には例えば、フェニル基、ナフチル基、アントラセニル基等が挙げられ、中でもフェニル基が好ましい。
【０１０２】
一般式（１）のＲ５における炭素数６〜１４のアリールオキシ基としては、具体的には例えば、フェノキシ基、ナフチルオキシ基、アントラセニルオキシ基等が挙げられ、中でもフェノキシ基が好ましい。
【０１０３】
一般式（１）のＲ５における炭素数７〜２０のアリールアルキル基としては、炭素数７〜１２のフェニルアルキル基、炭素数１１〜１６のナフチルアルキル基、炭素数１５〜２０のアントラセニルアルキル基等が挙げられ、中でも炭素数７〜１２のフェニルアルキル基が好ましく、炭素数７〜９のフェニルアルキル基がより好ましい。具体的には例えば、ベンジル基、フェネチル基（2-フェニルエチル基）、1-フェニルエチル基、ヒドロシンナミル基（3-フェニルプロピル基）、2-フェニルプロピル基、1-フェニルプロピル基、クミル基（2-フェニルプロパン-2-イル基）、4-フェニルブチル基、3-フェニルブチル基、2-フェニルブチル基、1-フェニルブチル基、5-フェニルペンチル基、4-フェニルペンチル基、3-フェニルペンチル基、2-フェニルペンチル基、1-フェニルペンチル基、6-フェニルヘキシル基、5-フェニルヘキシル基、4-フェニルヘキシル基、3-フェニルヘキシル基、2-フェニルヘキシル基、1-フェニルヘキシル基、ナフチルメチル基、2-ナフチルエチル基、3-ナフチルプロピル基、4-ナフチルブチル基、5-ナフチルペンチル基、6-ナフチルヘキシル基、アントラセニルメチル基、2-アントラセニルエチル基、3-アントラセニルプロピル基、4-アントラセニルブチル基、5-アントラセニルペンチル基、6-アントラセニルヘキシル基等が挙げられ、中でもベンジル基、フェネチル基、1-フェニルエチル基、ヒドロシンナミル基、2-フェニルプロピル基、1-フェニルプロピル基、クミル基、4-フェニルブチル基、3-フェニルブチル基、2-フェニルブチル基、1-フェニルブチル基、5-フェニルペンチル基、4-フェニルペンチル基、3-フェニルペンチル基、2-フェニルペンチル基、1-フェニルペンチル基、6-フェニルヘキシル基、5-フェニルヘキシル基、4-フェニルヘキシル基、3-フェニルヘキシル基、2-フェニルヘキシル基、1-フェニルヘキシル基が好ましく、ベンジル基、フェネチル基、1-フェニルエチル基、ヒドロシンナミル基、2-フェニルプロピル基、1-フェニルプロピル基、クミル基がより好ましく、ベンジル基、フェネチル基、ヒドロシンナミル基、クミル基がさらに好ましい。
【０１０４】
一般式（１）のＲ５としては、アクリロイル基又はメタクリロイル基を有する基；ハロゲノ基；炭素数１〜１２のアルキル基；炭素数１〜１２のアルコキシ基；炭素数１〜１２のアルキルチオ基；炭素数１〜２０のアルキル基、炭素数１〜２０のハロゲン化アルキル基、炭素数６〜１０のアリール基又は炭素数７〜１３のアリールアルキル基を有するアミノ基；ヒドロキシ基；炭素数６〜１４のアリール基；炭素数６〜１４のアリールオキシ基；及び炭素数７〜２０のアリールアルキル基が好ましく、一般式（２）で示される基；ハロゲノ基；炭素数１〜１２のアルキル基；炭素数１〜１２のアルコキシ基；炭素数１〜１２のアルキルチオ基；炭素数１〜６のアルキル基、フェニル基又は炭素数７〜９のフェニルアルキル基を有するアミノ基；ヒドロキシ基；フェニル基；フェノキシ基；及び炭素数７〜１２のフェニルアルキル基がより好ましく、一般式（２'ｂ）で示される基；一般式（２'ｄ）で示される基；ハロゲノ基；炭素数１〜６のアルキル基；炭素数１〜６のアルコキシ基；炭素数１〜６のアルキルチオ基；炭素数１〜６のアルキル基、フェニル基又は炭素数７〜９のフェニルアルキル基を有するアミノ基；ヒドロキシ基；フェニル基；フェノキシ基；及び炭素数７〜９のフェニルアルキル基がさらに好ましく、炭素数１〜４のアルキル基を有するアミノ基がさらにより好ましく、炭素数１〜４のアルキル基を２個有するアミノ基が特に好ましい。
【０１０５】
具体的には、フルオロ基、メチル基、エチル基、n-プロピル基、イソプロピル基、n-ブチル基、イソブチル基、sec-ブチル基、tert-ブチル基、n-ペンチル基、イソペンチル基、n-ヘキシル基、メトキシ基、エトキシ基、n-プロポキシ基、イソプロポキシ基、n-ブトキシ基、イソブトキシ基、sec-ブトキシ基、tert-ブトキシ基、メチルチオ基、エチルチオ基、n-プロピルチオ基、イソプロピルチオ基、n-ブチルチオ基、イソブチルチオ基、sec-ブチルチオ基、tert-ブチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基、ヒドロキシ基、フェニル基、フェノキシ基、ベンジル基、フェネチル基、1-フェニルエチル基、ヒドロシンナミル基、2-フェニルプロピル基、1-フェニルプロピル基、クミル基、下記式で示されるものが好ましい。
2017222006.tif 000036
また、フルオロ基、メチル基、エチル基、n-プロピル基、イソプロピル基、n-ブチル基、イソブチル基、sec-ブチル基、tert-ブチル基、メトキシ基、エトキシ基、メチルチオ基、エチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基、ヒドロキシ基、フェニル基、フェノキシ基、ベンジル基、フェネチル基、ヒドロシンナミル基、クミル基、下記式で示されるものがより好ましい。
2017222006.tif 000037
【０１０６】
これらの中でも、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基、下記式で示されるものが好ましく、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がより好ましく、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がさらに好ましく、ジメチルアミノ基、ジエチルアミノ基が特に好ましい。
2017222006.tif 000038
【０１０７】
一般式（１）のＲ６における炭素数１〜２０のアルコキシ基としては、一般式（１）のＲ５における炭素数１〜２０のアルコキシ基と同じものが挙げられ、好ましいものも同じである。
【０１０８】
一般式（１）のＲ６における置換基を有するアミノ基は、１〜２個、好ましくは２個の置換基を有する。当該置換基としては、例えば、炭素数１〜２０のアルキル基、炭素数１〜２０のハロゲン化アルキル基等が挙げられる。
【０１０９】
一般式（１）のＲ６における置換基を有するアミノ基の置換基における炭素数１〜２０のアルキル基及び炭素数１〜２０のハロゲン化アルキル基としては、一般式（１）のＲ５における置換基を有するアミノ基の置換基におけるこれらと同じものが挙げられ、好ましいものも同じである。
【０１１０】
一般式（１）のＲ６における置換基を有する又は無置換のアミノ基としては、炭素数１〜２０のアルキル基もしくは炭素数１〜２０のハロゲン化アルキル基を有する又は無置換のアミノ基が好ましく、炭素数１〜２０のアルキル基を有する又は無置換のアミノ基がより好ましく、炭素数１〜６のアルキル基を有する又は無置換のアミノ基がさらに好ましく、炭素数１〜４のアルキル基を有する又は無置換のアミノ基が特に好ましい。具体的には例えば、アミノ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、N,N-エチルメチルアミノ基、N,N-エチルプロピルアミノ基、N,N-メチルプロピルアミノ基、N,N-ブチルメチルアミノ基、N,N-ブチルエチルアミノ基、N,N-ブチルプロピルアミノ基等が挙げられる。
【０１１１】
一般式（１）のＲ６における複素環式アミノ基としては、５〜７員環の複素環式アミノ基が挙げられ、中でも５員環又は６員環の複素環式アミノ基が好ましい。具体的には例えば、ピロリジノ基、1-ピロリル基、1-ピラゾリル基、1-イミダゾリル基、3-オキサゾリル基、3-チアゾリル基、ピペリジノ基、ピペラジノ基、モルホリノ基、1-ピリジル基、1-ピリダジニル基、1-ピリミジニル基、1-ピラジニル基等が挙げられ、中でもピロリジノ基、1-ピロリル基、ピペリジノ基、1-ピリジル基が好ましく、ピペリジノ基がより好ましい。
【０１１２】
一般式（１）のＲ６としては、重合性不飽和基を有する基、ヒドロキシ基、炭素数１〜２０のアルコキシ基、炭素数１〜２０のアルキル基を有する又は無置換のアミノ基、及び複素環式アミノ基が好ましく、アクリロイル基又はメタクリロイル基を有する基、ヒドロキシ基、炭素数１〜６のアルコキシ基、炭素数１〜６のアルキル基を有する又は無置換のアミノ基、及び５員環又は６員環の複素環式アミノ基がより好ましく、一般式（２）で示される基、ヒドロキシ基、炭素数１〜４のアルコキシ基、炭素数１〜４のアルキル基を有する又は無置換のアミノ基、及びピペリジノ基がさらに好ましく、一般式（２）で示される基がさらにより好ましく、一般式（２'ａ）で示される基が特に好ましい。
【０１１３】
一般式（１）において、基本骨格中のフェニル基に結合する下記一般式（１−８）で示される基は、該フェニル基のオルト位、メタ位、パラ位のいずれに位置していてもよく、オルト位及びパラ位が好ましく、オルト位がより好ましい。具体的には、下記一般式（１−８）で示される基が基本骨格中のフェニル基に対し、下記一般式（１−９）及び（１−９'）で示される化合物のように結合しているものが好ましく、一般式（１−９）で示される化合物のように結合しているものがより好ましい。
2017222006.tif 000039
（式中、Ｒ６は、上記と同じ。）
【０１１４】
2017222006.tif 000040
（式中、＊及び＊＊は、一般式（１−１）〜（１−７）で示される環構造との結合位置を表し、ｎ１個のＲ５、Ｒ６、Ｒ３２、Ｒ３３、Ａｎ−、Ａｒ１、Ａｒ２及びｎ１は、上記と同じ。）
【０１１５】
一般式（１−１）のＲ２及びＲ３における炭素数１〜２０のアルキル基としては、一般式（１）のＲ５における炭素数１〜２０のアルキル基と同じものが挙げられ、好ましいものも同じである。
【０１１６】
一般式（１−１）のＲ２及びＲ３における「置換基を有するもしくは無置換の炭素数６〜１４のアリール基」の炭素数６〜１４のアリール基としては、フェニル基、ナフチル基、アントラセニル基等が挙げられ、中でもフェニル基が好ましい。
【０１１７】
一般式（１−１）のＲ２及びＲ３における置換基を有する炭素数６〜１４のアリール基は、通常１〜５個、好ましくは１〜３個、より好ましくは１個の置換基を有する。当該置換基としては、例えば、炭素数１〜２０のアルキル基等が挙げられる。
【０１１８】
一般式（１−１）のＲ２及びＲ３における「置換基を有する炭素数６〜１４のアリール基」の置換基における炭素数１〜２０のアルキル基としては、一般式（１）のＲ５における炭素数１〜２０のアルキル基と同じものが挙げられ、好ましいものも同じである。
【０１１９】
一般式（１−１）のＲ２及びＲ３における置換基を有する炭素数６〜１４のアリール基としては、炭素数１〜２０のアルキル基を有する炭素数６〜１４のアリール基等が挙げられ、中でも炭素数１〜２０のアルキル基を有するフェニル基、ナフチル基及びアントラセニル基が好ましく、炭素数１〜１２のアルキル基を有するフェニル基がより好ましく、炭素数１〜６のアルキル基を有するフェニル基がさらに好ましく、炭素数１〜３のアルキル基を有するフェニル基が特に好ましい。具体的には例えば、o-トリル基（メチルフェニル基）、m-トリル基、p-トリル基、o-エチルフェニル基、m-エチルフェニル基、p-エチルフェニル基、o-プロピルフェニル基、m-プロピルフェニル基、p-プロピルフェニル基、o-ブチルフェニル基、m-ブチルフェニル基、p-ブチルフェニル基、o-ペンチルフェニル基、m-ペンチルフェニル基、p-ペンチルフェニル基、o-ヘキシルフェニル基、m-ヘキシルフェニル基、p-ヘキシルフェニル基、2,3-キシリル基（2,3-ジメチルフェニル基）、2,4-キシリル基、2,5-キシリル基、2,6-キシリル基、3,4-キシリル基、3,5-キシリル基、メシチル基（2,4,6-トリメチルフェニル基）等が挙げられ、中でもp-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基が好ましく、p-トリル基、p-エチルフェニル基、p-プロピルフェニル基がより好ましい。尚、上記具体例中のアルキル基は、normal-体に限定されず、sec-体、tert-体、イソ体（iso-体）、ネオ体（neo-体）等の分岐状のものも全て含み、中でもnormal-体、iso-体が好ましく、normal-体がより好ましい。
【０１２０】
一般式（１−１）のＲ１とＲ２とで炭素数２〜４のアルキレン基を形成している場合及びＲ３とＲ４とで炭素数２〜４のアルキレン基を形成している場合における、炭素数２〜４のアルキレン基としては、直鎖状または分枝状のいずれであってもよく、直鎖状が好ましい。具体的には例えば、エチレン基、トリメチレン基、プロピレン基、1,1-ジメチルメチレン基、テトラメチレン基、1-メチルトリメチレン基、2-メチルトリメチレン基、1,2-ジメチルエチレン基、1,1-ジメチルエチレン基、エチルエチレン基等が挙げられ、中でもエチレン基、トリメチレン基、テトラメチレン基が好ましく、トリメチレン基がより好ましい。
【０１２１】
一般式（１−１）において、Ｒ１とＲ２とで炭素数２〜４のアルキレン基を形成している場合及び／又はＲ３とＲ４とで炭素数２〜４のアルキレン基を形成している場合における、一般式（１−１）で示される環構造の具体例としては、例えば、下記のものが挙げられる。
2017222006.tif 000041
（式中、＊及び＊＊は、一般式（１）における＊及び＊＊と同じ位置を表し、Ｒ２及びＲ３は、上記と同じ。）
【０１２２】
上記具体例の中でも、下記のものが好ましい。
2017222006.tif 000042
（式中、＊及び＊＊は、一般式（１）における＊及び＊＊と同じ位置を表し、Ｒ２及びＲ３は、上記と同じ。）
【０１２３】
上記具体例の中でも、下記のものがより好ましい。
2017222006.tif 000043
（式中、＊及び＊＊は、一般式（１）における＊及び＊＊と同じ位置を表す。）
【０１２４】
一般式（１−１）のＲ１としては、水素原子、及びＲ１とＲ２とで炭素数２〜４の直鎖アルキレン基を形成しているものが好ましい。具体的には例えば、水素原子、Ｒ１とＲ２とでエチレン基を形成しているもの、Ｒ１とＲ２とでトリメチレン基を形成しているもの、Ｒ１とＲ２とでテトラメチレン基を形成しているもの等が挙げられ、中でも水素原子、Ｒ１とＲ２とでトリメチレン基を形成しているものが好ましく、水素原子がより好ましい。
【０１２５】
一般式（１−１）のＲ２としては、一般式（２−４）で示される基、炭素数１〜１２のアルキル基、炭素数１〜６のアルキル基を有する又は無置換のフェニル基、及びＲ１とＲ２とで炭素数２〜４のアルキレン基を形成しているものが好ましく、一般式（２−４''）で示される基、炭素数１〜６のアルキル基、炭素数１〜３のアルキル基を有する又は無置換のフェニル基、及びＲ１とＲ２とで炭素数２〜４の直鎖アルキレン基を形成しているものがより好ましく、炭素数１〜６のアルキル基、及び炭素数１〜３のアルキル基を有する又は無置換のフェニル基がさらに好ましく、炭素数１〜４のアルキル基が特に好ましい。
具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ１とＲ２とでエチレン基を形成しているもの、Ｒ１とＲ２とでトリメチレン基を形成しているもの、Ｒ１とＲ２とでテトラメチレン基を形成しているもの、下記式で示されるもの等が挙げられる。尚、上記具体例中のアルキル基は、normal-体に限定されず、sec-体、tert-体、イソ体（iso-体）、ネオ体（neo-体）等の分岐状のものも全て含む。
2017222006.tif 000044
これらの中でも、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基、Ｒ１とＲ２とでトリメチレン基を形成しているもの、下記式で示されるものが好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
2017222006.tif 000045
【０１２６】
一般式（１−１）のＲ３としては、一般式（２−４）で示される基、炭素数１〜１２のアルキル基、炭素数１〜６のアルキル基を有する又は無置換のフェニル基、及びＲ３とＲ４とで炭素数２〜４のアルキレン基を形成しているものが好ましく、一般式（２−４''）で示される基、炭素数１〜６のアルキル基、炭素数１〜３のアルキル基を有する又は無置換のフェニル基、及びＲ３とＲ４とで炭素数２〜４の直鎖アルキレン基を形成しているものがより好ましく、炭素数１〜６のアルキル基、及び炭素数１〜３のアルキル基を有する又は無置換のフェニル基がさらに好ましく、炭素数１〜４のアルキル基が特に好ましい。
具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ３とＲ４とでエチレン基を形成しているもの、Ｒ３とＲ４とでトリメチレン基を形成しているもの、Ｒ３とＲ４とでテトラメチレン基を形成しているもの、下記式で示されるもの等が挙げられる。尚、上記具体例中のアルキル基は、normal-体に限定されず、sec-体、tert-体、イソ体（iso-体）、ネオ体（neo-体）等の分岐状のものも全て含む。
2017222006.tif 000046
これらの中でも、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基、Ｒ３とＲ４とでトリメチレン基を形成しているもの、下記式で示されるものが好ましく、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基がより好ましく、メチル基、エチル基、n-プロピル基、イソプロピル基、n-ブチル基、イソブチル基、sec-ブチル基、tert-ブチル基がさらに好ましく、メチル基、エチル基が特に好ましい。
2017222006.tif 000047
【０１２７】
一般式（１−１）のＲ４としては、水素原子、及びＲ３とＲ４とで炭素数２〜４の直鎖アルキレン基を形成しているものが好ましい。具体的には例えば、水素原子、Ｒ３とＲ４とでエチレン基を形成しているもの、Ｒ３とＲ４とでトリメチレン基を形成しているもの、Ｒ３とＲ４とでテトラメチレン基を形成しているもの等が挙げられ、中でも水素原子、Ｒ３とＲ４とでトリメチレン基を形成しているものが好ましく、水素原子がより好ましい。
【０１２８】
一般式（１−２）〜（１−７）のＲ３１における炭素数１〜２０のアルキル基としては、一般式（１）のＲ５における炭素数１〜２０のアルキル基と同じものが挙げられ、好ましいものも同じである。
【０１２９】
一般式（１−２）〜（１−７）のＲ３１としては、一般式（２−４）で示される基又は炭素数１〜１２のアルキル基が好ましく、一般式（２−４''）で示される基又は炭素数１〜６のアルキル基がより好ましい。具体的には例えば、メチル基、エチル基、プロピル基、ブチル基、ペンチル基、ヘキシル基、下記式で示されるもの等が挙げられる。
2017222006.tif 000048
尚、上記具体例中のアルキル基は、normal-体に限定されず、sec-体、tert-体、イソ体（iso-体）、ネオ体（neo-体）等の分岐状のものも全て含み、中でもnormal-体、iso-体が好ましく、normal-体がより好ましい。
【０１３０】
一般式（１）における＊及び＊＊は、一般式（１−１）〜（１−７）における＊及び＊＊と対応しており、一般式（１−１）〜（１−７）で示される基が一般式（１）で示される化合物の＊及び＊＊で示される位置に結合することを表している。具体的には、下記の構造で示される。
2017222006.tif 000049
（式中、Ｒ１〜Ｒ４、ｎ１個のＲ５、Ｒ６、Ｒ３１〜Ｒ３３、Ａｎ−、Ａｒ２及びｎ１は、上記と同じ。）
【０１３１】
一般式（１）のＡｒ１としては、一般式（１−１）で示される環構造が好ましい。
【０１３２】
一般式（１）のＡｒ２がベンゼン環の場合、一般式（１）は下記一般式（１０−１）で表される。
2017222006.tif 000050
（式中、I〜IVは、Ｒ５が置換可能な位置を表し、＊及び＊＊は、一般式（１−１）〜（１−７）で示される環構造との結合位置を表し、ｎ１個のＲ５、Ｒ６、Ｒ３２、Ｒ３３、Ａｎ−、Ａｒ１及びｎ１は上記と同じ。）
【０１３３】
一般式（１０−１）におけるｎ１個のＲ５は、ベンゼン環のI〜IV位のいずれに位置していてもよく、ｎ１が１の場合、Ｒ５はII位又はIII位に位置しているのが好ましく、II位に位置しているのがより好ましく、ｎ１が２の場合、Ｒ５はII位及びIII位、又はII位及びIV位に位置しているのが好ましく、ｎ１が３の場合、Ｒ５はII位、III位及びIV位に位置しているのが好ましい。
【０１３４】
一般式（１）のＡｒ２がナフタレン環の場合、一般式（１）は下記一般式（１０−４）〜（１０−６）で表される。
2017222006.tif 000051
（式中、I〜VIは、Ｒ５が置換可能な位置を表し、＊及び＊＊は、一般式（１−１）〜（１−７）で示される環構造との結合位置を表し、ｎ１個のＲ５、Ｒ６、Ｒ３２、Ｒ３３、Ａｎ−、Ａｒ１及びｎ１は、上記と同じ。）
【０１３５】
一般式（１０−４）におけるｎ１個のＲ５の位置は、ナフタレン環のI〜VI位のいずれでもよく、IV位又はVI位に位置しているのが好ましい。
【０１３６】
一般式（１０−５）におけるｎ１個のＲ５の位置は、ナフタレン環のI〜VI位のいずれでもよく、III位に位置しているのが好ましい。
【０１３７】
一般式（１０−６）におけるｎ１個のＲ５の位置は、ナフタレン環のI〜VI位のいずれでもよく、II位又はIV位に位置しているのが好ましい。
【０１３８】
一般式（１）のＡｒ２がアントラセン環の場合、一般式（１）は下記一般式（１０−７）〜（１０−９）で表される。
2017222006.tif 000052
（式中、I〜VIIIは、Ｒ５が置換可能な位置を表し、＊及び＊＊は、一般式（１−１）〜（１−７）で示される環構造との結合位置を表し、ｎ１個のＲ５、Ｒ６、Ｒ３２、Ｒ３３、Ａｎ−、Ａｒ１及びｎ１は、上記と同じ。）
【０１３９】
一般式（１０−７）におけるｎ１個のＲ５の位置は、アントラセン環のI〜VIII位のいずれでもよく、I位、V位又はVI位に位置しているのが好ましい。
【０１４０】
一般式（１０−８）におけるｎ１個のＲ５の位置は、アントラセン環のI〜VIII位のいずれでもよく、II位、V位又はVII位に位置しているのが好ましい。
【０１４１】
一般式（１０−９）におけるｎ１個のＲ５の位置は、アントラセン環のI〜VIII位のいずれでもよく、IV位又はV位に位置しているのが好ましい。
【０１４２】
一般式（１）のＡｒ２としては、ベンゼン環が好ましい。
【０１４３】
一般式（１）のＡｒ２がベンゼン環の場合、ｎ１は、０〜３の整数が好ましく、１又は２がより好ましく、１が特に好ましく、Ａｒ２がナフタレン環又はアントラセン環の場合、ｎ１は、０又は１が好ましく、０がより好ましい。
【０１４４】
一般式（１）のＲ３２及びＲ３３における炭素数１〜６のアルキル基としては、直鎖状、分枝状及び環状のうちいずれであってもよく、なかでも、直鎖状及び分枝状が好ましい。また、炭素数１〜６のアルキル基の中でも、炭素数１〜４のものが好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基等が挙げられ、中でもメチル基、エチル基、n-プロピル基、イソプロピル基、n-ブチル基、イソブチル基、sec-ブチル基、tert-ブチル基、n-ペンチル基、イソペンチル基、n-ヘキシル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０１４５】
一般式（１）のＲ３２及びＲ３３における炭素数６〜１４のアリール基としては、フェニル基、ナフチル基、アントラセニル基等が挙げられ、中でもフェニル基が好ましい。
【０１４６】
一般式（１）のＲ３２及びＲ３３としては、炭素数１〜６のアルキル基、フェニル基が好ましく、炭素数１〜４のアルキル基がより好ましい。具体的には例えば、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基等が挙げられ、中でもメチル基、エチル基、n-プロピル基、イソプロピル基、n-ブチル基、イソブチル基、sec-ブチル基、tert-ブチル基が好ましく、メチル基、エチル基がより好ましい。
【０１４７】
［Ａｎ−で示されるアニオン］
一般式（１）のＡｎ−としては、アニオンであればよく、具体的には例えば、電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオン（以下、本発明に係るアニオンと略記する場合がある）が挙げられる。
【０１４８】
本発明に係るアニオンにおける、電子吸引性の置換基を有するアリール基、電子吸引性の置換基を有するスルホニル基又はハロゲン化アルキル基を含むアニオン中のアニオン部分としては、例えばスルホン酸アニオン、窒素アニオン（N-）、４級ホウ素アニオン、硝酸イオン、燐酸イオン等が挙げられ、中でもスルホン酸アニオン、窒素アニオン、４級ホウ素アニオンが好ましく、４級ホウ素アニオンがより好ましい。
【０１４９】
本発明に係るアニオンにおける、ハロゲノ基を含むアニオン中のアニオン部分としては、例えば、４級ホウ素アニオン、リンアニオン、アンチモンアニオン等が挙げられ、中でもリンアニオン、アンチモンアニオンが好ましい。
【０１５０】
本発明に係るアニオンにおける、電子吸引性の置換基を有するアリール基又は電子吸引性の置換基を有するスルホニル基中の電子吸引性の置換基としては、例えば、炭素数１〜３のハロゲン化アルキル基、ハロゲノ基、ニトロ基等が挙げられ、中でも炭素数１〜３のハロゲン化アルキル基、ハロゲノ基が好ましく、ハロゲノ基が特に好ましい。
【０１５１】
上記電子吸引性の置換基としての炭素数１〜３のハロゲン化アルキル基としては、例えばクロロメチル基、トリクロロメチル基、2-クロロエチル基、2,2,2-トリクロロエチル基、ペンタクロロエチル基、2-クロロプロピル基、3-クロロプロピル基、2-クロロ-2-プロピル基、ヘプタクロロプロピル基等のクロロアルキル基；ブロモメチル基、トリブロモメチル基、2-ブロモエチル基、2,2,2-トリブロモエチル基、ペンタブロモエチル基、2-ブロモプロピル基、3-ブロモプロピル基、2-ブロモ-2-プロピル基、ヘプタブロモプロピル基等のブロモアルキル基；ヨードメチル基、トリヨードメチル基、2-ヨードエチル基、2,2,2-トリヨードエチル基、ペンタヨードエチル基、2-ヨードプロピル基、3-ヨードプロピル基、2-ヨード-2-プロピル基、ヘプタヨードプロピル基等のヨードアルキル基；フルオロメチル基、トリフルオロメチル基、2-フルオロエチル基、2,2,2-トリフルオロエチル基、1,1,2,2-テトラフルオロエチル基、ペンタフルオロエチル基、3-フルオロプロピル基、3,3,3-トリフルオロプロピル基、2,2,3,3-テトラフルオロプロピル基、ヘプタフルオロプロピル基等のフルオロアルキル基が挙げられる。これらの中でもトリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基、トリフルオロメチル基、ペンタフルオロエチル基、ヘプタフルオロプロピル基等のパーハロゲノアルキル基が好ましく、トリフルオロメチル基、ペンタフルオロエチル基、ヘプタフルオロプロピル基等のパーフルオロアルキル基がより好ましく、トリフルオロメチル基が特に好ましい。
【０１５２】
上記電子吸引性の置換基としてのハロゲノ基としては、フルオロ基、クロロ基、ブロモ基、ヨード基が挙げられ、中でもフルオロ基が好ましい。
【０１５３】
本発明に係るアニオンにおける電子吸引性の置換基を有するアリール基中の電子吸引性の置換基は、上記具体例の中でも、電子吸引力が強いものが好ましく、トリフルオロメチル基、フルオロ基、ニトロ基が好ましく、フルオロ基がより好ましい。
【０１５４】
本発明に係るアニオンにおける電子吸引性の置換基を有するスルホニル基中の電子吸引性の置換基は、上記具体例の中でも、トリフルオロメチル基、ペンタフルオロエチル基、ヘプタフルオロプロピル基、フルオロ基が好ましい。
【０１５５】
本発明に係るアニオンにおける電子吸引性の置換基を有するアリール基中のアリール基としては、例えば、フェニル基、ナフチル基等が挙げられ、中でもフェニル基が好ましい。
【０１５６】
本発明に係るアニオンにおける電子吸引性の置換基を有するアリール基の具体例としては、例えば下記一般式（１１）及び（１２）で表されるものが挙げられる。
2017222006.tif 000053
（式中、ｍは、１〜５の整数を表し、ｍ個のＲ４１は、それぞれ独立して、炭素数１〜３のハロゲン化アルキル基、ハロゲノ基又はニトロ基を表す。）
【０１５７】
2017222006.tif 000054
（式中、ｋは、１〜７の整数を表し、Ｒ４１は上記と同じ。ｋ個のＲ４１は同一でも異なっていてもよい。）
【０１５８】
一般式（１１）におけるｍは、通常１〜５の整数であり、Ｒ４１がハロゲノ基の場合は２〜５の整数が好ましく、３〜５の整数がより好ましく、５が更に好ましい。Ｒ４１がニトロ基の場合は１〜３の整数が好ましく、１がより好ましい。Ｒ４１がハロゲン化アルキル基の場合は、１〜５の整数が好ましく、１〜３の整数がより好ましい。
【０１５９】
一般式（１２）におけるｋは、通常１〜７の整数であり、Ｒ４１がハロゲノ基の場合は２〜７の整数が好ましい。Ｒ４１がニトロ基の場合は１〜３の整数が好ましく、１がより好ましい。Ｒ４１がハロゲン化アルキル基の場合は、１〜７の整数が好ましく、１〜３の整数がより好ましい。
【０１６０】
一般式（１１）及び一般式（１２）におけるＲ４１の炭素数１〜３のハロゲン化アルキル基は、本発明に係るアニオンにおける電子吸引性の置換基としての炭素数１〜３のハロゲン化アルキル基と同じものが挙げられ、好ましいものも同じである。
【０１６１】
一般式（１１）及び一般式（１２）におけるＲ４１のハロゲノ基は、フルオロ基、クロロ基、ブロモ基、ヨード基等が挙げられ、中でもフルオロ基が好ましい。
【０１６２】
一般式（１１）及び一般式（１２）におけるＲ４１の好ましい具体例は、上記の電子吸引性の置換基を有するアリール基中の電子吸引性の置換基の好ましいものと同じである。
【０１６３】
一般式（１１）で示される基は、具体的には例えば、トリフルオロメチルフェニル基、ジ(トリフルオロメチル)フェニル基、トリ(トリフルオロメチル)フェニル基、モノフルオロフェニル基、ジフルオロフェニル基、トリフルオロフェニル基、パーフルオロフェニル基、モノクロロフェニル基、ジクロロフェニル基、トリクロロフェニル基、パークロロフェニル基、モノブロモフェニル基、ジブロモフェニル基、トリブロモフェニル基、パーブロモフェニル基、モノヨードフェニル基、ジヨードフェニル基、トリヨードフェニル基、パーヨードフェニル基、ニトロフェニル基、ジニトロフェニル基、トリニトロフェニル基等が挙げられ、中でもジフルオロフェニル基、トリフルオロフェニル基、パーフルオロフェニル基が好ましく、パーフルオロフェニル基がより好ましい。
【０１６４】
一般式（１２）で示される基は、具体的には例えば、トリフルオロメチルナフチル基、ジ(トリフルオロメチル)ナフチル基、トリ(トリフルオロメチル)ナフチル基、モノフルオロナフチル基、ジフルオロナフチル基、トリフルオロナフチル基、パーフルオロナフチル基、モノクロロナフチル基、ジクロロナフチル基、トリクロロナフチル基、パークロロナフチル基、モノブロモナフチル基、ジブロモナフチル基、トリブロモナフチル基、パーブロモナフチル基、モノヨードナフチル基、ジヨードナフチル基、トリヨードナフチル基、パーヨードナフチル基、ニトロナフチル基、ジニトロナフチル基、トリニトロナフチル基等が挙げられる。
【０１６５】
本発明に係るアニオンにおける電子吸引性の置換基を有するアリール基は、上記具体例の中でも、一般式（１１）で示される基が好ましく、具体的には、トリフルオロメチルフェニル基、ニトロフェニル基、ジニトロフェニル基、トリニトロフェニル基、モノフルオロフェニル基、ジフルオロフェニル基、トリフルオロフェニル基、パーフルオロフェニル基が好ましく、ジフルオロフェニル基、トリフルオロフェニル基、ニトロフェニル基、パーフルオロフェニル基がより好ましく、パーフルオロフェニル基が特に好ましい。
【０１６６】
本発明に係るアニオンにおける電子吸引性の置換基を有するスルホニル基としては、例えば-SO2-CF3、-SO2-C2F5、-SO2-C3F7、-SO2-F、-SO2-Cl、-SO2-Br、-SO2-I等が挙げられる。
【０１６７】
本発明に係るアニオンにおけるハロゲン化アルキル基としては、炭素数１〜３のハロゲン化アルキル基が挙げられ、中でもパーハロゲン化アルキル基が好ましく、具体的には例えば、トリフルオロメチル基、ペンタフルオロエチル基、ヘプタフルオロプロピル基、トリクロロメチル基、ペンタクロロエチル基、ヘプタクロロプロピル基、トリブロモメチル基、ペンタブロモエチル基、ヘプタブロモプロピル基、トリヨードメチル基、ペンタヨードエチル基、ヘプタヨードプロピル基等が挙げられ、中でもトリフルオロメチル基、ペンタフルオロエチル基、ヘプタフルオロプロピル基が好ましい。
【０１６８】
本発明に係るアニオンにおけるハロゲノ基としては、フルオロ基、クロロ基、ブロモ基、ヨード基が挙げられ、中でもフルオロ基が好ましい。
【０１６９】
本発明に係る電子吸引性の置換基を有するアリール基、電子吸引性の置換基を有するスルホニル基、ハロゲン化アルキル基又はハロゲノ基を含むアニオンとしては、具体的には例えば、下記一般式（１３）〜（１９）で示されるものが挙げられる。
2017222006.tif 000055
（式中、Ｒ４１及びｍは上記と同じ。ｍ個のＲ４１は同一でも異なっていてもよい。）
【０１７０】
2017222006.tif 000056
（式中、Ｒ４１及びｋは上記と同じ。ｋ個のＲ４１は同一でも異なっていてもよい。）
【０１７１】
2017222006.tif 000057
（式中、Ｒ４１及びｋは上記と同じ。ｋ個のＲ４１は同一でも異なっていてもよい。）
【０１７２】
2017222006.tif 000058
（式中、Ｒ４２〜Ｒ４５はそれぞれ独立して、炭素数１〜３のハロゲン化アルキル基、ハロゲノ基又はニトロ基を表し、ｍ２〜ｍ５はそれぞれ独立して、１〜５の整数を表す。ｍ２個のＲ４２、ｍ３個のＲ４３、ｍ４個のＲ４４及びｍ５個のＲ４５は、それぞれ同一でも異なっていてもよい。）
【０１７３】
2017222006.tif 000059
（式中、４個のＲ４６はそれぞれ独立して、炭素数１〜３のハロゲン化アルキル基又はハロゲノ基を表す。）
【０１７４】
2017222006.tif 000060
（式中、Ｒ４７及びＲ４８はそれぞれ独立して、炭素数１〜３のハロゲン化アルキル基又はハロゲノ基を表す。Ｒ４７とＲ４８とで、炭素数２〜３のハロゲン化アルキレン基を形成してもよい。）
【０１７５】
2017222006.tif 000061
（式中、Ｒ４９は、リン原子又はアンチモン原子を表し、６個のＸは、全て同一のハロゲノ基を表す。）
【０１７６】
一般式（１３）におけるｍ個のＲ４１としては、全て同一であるものが好ましい。
【０１７７】
一般式（１３）における、Ｒ４１及びｍの組合せとしては、例えば下記表記載のものが挙げられる。
【０１７８】
2017222006.tif 000062
【０１７９】
一般式（１３）で示されるアニオンの好ましい具体例としては、例えば下記のものが挙げられる。
2017222006.tif 000063
【０１８０】
一般式（１４）及び（１５）におけるｋ個のＲ４１としては、全て同一であるものが好ましい。
【０１８１】
一般式（１４）及び（１５）における、Ｒ４１及びｋの組合せとしては、例えば下記表記載のものが挙げられる。
【０１８２】
2017222006.tif 000064
【０１８３】
一般式（１４）及び（１５）で示されるアニオンの好ましい具体例としては、例えば下記のものが挙げられる。
2017222006.tif 000065
【０１８４】
一般式（１６）のＲ４２〜Ｒ４５における炭素数１〜３のハロゲン化アルキル基としては、本発明に係るアニオンにおける電子吸引性の置換基としての炭素数１〜３のハロゲン化アルキル基と同じものが挙げられ、好ましいものも同じである。
【０１８５】
一般式（１６）のＲ４２〜Ｒ４５におけるハロゲノ基としては、フルオロ基、クロロ基、ブロモ基、ヨード基等が挙げられ、中でもフルオロ基が好ましい。
【０１８６】
一般式（１６）におけるｍ２個のＲ４２、ｍ３個のＲ４３、ｍ４個のＲ４４及びｍ５個のＲ４５としては、それぞれが同一であるものが好ましく、全てが同一であるものがより好ましい。
【０１８７】
一般式（１６）における、Ｒ４２〜Ｒ４５及びｍ２〜ｍ５の組合せとしては、例えば下記表記載のものが挙げられる。
【０１８８】
2017222006.tif 000066
【０１８９】
一般式（１６）で示されるアニオンの好ましい具体例としては、例えば、下記のものが挙げられる。
2017222006.tif 000067
【０１９０】
上記の具体例の中でも、下記のものがより好ましい。
2017222006.tif 000068
【０１９１】
上記の具体例の中でも、テトラキス(ペンタフルオロフェニル)ホウ素(IV)アニオンが特に好ましい。
【０１９２】
一般式（１７）のＲ４６における炭素数１〜３のハロゲン化アルキル基としては、本発明に係るアニオンにおける電子吸引性の置換基としての炭素数１〜３のハロゲン化アルキル基と同じものが挙げられ、好ましいものも同じである。
【０１９３】
一般式（１７）のＲ４６におけるハロゲノ基としては、フルオロ基、クロロ基、ブロモ基、ヨード基等が挙げられ、中でもフルオロ基が好ましい。
【０１９４】
一般式（１７）で示されるアニオンの好ましい具体例としては、例えばBF4-、CF3BF3-、C2F5BF3-、C3F7BF3-、(CF3)4B-、(C2F5)4B-、(C3F7)4B-等が挙げられる。
【０１９５】
一般式（１８）のＲ４７及びＲ４８における炭素数１〜３のハロゲン化アルキル基としては、本発明に係るアニオンにおける電子吸引性の置換基としての炭素数１〜３のハロゲン化アルキル基と同じものが挙げられ、好ましいものも同じである。
【０１９６】
一般式（１８）のＲ４７及びＲ４８におけるハロゲノ基としては、フルオロ基、クロロ基、ブロモ基、ヨード基等が挙げられ、中でもフルオロ基が好ましい。
【０１９７】
一般式（１８）のＲ４７とＲ４８とで形成される炭素数２〜３のハロゲン化アルキレン基としては、例えばテトラフルオロエチレン基、ヘキサフルオロプロピレン基等が挙げられ、中でもヘキサフルオロプロピレン基が好ましい。
【０１９８】
一般式（１８）で示されるアニオンの好ましい具体例としては、例えば、下記のものが挙げられる。
2017222006.tif 000069
【０１９９】
一般式（１９）のＲ４９としては、アンチモン原子が好ましい。
【０２００】
一般式（１９）のＸにおけるハロゲノ基としては、フルオロ基、クロロ基、ブロモ基、ヨード基等が挙げられ、中でもフルオロ基が好ましい。
【０２０１】
一般式（１９）で示されるアニオンの好ましい具体例としては、例えば、下記のものが挙げられる。
2017222006.tif 000070
【０２０２】
本発明に係るアニオンにおけるハロゲンオキソ酸アニオンの具体例としては、例えば、次亜塩素酸アニオン、亜塩素酸アニオン、塩素酸アニオン、過塩素酸アニオン等が挙げられ、中でも過塩素酸アニオンが好ましい。
【０２０３】
本発明に係るアニオンにおけるスルホン酸アニオンの具体例としては、例えば、メタンスルホン酸アニオン等の炭素数１〜２０のアルキルスルホン酸アニオン；トリフルオロメタンスルホン酸アニオン等の炭素数１〜２０のハロゲン化アルキルスルホン酸アニオン；トルエンスルホン酸アニオン、ベンゼンスルホン酸アニオン等のアルキル基を置換基として有する又は無置換のベンゼンスルホン酸アニオン等が挙げられる。
【０２０４】
一般式（１）のＡｎ−で示されるアニオンとしては、本発明に係るアニオンが好ましく、電子吸引性の置換基を有するアリール基、電子吸引性の置換基を有するスルホニル基、ハロゲン化アルキル基又はハロゲノ基を含むアニオンがより好ましく、具体的には、一般式（１６）〜（１９）で示されるものが好ましく、一般式（１６）、一般式（１８）及び一般式（１９）で示されるものがより好ましく、一般式（１６）及び一般式（１８）で示されるものがさらに好ましく、一般式（１６）で示されるものが特に好ましい。
【０２０５】
一般式（１）のＡｎ−で示されるアニオンは、上記具体例の中でも、下記のものが好ましい。
2017222006.tif 000071
【０２０６】
上記具体例の中でも、下記のものがより好ましい。
2017222006.tif 000072
【０２０７】
上記具体例の中でも、テトラキス(ペンタフルオロフェニル)ホウ素(IV)アニオン、ビス(トリフルオロメタンスルホニル)イミドアニオンがさらに好ましく、テトラキス(ペンタフルオロフェニル）ホウ素(IV)アニオンが特に好ましい。
【０２０８】
［本発明の消光剤の好ましい具体例］
本発明の消光剤の好ましい具体例の１つとして、下記一般式（１'）で示される化合物からなるものが挙げられる。
2017222006.tif 000073
（式中、Ｒ６１及びＲ６２はそれぞれ独立して、炭素数１〜１２のアルキル基、又は炭素数１〜６のアルキル基を有するもしくは無置換のフェニル基を表し、Ｒ６３及びＲ６４はそれぞれ独立して、炭素数１〜６のアルキル基、フェニル基又は炭素数７〜９のフェニルアルキル基を表し、Ｒ６５及びＲ６６はそれぞれ独立して、炭素数１〜６のアルキル基又はフェニル基を表し、Ｒ６及びＡｎ−は、上記と同じ。）
【０２０９】
一般式（１'）のＲ６１及びＲ６２における炭素数１〜１２のアルキル基としては、一般式（２）及び（２−４）のＡ３中のＲ１０における炭素数１〜１２のアルキル基と同じものが挙げられ、好ましいものも同じである。
【０２１０】
一般式（１'）のＲ６１及びＲ６２における炭素数１〜６のアルキル基を有するフェニル基は、通常１〜５個、好ましくは１〜３個、より好ましくは１個のアルキル基を有する。また、炭素数１〜６のアルキル基の中でも、炭素数１〜３のものが好ましい。当該炭素数１〜６のアルキル基の具体例としては、一般式（１）のＲ３２及びＲ３３における炭素数１〜６のアルキル基の具体例と同じものが挙げられ、中でもメチル基、エチル基、n-プロピル基、イソプロピル基が好ましい。
【０２１１】
一般式（１'）のＲ６１及びＲ６２における炭素数１〜６のアルキル基を有するフェニル基としては、炭素数１〜３のアルキル基を有するフェニル基が好ましい。具体的には例えば、o-トリル基、m-トリル基、p-トリル基、o-エチルフェニル基、m-エチルフェニル基、p-エチルフェニル基、o-プロピルフェニル基、m-プロピルフェニル基、p-プロピルフェニル基、o-ブチルフェニル基、m-ブチルフェニル基、p-ブチルフェニル基、o-ペンチルフェニル基、m-ペンチルフェニル基、p-ペンチルフェニル基、o-ヘキシルフェニル基、m-ヘキシルフェニル基、p-ヘキシルフェニル基、2,3-キシリル基、2,4-キシリル基、2,5-キシリル基、2,6-キシリル基、3,4-キシリル基、3,5-キシリル基、メシチル基等が挙げられ、中でもp-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基が好ましく、p-トリル基、p-エチルフェニル基、p-プロピルフェニル基がより好ましい。尚、上記具体例中のアルキル基は、normal-体に限定されず、sec-体、tert-体、イソ体（iso-体）、ネオ体（neo-体）等の分岐状のものも全て含み、中でもnormal-体、iso-体が好ましく、normal-体がより好ましい。
【０２１２】
一般式（１'）のＲ６１及びＲ６２としては、炭素数１〜６のアルキル基、及び炭素数１〜３のアルキル基を有する又は無置換のフェニル基が好ましく、炭素数１〜４のアルキル基がより好ましい。具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基等が挙げられる。尚、上記具体例中のアルキル基は、normal-体に限定されず、sec-体、tert-体、イソ体（iso-体）、ネオ体（neo-体）等の分岐状のものも全て含む。
これらの中でもメチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２１３】
一般式（１'）のＲ６３及びＲ６４における炭素数１〜６のアルキル基としては、一般式（１）のＲ３２及びＲ３３における炭素数１〜６のアルキル基と同じものが挙げられ、好ましいものも同じである。
【０２１４】
一般式（１'）のＲ６３及びＲ６４における炭素数７〜９のフェニルアルキル基としては、具体的には例えば、ベンジル基、フェネチル基、1-フェニルエチル基、ヒドロシンナミル基、2-フェニルプロピル基、1-フェニルプロピル基、クミル基等が挙げられ、ベンジル基、フェネチル基、ヒドロシンナミル基が好ましく、ベンジル基がより好ましい。
【０２１５】
一般式（１'）のＲ６３及びＲ６４としては、炭素数１〜４のアルキル基が好ましい。
一般式（１'）のＲ６３及びＲ６４としては、具体的には例えば、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、ベンジル基、フェネチル基、ヒドロシンナミル基等が挙げられ、中でもメチル基、エチル基、n-プロピル基、イソプロピル基、n-ブチル基、イソブチル基、sec-ブチル基、tert-ブチル基、フェニル基、ベンジル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２１６】
一般式（１'）のＲ６５及びＲ６６における炭素数１〜６のアルキル基としては、一般式（１）のＲ３２及びＲ３３における炭素数１〜６のアルキル基と同じものが挙げられ、好ましいものも同じである。
【０２１７】
一般式（１'）のＲ６５及びＲ６６としては、炭素数１〜４のアルキル基が好ましい。
一般式（１'）のＲ６５及びＲ６６としては、具体的には例えば、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基等が挙げられ、中でもメチル基、エチル基、n-プロピル基、イソプロピル基、n-ブチル基、イソブチル基、sec-ブチル基、tert-ブチル基が好ましく、メチル基、エチル基がより好ましい。
【０２１８】
一般式（１'）で示される化合物の好ましい具体例としては、下記一般式（１'−１）で示される化合物が挙げられる。
2017222006.tif 000074
（式中、Ｒ６７及びＲ６８はそれぞれ独立して、炭素数１〜６のアルキル基、又は炭素数１〜３のアルキル基を有するもしくは無置換のフェニル基を表し、Ｒ６、Ｒ６３〜Ｒ６６及びＡｎ−は、上記と同じ。）
【０２１９】
一般式（１'−１）のＲ６７及びＲ６８における炭素数１〜６のアルキル基としては、一般式（１）のＲ３２及びＲ３３における炭素数１〜６のアルキル基と同じものが挙げられ、好ましいものも同じである。
【０２２０】
一般式（１'−１）のＲ６７及びＲ６８における炭素数１〜３のアルキル基を有するフェニル基は、通常１〜５個、好ましくは１〜３個、より好ましくは１個のアルキル基を有する。当該アルキル基としては、メチル基、エチル基、n-プロピル基、イソプロピル基が挙げられる。
【０２２１】
一般式（１'−１）のＲ６７及びＲ６８における炭素数１〜３のアルキル基を有するフェニル基としては、具体的には例えば、o-トリル基、m-トリル基、p-トリル基、o-エチルフェニル基、m-エチルフェニル基、p-エチルフェニル基、o-(n-プロピル)フェニル基、o-イソプロピルフェニル基、m-(n-プロピル)フェニル基、m-イソプロピルフェニル基、p-(n-プロピル)フェニル基、p-イソプロピルフェニル基、2,3-キシリル基、2,4-キシリル基、2,5-キシリル基、2,6-キシリル基、3,4-キシリル基、3,5-キシリル基、メシチル基等が挙げられ、中でもp-トリル基、p-エチルフェニル基、p-(n-プロピル)フェニル基、p-イソプロピルフェニル基、2,4-キシリル基、2,6-キシリル基、3,5-キシリル基、メシチル基が好ましく、p-トリル基、p-エチルフェニル基、p-(n-プロピル)フェニル基、p-イソプロピルフェニル基がより好ましい。
【０２２２】
一般式（１'−１）のＲ６７及びＲ６８としては、炭素数１〜４のアルキル基が好ましい。
一般式（１'−１）のＲ６７及びＲ６８としては、具体的には例えば、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基、2,4-キシリル基、2,6-キシリル基、3,5-キシリル基、メシチル基等が挙げられ、中でもメチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２２３】
一般式（１'−１）で示される化合物の好ましい具体例としては、下記一般式（１'−２）で示される化合物が挙げられる。
2017222006.tif 000075
（式中、Ｒ６９〜Ｒ７４はそれぞれ独立して、炭素数１〜４のアルキル基を表し、Ｒ６及びＡｎ−は、上記と同じ。）
一般式（１'−２）のＲ６９〜Ｒ７４における炭素数１〜４のアルキル基としては、具体的には例えば、メチル基、エチル基、n-プロピル基、イソプロピル基、n-ブチル基、イソブチル基、sec-ブチル基、tert-ブチル基等が挙げられ、メチル基、エチル基が好ましい。
【０２２４】
一般式（１'−２）のＲ６９〜Ｒ７２は、同一でも異なっていてもよいが、Ｒ６９とＲ７０及びＲ７１とＲ７２が、それぞれ同一であるものが好ましく、Ｒ６９〜Ｒ７２が、全て同一であるものがより好ましい。
【０２２５】
一般式（１'−２）のＲ７３及びＲ７４は、同一でも異なっていてもよいが、同一であるものが好ましい。
【０２２６】
一般式（１'−２）で示される化合物の中でも好ましい具体例としては、後述する一般式（３−５）で示される化合物が挙げられる。
【０２２７】
また、本発明の消光剤の好ましい具体例の１つとして、下記一般式（３）で示される化合物からなるものが挙げられる。
2017222006.tif 000076
（式中、＊及び＊＊は、一般式（１−１）〜（１−７）で示される環構造との結合位置を表し、ｎ１個のＲ５、Ｒ６、Ｒ３２、Ｒ３３、Ａｎ−、Ａｒ１、Ａｒ２及びｎ１は、上記一般式（１）と同じ。ただし、Ｒ２、Ｒ３、ｎ１個のＲ５、Ｒ６及びＲ３１のうち少なくとも１つは重合性不飽和基を有する基である。）
【０２２８】
一般式（３）で示される化合物は、式中のＲ２、Ｒ３、ｎ１個のＲ５、Ｒ６及びＲ３１のうち少なくとも１つに重合性不飽和基を有する基を持つものであり、重合性不飽和基を有する基を１つ又は２つ持つものが好ましく、重合性不飽和基を有する基を１つ持つものがより好ましい。具体的には、式中のＲ２、Ｒ３、ｎ１個のＲ５、Ｒ６もしくはＲ３１のいずれか１つに重合性不飽和基を有する基を持つもの、又は、式中のＲ２、Ｒ３もしくはＲ３１のいずれか１つとｎ１個のＲ５のうちの１つに重合性不飽和基を有する基を持つものが好ましく、Ｒ６に重合性不飽和基を有する基を１つ持つものがより好ましい。尚、「Ｒ２、Ｒ３、ｎ１個のＲ５、Ｒ６及びＲ３１のうち少なくとも１つに重合性不飽和基を有する基を持つもの」とは、ｎ１個のＲ５のうち１個のＲ５が重合性不飽和基を有する基であればよく、例えば、１個のＲ５が重合性不飽和基を有する基であり、残りの（ｎ１−１）個のＲ５が重合性不飽和基を有する基以外の官能基であるものも含まれる。
【０２２９】
一般式（３）で示される化合物からなる消光剤は、蛍光性を有する化合物に対する消光効果に加え、加熱による退色が少なく、高い耐熱効果を奏する。さらに、一般式（３）で示される化合物由来のモノマー単位を有するポリマーからなる消光剤は、高い耐溶出性及び耐候性を有する。
【０２３０】
一般式（３）で示される化合物の中でも好ましい具体例としては、下記一般式（３−１）で示される化合物が挙げられる。
2017222006.tif 000077
｛式中、Ａｎ'−は、電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオンを表し、Ｒ１〜Ｒ４は、上記一般式（１−１）と同じであり、ｎ１個のＲ５、Ｒ６、Ｒ３２、Ｒ３３及びｎ１は、上記一般式（１）と同じ。ただし、Ｒ２、Ｒ３、ｎ１個のＲ５及びＲ６のうち少なくとも１つは重合性不飽和基を有する基である。｝
【０２３１】
一般式（３−１）のＡｎ'−における電子吸引性の置換基を有するアリール基、電子吸引性の置換基を有するスルホニル基、ハロゲン化アルキル基もしくはハロゲノ基を含むアニオン、ハロゲンオキソ酸アニオン又はスルホン酸アニオンとしては、一般式（１）における本発明に係るアニオンのそれらと同じものが挙げられ、好ましいものも同じである。
【０２３２】
一般式（３−１）で示される化合物の中でも好ましい具体例としては、下記一般式（３−２）で示される化合物が挙げられる。
2017222006.tif 000078
（式中、Ｒ２'及びＲ３'はそれぞれ独立して、炭素数１〜１２のアルキル基又は炭素数１〜６のアルキル基を有するもしくは無置換のフェニル基を表し、Ｒ１とＲ２'とで炭素数２〜４のアルキレン基を形成していてもよく、Ｒ３'とＲ４とで炭素数２〜４のアルキレン基を形成していてもよく、Ｒ５−１は、炭素数１〜６のアルキル基、フェニル基又は炭素数７〜９のフェニルアルキル基を有するアミノ基を表し、ｎ５個のＲ５−２はそれぞれ独立して、ハロゲノ基、炭素数１〜２０のアルキル基、炭素数１〜２０のアルコキシ基、炭素数１〜２０のアルキルチオ基、ヒドロキシ基、炭素数６〜１４のアリール基、炭素数６〜１４のアリールオキシ基又は炭素数７〜２０のアリールアルキル基を表し、ｎ５は、０〜３の整数を表し、Ｒ１、Ｒ４、Ｒ７、Ｒ３４、Ｒ３５、Ａ１〜Ａ３及びＡｎ'−は、上記と同じ。）
【０２３３】
一般式（３−２）のＲ２'及びＲ３'における炭素数１〜１２のアルキル基としては、一般式（２）及び（２−４）のＡ３中のＲ１０における炭素数１〜１２のアルキル基と同じものが挙げられ、好ましいものも同じである。
【０２３４】
一般式（３−２）のＲ２'及びＲ３'における炭素数１〜６のアルキル基を有するフェニル基としては、一般式（１'）のＲ６１及びＲ６２における炭素数１〜６のアルキル基を有するフェニル基と同じものが挙げられ、好ましいものも同じである。
【０２３５】
一般式（３−２）のＲ１とＲ２'とで炭素数２〜４のアルキレン基を形成している場合及びＲ３'とＲ４とで炭素数２〜４のアルキレン基を形成している場合における、炭素数２〜４のアルキレン基としては、一般式（１−１）のＲ１とＲ２とで炭素数２〜４のアルキレン基を形成している場合及びＲ３とＲ４とで炭素数２〜４のアルキレン基を形成している場合における、炭素数２〜４のアルキレン基と同じものが挙げられ、好ましいものも同じである。
【０２３６】
一般式（３−２）において、Ｒ１とＲ２'とで炭素数２〜４のアルキレン基を形成している場合及び／又はＲ３'とＲ４とで炭素数２〜４のアルキレン基を形成している場合の具体例としては、例えば、下記のものが挙げられる。
2017222006.tif 000079
（式中、Ｒ２'、Ｒ３'、Ｒ５−１、ｎ５個のＲ５−２、Ｒ７、Ｒ３４、Ｒ３５、Ａ１〜Ａ３、ｎ５及びＡｎ'−は、上記と同じ。）
【０２３７】
上記具体例の中でも、下記のものが好ましい。
2017222006.tif 000080
（式中、Ｒ２'、Ｒ３'、Ｒ５−１、ｎ５個のＲ５−２、Ｒ７、Ｒ３４、Ｒ３５、Ａ１〜Ａ３、ｎ５及びＡｎ'−は、上記と同じ。）
【０２３８】
上記具体例の中でも、下記のものがより好ましい。
2017222006.tif 000081
（式中、Ｒ５−１、ｎ５個のＲ５−２、Ｒ７、Ｒ３４、Ｒ３５、Ａ１〜Ａ３、ｎ５及びＡｎ'−は、上記と同じ。）
【０２３９】
一般式（３−２）のＲ２'としては、炭素数１〜６のアルキル基、炭素数１〜３のアルキル基を有する又は無置換のフェニル基、及びＲ１とＲ２'とで炭素数２〜４の直鎖アルキレン基を形成しているものが好ましい。具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ１とＲ２'とでエチレン基を形成しているもの、Ｒ１とＲ２'とでトリメチレン基を形成しているもの、Ｒ１とＲ２'とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ１とＲ２'とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
これらの中でも、炭素数１〜６のアルキル基、及び炭素数１〜３のアルキル基を有する又は無置換のフェニル基が好ましく、炭素数１〜４のアルキル基が特に好ましい。具体的には、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２４０】
一般式（３−２）のＲ３'としては、炭素数１〜６のアルキル基、炭素数１〜３のアルキル基を有する又は無置換のフェニル基、及びＲ３'とＲ４とで炭素数２〜４の直鎖アルキレン基を形成しているものが好ましい。具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ３'とＲ４とでエチレン基を形成しているもの、Ｒ３'とＲ４とでトリメチレン基を形成しているもの、Ｒ３'とＲ４とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ３'とＲ４とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
これらの中でも、炭素数１〜６のアルキル基、及び炭素数１〜３のアルキル基を有する又は無置換のフェニル基がより好ましく、炭素数１〜４のアルキル基がさらに好ましい。具体的には、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２４１】
一般式（３−２）のＲ５−１における、炭素数１〜６のアルキル基、フェニル基又は炭素数７〜９のフェニルアルキル基を有するアミノ基としては、具体的には例えば、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基等が挙げられる。
これらの中でも、炭素数１〜４のアルキル基を有するアミノ基が好ましく、炭素数１〜４のアルキル基を２個有するアミノ基がより好ましい。具体的には、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基が好ましく、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がより好ましく、ジメチルアミノ基、ジエチルアミノ基がさらに好ましい。
【０２４２】
一般式（３−２）のＲ５−２におけるハロゲノ基、炭素数１〜２０のアルキル基、炭素数１〜２０のアルコキシ基、炭素数１〜２０のアルキルチオ基、ヒドロキシ基、炭素数６〜１４のアリール基、炭素数６〜１４のアリールオキシ基、及び、炭素数７〜２０のアリールアルキル基としては、一般式（１）のＲ５におけるそれらと同じものが挙げられ、好ましいものも同じである。
【０２４３】
一般式（３−２）のＲ５−２としては、ハロゲノ基、炭素数１〜１２のアルキル基、炭素数１〜１２のアルコキシ基、炭素数１〜１２のアルキルチオ基、ヒドロキシ基、炭素数６〜１４のアリール基、炭素数６〜１４のアリールオキシ基及び炭素数７〜２０のアリールアルキル基が好ましく、ハロゲノ基、炭素数１〜１２のアルキル基、炭素数１〜１２のアルコキシ基、炭素数１〜１２のアルキルチオ基、ヒドロキシ基、フェニル基、フェノキシ基及び炭素数７〜１２のフェニルアルキル基がより好ましく、ハロゲノ基、炭素数１〜６のアルキル基、炭素数１〜６のアルコキシ基、炭素数１〜６のアルキルチオ基、ヒドロキシ基、フェニル基、フェノキシ基及び炭素数７〜９のフェニルアルキル基がさらに好ましい。具体的には、フルオロ基、メチル基、エチル基、n-プロピル基、イソプロピル基、n-ブチル基、イソブチル基、sec-ブチル基、tert-ブチル基、n-ペンチル基、イソペンチル基、n-ヘキシル基、メトキシ基、エトキシ基、n-プロポキシ基、イソプロポキシ基、n-ブトキシ基、イソブトキシ基、sec-ブトキシ基、tert-ブトキシ基、メチルチオ基、エチルチオ基、n-プロピルチオ基、イソプロピルチオ基、n-ブチルチオ基、イソブチルチオ基、sec-ブチルチオ基、tert-ブチルチオ基、ヒドロキシ基、フェニル基、フェノキシ基、ベンジル基、フェネチル基、1-フェニルエチル基、ヒドロシンナミル基、2-フェニルプロピル基、1-フェニルプロピル基、クミル基が好ましく、フルオロ基、メチル基、エチル基、n-プロピル基、イソプロピル基、n-ブチル基、イソブチル基、sec-ブチル基、tert-ブチル基、メトキシ基、エトキシ基、メチルチオ基、エチルチオ基、ヒドロキシ基、フェニル基、フェノキシ基、ベンジル基、フェネチル基、ヒドロシンナミル基、クミル基がより好ましい。
【０２４４】
一般式（３−２）のｎ５としては、０又は１が好ましく、０がより好ましい。
【０２４５】
一般式（３−２）において、Ｒ５−１及びｎ５個のＲ５−２の結合位置は、下記のように表される。
2017222006.tif 000082
（式中、I〜IVは、Ｒ５−１及びＲ５−２が置換可能な位置を表し、Ｒ１、Ｒ２'、Ｒ３'、Ｒ４、Ｒ５−１、ｎ５個のＲ５−２、Ｒ７、Ｒ３４、Ｒ３５、Ａ１〜Ａ３、ｎ５及びＡｎ'−は、上記と同じ。）
【０２４６】
一般式（３−２）におけるＲ５−１は、ベンゼン環のI〜IV位のいずれに位置していてもよく、II位又はIII位に位置しているのが好ましく、II位に位置しているのがより好ましい。また、一般式（３−２）におけるｎ５個のＲ５−２は、Ｒ５−１の結合部位以外であればI〜IV位のいずれに位置していてもよく、II位〜IV位のいずれかに位置しているのが好ましく、II位又はIII位に位置しているのがより好ましい。
【０２４７】
一般式（３−２）で示される化合物の中でも好ましい具体例としては、下記一般式（３−３）で示される化合物が挙げられる。
2017222006.tif 000083
（式中、Ｒ７、Ｒ６１〜Ｒ６６、Ａ１〜Ａ３及びＡｎ'−は、上記と同じ。）
【０２４８】
一般式（３−３）で示される化合物の中でも好ましい具体例としては、下記一般式（３−４）で示される化合物が挙げられる。
2017222006.tif 000084
（式中、Ｒ７、Ｒ６３〜Ｒ６８、Ａ１〜Ａ３及びＡｎ'−は、上記と同じ。）
【０２４９】
一般式（３−４）で示される化合物の中でも好ましい具体例としては、下記一般式（３−５）で示される化合物が挙げられる。
2017222006.tif 000085
（式中、Ｒ７、Ｒ６９〜Ｒ７４、Ａ２ａ及びＡｎ'−は、上記と同じ。）
【０２５０】
一般式（３−５）におけるＲ７、Ｒ６９〜Ｒ７４及びＡ２ａの好ましい組合せとしては、例えば下記表記載のものが挙げられる。
2017222006.tif 000086
【０２５１】
上記好ましい組合せの中でもより好ましい組合せとしては、例えば下記表記載の組合せ１〜８が挙げられ、中でも組合せ１〜４が好ましく、組合せ３及び４がより好ましく、組合せ３が特に好ましい。
2017222006.tif 000087
【０２５２】
また、前記表に記載の組合せと合わせて用いられるＡｎ'−としては、テトラキス(ペンタフルオロフェニル)ホウ素(IV)アニオン、ビス(トリフルオロメタンスルホニル)イミドアニオンが挙げられ、テトラキス(ペンタフルオロフェニル)ホウ素(IV)アニオンが好ましい。
【０２５３】
具体的には例えば、前記組合せ１〜８と、テトラキス(ペンタフルオロフェニル)ホウ素(IV)アニオン又はビス(トリフルオロメタンスルホニル)イミドアニオンとの組合せが挙げられ、前記組合せ１〜８とテトラキス(ペンタフルオロフェニル)ホウ素(IV)アニオンとの組合せが好ましく、前記組合せ１〜４とテトラキス(ペンタフルオロフェニル)ホウ素(IV)アニオンとの組合せがより好ましく、前記組合せ３又は４とテトラキス(ペンタフルオロフェニル)ホウ素(IV)アニオンとの組合せがさらに好ましく、前記組合せ３とテトラキス(ペンタフルオロフェニル)ホウ素(IV)アニオンとの組合せが特に好ましい。
【０２５４】
本発明の消光剤は、蛍光性を有する化合物が発する蛍光を消光し得るものである。
【０２５５】
本発明の消光剤が消光する対象（以下、消光対象化合物と略記する場合がある）は、蛍光性を有する化合物であればよく、具体的には例えば、アントラセン骨格を有する化合物、キサンテン骨格を有する化合物、クマリン骨格を有する化合物、スチルベン骨格を有する化合物、ナフタルイミド骨格を有する化合物、ペリレン骨格を有する化合物、ピリジン骨格を有する化合物、オキサジン骨格を有する化合物、シアニン骨格を有する化合物、オレフィン骨格を有する化合物、アゾール骨格を有する化合物、チアジン系色素、フタロシアニン系色素、アントラキノン系色素、アクリドン系色素、キナクリドン系色素、イソインドリノン系色素、チオフラビン系色素、チオインジゴ系色素、フルオレン系色素、アゾ系色素、ジ−及びトリフェニルメタン系色素、ターフェニル系色素、クリセン系色素、ピレン系色素等の蛍光性を有する化合物が挙げられる。
【０２５６】
上記アントラセン骨格を有する化合物としては、例えばアントラセン、9,10-ビス(フェニルエチニル)アントラセン、1-クロロ-9,10-ビス(フェニルエチニル)アントラセン等のアントラセン系色素等が挙げられる。
【０２５７】
上記キサンテン骨格を有する化合物としては、例えばローダミンＢ、ローダミン６Ｇ、ローダミン３Ｂ、ローダミン１０１、ローダミン１１０、スルホローダミン１０１、ベーシックバイオレット１１、ベーシックレッド２等のローダミン系色素；例えばエオシンＹ、エオシンＢ等のエオシン系色素；例えばフルオレセイン、フルオレセインイソチオシアネート等のフルオレセイン系色素等が挙げられる。
【０２５８】
上記クマリン骨格を有する化合物としては、例えばクマリン６、クマリン７、クマリン１５３、クマリン３１４、クマリン３３４、クマリン５４５、クマリン５４５Ｔ、クマリン５４５Ｐ、7-ヒドロキシ-4-メチルクマリン等のクマリン系色素等が挙げられる。
【０２５９】
上記スチルベン骨格を有する化合物としては、例えば1,4-ビス(2-メチルスチリル)ベンゼン、トランス-4,4'-ジフェニルスチルベンゼン等のスチルベン系色素等が挙げられる。
【０２６０】
上記ナフタルイミド骨格を有する化合物としては、例えばベーシックイエロー５１、ソルベントイエロー１１、ソルベントイエロー９８、ソルベントイエロー１１６、ソルベントイエロー４３、ソルベントイエロー４４等のナフタルイミド系色素等が挙げられる。
【０２６１】
上記ペリレン骨格を有する化合物としては、例えばペリレン、ルモゲンイエロー、ルモゲングリーン、ルモゲンオレンジ、ルモゲンピンク、ルモゲンレッド、ソルベントオレンジ５、ソルベントグリーン５等のペリレン系色素等が挙げられる。
【０２６２】
上記ピリジン骨格を有する化合物としては、例えば1-エチル-2-[4-(p-ジメチルアミノフェニル)-1,3-ブタジエニル]-ピリジニウム-パークロレート（ピリジン１）等のピリジン系色素、アクリジン系色素等が挙げられる。
【０２６３】
上記オキサジン骨格を有する化合物としては、例えば酢酸クレシルバイオレット等のオキサジン系色素、ジオキサジン系色素等が挙げられる。
【０２６４】
上記シアニン骨格を有する化合物としては、例えば4-ジシアノメチレン-2-メチル-6-(p-ジメチルアミノスチリル)-4H-ピラン等のシアニン系色素等が挙げられる。
【０２６５】
上記オレフィン骨格を有する化合物としては、例えばエテン系色素、ブタジエン系色素、ヘキサトリエン系色素等が挙げられる。
【０２６６】
上記アゾール骨格を有する化合物としては、例えばオキサゾール系色素、チアゾール系色素等が挙げられる。
【０２６７】
上記消光対象化合物の中でも、アントラセン骨格、キサンテン骨格、クマリン骨格又はオキサジン骨格を有する化合物が好ましく、キサンテン骨格を有する化合物がより好ましく、ローダミン系色素が特に好ましい。具体的には例えば、アントラセン、9,10-ビス(フェニルエチニル)アントラセン、1-クロロ-9,10-ビス(フェニルエチニル)アントラセン、ローダミンＢ、ローダミン６Ｇ、ローダミン３Ｂ、ローダミン１０１、ローダミン１１０、スルホローダミン、ベーシックバイオレット１１、ベーシックレッド２、エオシンＹ、エオシンＢ、フルオレセイン、フルオレセインイソチオシアネート、クマリン６、クマリン７、クマリン１５３、クマリン３１４、クマリン３３４、クマリン５４５、クマリン５４５Ｔ、クマリン５４５Ｐ、7-ヒドロキシ-4-メチルクマリンが好ましく、ローダミンＢ、ローダミン６Ｇ、ローダミン３Ｂ、ローダミン１０１、ローダミン１１０、スルホローダミン、ベーシックバイオレット１１、ベーシックレッド２、エオシンＹ、エオシンＢ、フルオレセイン、フルオレセインイソチオシアネートがより好ましく、ローダミンＢ、ローダミン６Ｇ、ローダミン３Ｂ、ローダミン１０１、ローダミン１１０、スルホローダミン、ベーシックバイオレット１１、ベーシックレッド２が特に好ましい。
【０２６８】
また、上記消光対象化合物には、重合性基を有する上記消光対象化合物、即ち、蛍光性を有しており、且つ、重合性不飽和基を有するモノマー（以下、重合性消光対象化合物と略記する場合がある）、及びそのポリマーも含まれる。
【０２６９】
上記重合性消光対象化合物における重合性不飽和基としては、例えばアクリロイル基、メタクリロイル基、ビニルアリール基、ビニルオキシ基、アリル基等が挙げられる。
【０２７０】
上記重合性消光対象化合物のポリマーとは、重合性消光対象化合物由来のモノマー単位を構成成分とし、蛍光性を有するものである。
【０２７１】
重合性消光対象化合物又はそのポリマーとしては、例えば、特開平０５−２７１５６７号公報、特開平０９−２７２８１４号公報、特開２００１−０１１３３６号公報、特開２０１３−０４５０８８号公報、国際公開第２０１４／１２６１６７号公報、国際公開第２０１５／０９８９９９号公報、国際公開第２０１５／１３３５７８号公報、国際公開第２０１５／１４７２８５号公報、国際公開第２０１５／１８２６８０号公報等の公報に記載のものであっても、市販のものであってもよい。
【０２７２】
消光対象化合物としては、重合性消光対象化合物又はそのポリマーが好ましく、重合性消光対象化合物がより好ましい。
【０２７３】
本発明の消光剤を用いて消光対象化合物が発する蛍光を消光するには、例えば、本発明の消光剤を、要すれば通常この分野で用いられる溶媒中で、消光対象化合物のmol数に対して通常０．５〜３００当量、好ましくは１００〜２００当量用いればよい。この消光反応における溶媒の使用量、温度、圧力等の反応条件は、有機化学分野における技術常識を考慮して適宜選択すればよい。
【０２７４】
［本発明の消光剤の製造方法］
本発明の消光剤のうち、例えば、一般式（１）が式中に重合性不飽和基を有する基を持たず、且つ、Ｒ６がヒドロキシ基であり、Ａｒ１が一般式（１−１）で示される環構造であるもの｛下記一般式（３６）で示される化合物｝は、次の反応［I］〜［III］に示す一連の方法で製造することができる。
【０２７５】
すなわち、まず、下記一般式（３１）で示される化合物と下記一般式（３２）で示される化合物とをホルムアルデヒドの存在下で反応させて、下記一般式（３３）で示される化合物を得る（反応［I］）。次いで、得られた一般式（３３）で示される化合物と下記一般式（３４）で示される化合物とを有機金属試薬の存在下で反応させ、さらに酸化反応を行い、下記一般式（３５）で示される化合物を得る（反応［II］）。その後、得られた一般式（３５）で示される化合物とヨード安息香酸tert-ブチルとを有機金属試薬の存在下で反応させた上で、塩形成反応を行えばよい（反応［III］）。
【０２７６】
2017222006.tif 000088
（式中、Ｒ102及びＲ103はそれぞれ独立して、炭素数１〜２０のアルキル基又は置換基を有するもしくは無置換の炭素数６〜１４のアリール基を表し、Ｒ１とＲ102とで炭素数２〜４のアルキレン基を形成していてもよく、Ｒ103とＲ４とで炭素数２〜４のアルキレン基を形成していてもよく、ｎ１個のＲ105はそれぞれ独立して、ハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基を表し、Ｒ１、Ｒ４、Ａｒ２及びｎ１は、上記と同じ。）
【０２７７】
2017222006.tif 000089
（式中、Ｒ１、Ｒ３２、Ｒ３３、Ｒ102、Ｒ103、Ｒ４、ｎ１個のＲ105、Ａｒ２及びｎ１は、上記と同じ。）
【０２７８】
2017222006.tif 000090
（式中、Ｒ１、Ｒ３２、Ｒ３３、Ｒ102、Ｒ103、Ｒ４、ｎ１個のＲ105、Ａｒ２及びｎ１は、上記と同じ。）
【０２７９】
一般式（３１）のＲ102及びＲ103における炭素数１〜２０のアルキル基、及び、置換基を有する又は無置換の炭素数６〜１４のアリール基としては、上記一般式（１−１）のＲ２及びＲ３におけるそれらと同じものが挙げられ、好ましいものも同じである。
【０２８０】
一般式（３１）のＲ１とＲ102とで炭素数２〜４のアルキレン基を形成している場合及びＲ103とＲ４とで炭素数２〜４のアルキレン基を形成している場合における、炭素数２〜４のアルキレン基としては、上記一般式（１−１）のＲ１とＲ２とで炭素数２〜４のアルキレン基を形成している場合及びＲ３とＲ４とで炭素数２〜４のアルキレン基を形成している場合における、炭素数２〜４のアルキレン基と同じものが挙げられ、好ましいものも同じである。
【０２８１】
一般式（３１）において、Ｒ１とＲ102とで炭素数２〜４のアルキレン基を形成している場合及び／又はＲ103とＲ４とで炭素数２〜４のアルキレン基を形成している場合の具体例としては、例えば、下記のものが挙げられる。
2017222006.tif 000091
（式中、Ｒ102及びＲ103は上記と同じ。）
【０２８２】
上記具体例の中でも、下記のものが好ましい。
2017222006.tif 000092
（式中、Ｒ102及びＲ103は上記と同じ。）
【０２８３】
上記具体例の中でも、8-ブロモ-2,3,6,7-テトラヒドロ-1H,5H-ベンゾ[ij]キノリジンが特に好ましい。
【０２８４】
一般式（３１）のＲ102としては、炭素数１〜１２のアルキル基、炭素数１〜６のアルキル基を有する又は無置換のフェニル基、及びＲ１とＲ102とで炭素数２〜４のアルキレン基を形成しているものが好ましく、炭素数１〜６のアルキル基、炭素数１〜３のアルキル基を有する又は無置換のフェニル基、及びＲ１とＲ102とで炭素数２〜４の直鎖アルキレン基を形成しているものがより好ましい。具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ１とＲ102とでエチレン基を形成しているもの、Ｒ１とＲ102とでトリメチレン基を形成しているもの、Ｒ１とＲ102とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ１とＲ102とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
これらの中でも、炭素数１〜６のアルキル基、及び炭素数１〜３のアルキル基を有する又は無置換のフェニル基が好ましく、炭素数１〜４のアルキル基が特に好ましい。具体的には、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２８５】
一般式（３１）のＲ103としては、炭素数１〜１２のアルキル基、炭素数１〜６のアルキル基を有する又は無置換のフェニル基、及びＲ103とＲ４とで炭素数２〜４のアルキレン基を形成しているものが好ましく、炭素数１〜６のアルキル基、炭素数１〜３のアルキル基を有する又は無置換のフェニル基、及びＲ103とＲ４とで炭素数２〜４の直鎖アルキレン基を形成しているものがより好ましい。具体的には例えば、メチル基、エチル基、プロピル基、ブチル基、ペンチル基、ヘキシル基、フェニル基、p-トリル基、p-エチルフェニル基、p-プロピルフェニル基、p-ブチルフェニル基、p-ペンチルフェニル基、p-ヘキシルフェニル基、2,4-キシリル基、2,6-キシリル基、3,5-キシリル基、メシチル基、Ｒ103とＲ４とでエチレン基を形成しているもの、Ｒ103とＲ４とでトリメチレン基を形成しているもの、Ｒ103とＲ４とでテトラメチレン基を形成しているもの等が挙げられ、メチル基、エチル基、プロピル基、ブチル基、ペンチル基、ヘキシル基、フェニル基、p-トリル基、p-エチルフェニル基、p-プロピルフェニル基、Ｒ103とＲ４とでトリメチレン基を形成しているものが好ましい。尚、上記具体例中のアルキル基は、normal-体に限定されず、sec-体、tert-体、イソ体（iso-体）、ネオ体（neo-体）等の分岐状のものも全て含む。
これらの中でも、炭素数１〜６のアルキル基、及び炭素数１〜３のアルキル基を有する又は無置換のフェニル基が好ましく、炭素数１〜４のアルキル基が特に好ましい。具体的には、メチル基、エチル基、n-プロピル基、イソプロピル基、n-ブチル基、イソブチル基、sec-ブチル基、tert-ブチル基、n-ペンチル基、イソペンチル基、n-ヘキシル基、フェニル基、p-トリル基、p-エチルフェニル基、p-(n-プロピル)フェニル基、p-イソプロピルフェニル基が好ましく、メチル基、エチル基、n-プロピル基、イソプロピル基、n-ブチル基、イソブチル基、sec-ブチル基、tert-ブチル基がより好ましく、メチル基、エチル基が特に好ましい。
【０２８６】
一般式（３１）で示される化合物の具体例としては、例えば下記のものが挙げられる。一般式（３１）で示される化合物は、市販のもの、あるいは自体公知の方法によって適宜合成したものを用いればよい。
2017222006.tif 000093
【０２８７】
一般式（３２）のＲ105におけるハロゲノ基、炭素数１〜２０のアルキル基、炭素数１〜２０のアルコキシ基、炭素数１〜２０のアルキルチオ基、置換基を有するもしくは無置換のアミノ基、ヒドロキシ基、炭素数６〜１４のアリール基、炭素数６〜１４のアリールオキシ基又は炭素数７〜２０のアリールアルキル基としては、上記一般式（１）のＲ５におけるそれらと同じものが挙げられ、好ましいものも同じである。
【０２８８】
一般式（３２）のＲ105としては、ハロゲノ基；炭素数１〜１２のアルキル基；炭素数１〜１２のアルコキシ基；炭素数１〜１２のアルキルチオ基；炭素数１〜２０のアルキル基、炭素数１〜２０のハロゲン化アルキル基、炭素数６〜１０のアリール基又は炭素数７〜１３のアリールアルキル基を有するアミノ基；ヒドロキシ基；炭素数６〜１４のアリール基；炭素数６〜１４のアリールオキシ基；及び炭素数７〜２０のアリールアルキル基が好ましく、ハロゲノ基；炭素数１〜１２のアルキル基；炭素数１〜１２のアルコキシ基；炭素数１〜１２のアルキルチオ基；炭素数１〜６のアルキル基、フェニル基又は炭素数７〜９のフェニルアルキル基を有するアミノ基；ヒドロキシ基；フェニル基；フェノキシ基；及び炭素数７〜１２のフェニルアルキル基がより好ましく、ハロゲノ基；炭素数１〜６のアルキル基；炭素数１〜６のアルコキシ基；炭素数１〜６のアルキルチオ基；炭素数１〜６のアルキル基、フェニル基又は炭素数７〜９のフェニルアルキル基を有するアミノ基；ヒドロキシ基；フェニル基；フェノキシ基；及び炭素数７〜９のフェニルアルキル基がさらに好ましく、炭素数１〜４のアルキル基を有するアミノ基がさらにより好ましく、炭素数１〜４のアルキル基を２個有するアミノ基が特に好ましい。
【０２８９】
具体的には、フルオロ基、メチル基、エチル基、n-プロピル基、イソプロピル基、n-ブチル基、イソブチル基、sec-ブチル基、tert-ブチル基、n-ペンチル基、イソペンチル基、n-ヘキシル基、メトキシ基、エトキシ基、n-プロポキシ基、イソプロポキシ基、n-ブトキシ基、イソブトキシ基、sec-ブトキシ基、tert-ブトキシ基、メチルチオ基、エチルチオ基、n-プロピルチオ基、イソプロピルチオ基、n-ブチルチオ基、イソブチルチオ基、sec-ブチルチオ基、tert-ブチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、n-ペンチルアミノ基、イソペンチルアミノ基、n-ヘキシルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジ-n-ペンチルアミノ基、ジイソペンチルアミノ基、ジ-n-ヘキシルアミノ基、ジフェニルアミノ基、ジベンジルアミノ基、ヒドロキシ基、フェニル基、フェノキシ基、ベンジル基、フェネチル基、1-フェニルエチル基、ヒドロシンナミル基、2-フェニルプロピル基、1-フェニルプロピル基、クミル基が好ましく、フルオロ基、メチル基、エチル基、n-プロピル基、イソプロピル基、n-ブチル基、イソブチル基、sec-ブチル基、tert-ブチル基、メトキシ基、エトキシ基、メチルチオ基、エチルチオ基、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基、ヒドロキシ基、フェニル基、フェノキシ基、ベンジル基、フェネチル基、ヒドロシンナミル基、クミル基がより好ましい。
これらの中でも、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、フェニルアミノ基、ベンジルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基、ジフェニルアミノ基、ジベンジルアミノ基が好ましく、メチルアミノ基、エチルアミノ基、n-プロピルアミノ基、イソプロピルアミノ基、n-ブチルアミノ基、イソブチルアミノ基、sec-ブチルアミノ基、tert-ブチルアミノ基、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がより好ましく、ジメチルアミノ基、ジエチルアミノ基、ジ-n-プロピルアミノ基、ジイソプロピルアミノ基、ジ-n-ブチルアミノ基、ジイソブチルアミノ基、ジ-sec-ブチルアミノ基、ジ-tert-ブチルアミノ基がさらに好ましく、ジメチルアミノ基、ジエチルアミノ基が特に好ましい。
【０２９０】
一般式（３２）で示される化合物の具体例としては、例えば下記のものが挙げられる。一般式（３２）で示される化合物は、市販のもの、あるいは自体公知の方法によって適宜合成したものを用いればよい。
2017222006.tif 000094
【０２９１】
上記反応［I］においては、一般式（３１）で示される化合物と一般式（３２）で示される化合物とを、酸触媒中、ホルムアルデヒドの存在下で、通常２０〜１００℃、好ましくは４０〜８０℃で、通常１〜２４時間、好ましくは１〜１２時間反応させればよい。
【０２９２】
上記酸触媒としては、例えば酢酸、硫酸、メタンスルホン酸、トリフルオロメタンスルホン酸等が挙げられ、中でも酢酸が好ましい。これらはそれぞれ単独でも或いは二種以上適宜組み合わせて用いてもよい。当該溶媒の使用量は、一般式（３１）で示される化合物１mmolに対して、通常０．１〜５０ml、好ましくは０．５〜１０mlである。
【０２９３】
一般式（３２）で示される化合物の使用量は、一般式（３１）で示される化合物のmol数に対して、通常１〜１０当量、好ましくは１〜３当量である。
【０２９４】
ホルムアルデヒドの使用量は、一般式（３１）で示される化合物のmol数に対して、通常１〜２０当量、好ましくは２〜５当量である。当該ホルムアルデヒドとしてはホルマリン液を用いてもよい。
【０２９５】
一般式（３４）で示される化合物の具体例としては、例えばジクロロジメチルシラン、ジクロロジエチルシラン、ジクロロジ-n-プロピルシラン、ジクロロジイソプロピルシラン、ジクロロジ-n-ブチルシラン、ジクロロジイソブチルシラン、ジクロロジ-sec-ブチルシラン、ジクロロジ-tert-ブチルシラン、ジクロロジフェニルシラン等が挙げられる。一般式（３４）で示される化合物は、市販のもの、あるいは自体公知の方法によって適宜合成したものを用いればよい。
【０２９６】
上記反応［II］においては、まず、反応［I］で得られた一般式（３３）で示される化合物と有機金属試薬を溶媒中で予め反応させ（反応［II-I］）、さらに一般式（３４）で示される化合物を加えて反応させ（反応［II-II］）、得られた化合物に対して酸化反応を行えばよい。
【０２９７】
上記反応［II-I］は、通常−８０〜４０℃、好ましくは−７０〜−４０℃で、通常１０分〜６時間、好ましくは３０分〜３時間行えばよく、上記反応［II-II］は、通常−８０〜８０℃、好ましくは−７０〜５０℃で、通常１〜２４時間、好ましくは１〜１２時間行えばよい。
【０２９８】
上記反応［II-I］及び反応［II-II］における溶媒としては、例えばジエチルエーテル、ジイソプロピルエーテル、エチルメチルエーテル、テトラヒドロフラン、1,4-ジオキサン、ジメトキシエタン等のエーテル類；例えばアセトン、ジメチルケトン、メチルエチルケトン、ジエチルケトン、2-ヘキサノン、tert-ブチルメチルケトン、シクロペンタノン、シクロヘキサノン等のケトン類；例えばクロロメタン、クロロホルム、ジクロロメタン、ジクロロエタン、トリクロロエタン、四塩化炭素、クロロベンゼン等のハロゲン化炭化水素類；例えばn-ヘキサン、ベンゼン、トルエン、キシレン等の炭化水素類；例えば酢酸エチル、酢酸ブチル、プロピオン酸メチル等のエステル類；例えばアセトニトリル等のニトリル類；例えばN,N-ジメチルホルムアミド等のアミド類等が挙げられ、中でもエーテル類が好ましく、テトラヒドロフランがより好ましい。これらはそれぞれ単独でも或いは二種以上適宜組み合わせて用いてもよい。反応溶媒の使用量は、一般式（３３）で示される化合物１mmolに対して、通常０．１〜１００ml、好ましくは１〜５０mlである。
【０２９９】
一般式（３４）で示される化合物の使用量は、一般式（３３）で示される化合物のmol数に対して、通常１〜５当量、好ましくは１〜３当量である。
【０３００】
上記反応［II-I］及び反応［II-II］における有機金属試薬としては、例えば有機リチウム化合物、グリニャール試薬、有機アルカリ土類金属化合物、有機アルミニウム化合物、有機亜鉛化合物等が挙げられ、中でも有機リチウム化合物が好ましく、具体的には例えば、n-ブチルリチウム、sec-ブチルリチウム、tert-ブチルリチウム、n-ヘキシルリチウム等が挙げられ、中でもsec-ブチルリチウムが好ましい。これらはそれぞれ単独でも或いは二種以上適宜組み合わせて用いてもよい。また、当該有機金属試薬は、市販のものを用いればよく、当該有機金属試薬とヘキサン、シクロヘキサン、ペンタン等の脂肪族炭化水素系溶媒との溶液を用いてもよい。
【０３０１】
上記反応［II-I］及び反応［II-II］における有機金属試薬の使用量は、一般式（３３）で示される化合物のmol数に対して、通常１〜１０当量、好ましくは２〜４当量である。
【０３０２】
上記酸化反応は、反応［II-II］において得られた化合物に酸化剤を加え、溶媒中、通常−３０〜５０℃、好ましくは−２０〜３０℃で、通常１〜２４時間、好ましくは２〜１８時間反応させることによりなされる。
【０３０３】
上記酸化反応における溶媒としては、反応［II-I］及び反応［II-II］における溶媒と同じものが挙げられ、中でもケトン類が好ましく、アセトンがより好ましい。これらはそれぞれ単独でも或いは二種以上適宜組み合わせて用いてもよい。当該溶媒の使用量は、一般式（３３）で示される化合物１mmolに対して、通常０．１〜１００ml、好ましくは１〜５０mlである。
【０３０４】
上記酸化反応における酸化剤としては、例えば過マンガン酸塩等が挙げられ、具体的には例えば、過マンガン酸カリウム、過マンガン酸ナトリウム、過マンガン酸マグネシウム、過マンガン酸カルシウム等が挙げられ、中でも過マンガン酸カリウムが好ましい。当該酸化剤は、市販のものを用いればよい。
【０３０５】
上記酸化剤の使用量は、一般式（３３）で示される化合物のmol数に対して、通常１〜１０当量、好ましくは２〜５当量である。
【０３０６】
上記反応［III］においては、まず、ヨード安息香酸tert-ブチルと有機金属試薬を溶媒中で予め反応させ（反応［III-I］）、さらに反応［II］で得られた一般式（３５）で示される化合物を加えて反応させ（反応［III-II］）、得られた化合物に対して塩形成反応を行えばよい。
【０３０７】
上記反応［III-I］は、通常−８０〜４０℃、好ましくは−７０〜−４０℃で、通常１０分〜６時間、好ましくは３０分〜３時間行えばよく、上記反応［III-II］は、通常−８０〜８０℃、好ましくは−７０〜５０℃で、通常１〜２４時間、好ましくは１〜１２時間行えばよい。
【０３０８】
上記反応［III-I］及び反応［III-II］における溶媒及び有機金属試薬としては、反応［II-I］及び反応［II-II］における溶媒及び有機金属試薬と同様のものを用いればよい。当該溶媒の使用量は、ヨード安息香酸tert-ブチル１mmolに対して、通常０．１〜１００ml、好ましくは１〜５０mlであり、当該有機金属試薬の使用量は、ヨード安息香酸tert-ブチルのmol数に対して、通常１〜５当量、好ましくは１〜３当量である。
【０３０９】
ヨード安息香酸tert-ブチルの使用量は、一般式（３５）で示される化合物のmol数に対して、通常１〜５当量、好ましくは１〜３当量である。ヨード安息香酸tert-ブチルは、市販のもの、あるいは自体公知の方法によって適宜合成したものを用いればよい。
【０３１０】
上記塩形成反応としては、反応［III-II］で得られた化合物に、Ａｎ−で示されるアニオンの塩を加え、溶媒中、通常０〜８０℃、好ましくは１０〜５０℃で、通常１〜２４時間、好ましくは２〜１０時間反応させることによりなされる。
【０３１１】
上記塩形成反応における溶媒としては、メタノール、エタノール、イソプロピルアルコール、テトラヒドロフラン、ジオキサン、N,N-ジメチルホルムアミド、ジクロロメタン、ジクロロエタン、酢酸エチル等の有機溶媒が挙げられ、中でもエタノール、ジクロロメタン、酢酸エチルが好ましい。これらはそれぞれ単独でも或いは二種以上適宜組み合わせて用いてもよい。反応溶媒の使用量は、一般式（３５）で示される化合物１mmolに対して、通常０．１〜１００ml、好ましくは１〜５０mlである。
【０３１２】
上記塩形成反応におけるＡｎ−で示されるアニオンの塩としては、Ａｎ−で示されるアニオンのアルカリ金属塩、又は、無機酸｛Ａｎ−で示されるアニオンとプロトン（H＋）との塩｝が挙げられ、中でもＡｎ−で示されるアニオンのアルカリ金属塩が好ましい。
【０３１３】
上記Ａｎ−で示されるアニオンのアルカリ金属塩としては、Ａｎ−で示されるアニオンと、ナトリウム、カリウム、リチウム等のアルカリ金属からなる塩が挙げられ、中でもＡｎ−で示されるアニオンとカリウム又はリチウムからなる塩が好ましい。上記Ａｎ−で示されるアニオンのアルカリ金属塩の使用量は、一般式（３５）で示される化合物のmol数に対して、通常１〜２当量、好ましくは１〜１．５当量である。
【０３１４】
上記無機酸としては、塩酸、臭化水素、ヨウ化水素、次亜塩素酸、亜塩素酸、塩素酸、過塩素酸、ヘキサフルオロリン酸、ヘキサフルオロアンチモン酸等の無機酸が挙げられ、中でも塩酸、過塩素酸、ヘキサフルオロリン酸、ヘキサフルオロアンチモン酸が好ましい。上記無機酸の使用量は、一般式（３５）で示される化合物のmol数に対して、通常１〜５０当量、好ましくは１〜１０当量である。
【０３１５】
上記塩形成反応におけるＡｎ−で示されるアニオンの塩が、Ａｎ−で示されるアニオンのアルカリ金属塩である場合、一般式（３５）で示される化合物とヨード安息香酸tert-ブチルとの反応後、Ａｎ−で示されるアニオンのアルカリ金属塩を溶媒中、塩酸共存下で反応させてクロル塩を経由するのが好ましい。該塩酸の使用量としては、一般式（３５）で示される化合物のmol数に対して、通常１〜５０当量、好ましくは１〜１０当量である。
【０３１６】
また、上記塩形成反応におけるＡｎ−で示されるアニオンの塩が無機酸である場合、反応［III-II］で得られた化合物と無機酸を、溶媒中で反応させればよい。
【０３１７】
本発明の消光剤のうち、例えば、一般式（１）が式中に重合性不飽和基を有する基を持たず、且つ、Ｒ６がヒドロキシ基であり、Ａｒ１が一般式（１−２）〜（１−７）で示される環構造であるもの｛下記一般式（３６'）で示される化合物｝は、次の反応［I'］〜［III'］に示す一連の方法で製造することができる。
【０３１８】
すなわち、まず、下記一般式（３１'）で示される化合物と一般式（３２）で示される化合物とをホルムアルデヒドの存在下で反応させて、下記一般式（３３'）で示される化合物を得る（反応［I'］）。次いで、得られた一般式（３３'）で示される化合物と一般式（３４）で示される化合物とを有機金属試薬の存在下で反応させ、さらに酸化反応を行い、下記一般式（３５'）で示される化合物を得る（反応［II'］）。その後、得られた一般式（３５'）で示される化合物とヨード安息香酸tert-ブチルとを有機金属試薬の存在下で反応させ、さらに一般式（３９）で示される化合物を加えて反応させた上で、塩形成反応を行えばよい（反応［III'］）。
【０３１９】
2017222006.tif 000095
｛式中、Ａｒ1'は、下記一般式（１−２'）〜（１−７'）で示される環構造を表し、＊及び＊＊は、一般式（１−２'）〜（１−７'）で示される環構造との結合位置を表し；
2017222006.tif 000096
（式中、＊及び＊＊は、一般式（３１'）又は（３３'）における＊及び＊＊と同じ位置を表す。）
ｎ１個のＲ105、Ａｒ２及びｎ１は、上記と同じ。｝
【０３２０】
2017222006.tif 000097
（式中、＊及び＊＊は、一般式（１−２'）〜（１−７'）で示される環構造との結合位置を表し、Ｒ３２、Ｒ３３、ｎ１個のＲ105、Ａｒ1'、Ａｒ２及びｎ１は、上記と同じ。）
【０３２１】
2017222006.tif 000098
｛式中、Ｒ131は、炭素数１〜２０のアルキル基を表し、Ｒ38は、ハロゲノ基、トリフルオロメチルスルホニルオキシ基、メシルオキシ基（メチルスルホニルオキシ基）又はトシルオキシ基（p-トルエンスルホニルオキシ基）を表し、Ａｒ1''は、下記一般式（１−２''）〜（１−７''）で示される環構造を表し、＊及び＊＊は、一般式（１−２''）〜（１−７''）で示される環構造との結合位置を表し；
2017222006.tif 000099
（式中、＊及び＊＊は、一般式（３５'）又は（３６'）における＊及び＊＊と同じ位置を表し、Ｒ131は、上記と同じ。）、
Ｒ３２、Ｒ３３、ｎ１個のＲ105、Ａｒ1'、Ａｒ２及びｎ１は、上記と同じ。｝
【０３２２】
一般式（３１'）のＡｒ1'としては、一般式（１−３'）及び（１−５'）で示される環構造が好ましい。
【０３２３】
上記一般式（３１'）で示される化合物としては、1-ブロモカルバゾール、2-ブロモカルバゾール、3-ブロモカルバゾール、4-ブロモカルバゾール等が挙げられる。一般式（３１'）で示される化合物は、市販のもの、あるいは自体公知の方法によって適宜合成したものを用いればよい。
【０３２４】
一般式（３９）のＲ131における炭素数１〜２０のアルキル基としては、上記一般式（１）のＲ５における炭素数１〜２０のアルキル基と同じものが挙げられ、好ましいものも同じである。
【０３２５】
一般式（３９）のＲ３８におけるハロゲノ基としては、例えば、フルオロ基、クロロ基、ブロモ基、ヨード基等が挙げられ、中でもヨード基が好ましい。
【０３２６】
一般式（３９）のＲ３８としては、ハロゲノ基が好ましく、ヨード基がより好ましい。
【０３２７】
一般式（３９）で示される化合物の具体例としては、例えばフルオロメタン、フルオロエタン、1-フルオロプロパン、2-フルオロプロパン、クロロメタン、クロロエタン、1-クロロプロパン、2-クロロプロパン、ブロモメタン、ブロモエタン、1-ブロモプロパン、2-ブロモプロパン、ヨードメタン、ヨードエタン、1-ヨードプロパン、2-ヨードプロパン、トリフルオロメタンスルホン酸メチル、トリフルオロメタンスルホン酸エチル、トリフルオロメタンスルホン酸プロピル、メチルメシラート、エチルメシラート、n-プロピルメシラート、イソプロピルメシラート、メチルトシラート、エチルトシラート、n-プロピルトシラート、イソプロピルトシラート等が挙げられ、中でもフルオロメタン、クロロメタン、ブロモメタン、ヨードメタン、トリフルオロメタンスルホン酸メチル、メチルメシラート、メチルトシラートが好ましく、ヨードメタンがより好ましい。一般式（３９）で示される化合物は、市販のもの、あるいは自体公知の方法によって適宜合成したものを用いればよい。
【０３２８】
一般式（３６'）のＡｒ1''としては、一般式（１−３''）及び（１−５''）で示される環構造が好ましい。
【０３２９】
上記反応［I'］及び反応［II'］は、上述した反応［I］及び反応［II］における一般式（３１）で示される化合物の代わりに一般式（３１'）で示される化合物を用いる以外、同様の反応条件（反応溶媒、反応温度、反応時間、各使用量）で行えばよい。
【０３３０】
上記反応［III'］においては、まず、ヨード安息香酸tert-ブチルと有機金属試薬を溶媒中で予め反応させ（反応［III-I'］）、さらに反応［II'］で得られた一般式（３５'）で示される化合物を加えて反応させ（反応［III-II'］）、得られた化合物と一般式（３９）で示される化合物とを溶媒中、塩基触媒の存在下で反応させ（反応［III-III'］）、最後に、得られた化合物に対して塩形成反応を行えばよい。
【０３３１】
上記反応［III-I'］、反応［III-II'］及び塩形成反応は、上述した反応［III］における一般式（３５）で示される化合物の代わりに一般式（３５'）で示される化合物を用いる以外、同様の反応条件（反応溶媒、反応温度、反応時間、各使用量）で行えばよい。
【０３３２】
上記反応［III-III'］は、溶媒中、塩基触媒の存在下で通常０〜１００℃、好ましくは１０〜８０℃で、通常１〜２４時間、好ましくは２〜１０時間行えばよい。
【０３３３】
上記塩基触媒としては、カリウム、ナトリウム等のアルカリ金属、水酸化リチウム、水酸化カリウム、水酸化ナトリウム、水酸化カルシウム、水酸化バリウム等のアルカリ金属、アルカリ土類金属の水酸化物、トリエチレンジアミン、ピリジン、エチレンジアミン、ジエチレントリアミン、ピロリドン、テトラヒドロキノリン等のアミン類等が挙げられ、これらを単独あるいは２種以上を共に用いてもよい。塩基触媒の使用量は、反応［III-II'］で得られた化合物と一般式（３９）で示される化合物の総重量に対して、通常１〜５０倍、好ましくは３〜１０倍である。
【０３３４】
上記溶媒としては、メタノール、エタノール、イソプロピルアルコール、テトラヒドロフラン、ジオキサン、N,N-ジメチルホルムアミド、ジクロロメタン、ジクロロエタン、酢酸エチル等の有機溶媒が挙げられ、中でもエタノール、ジクロロメタン、酢酸エチルが好ましい。これらはそれぞれ単独でも或いは二種以上適宜組み合わせて用いてもよい。反応溶媒の使用量は、反応［III-II'］で得られた化合物と一般式（３９）で示される化合物の総重量に対して、通常１〜５０倍、好ましくは１〜１５倍である。
【０３３５】
一般式（３９）で示される化合物の使用量は、反応［III-II'］で得られた化合物のmol数に対して、通常１〜１０当量、好ましくは１〜５当量である。
【０３３６】
本発明の消光剤のうち、例えば、一般式（１）が式中に重合性不飽和基を有する基を持たず、且つ、Ｒ６が炭素数１〜２０のアルコキシ基であり、Ａｒ１が一般式（１−１）で示される環構造であるもの｛下記一般式（３８−１）で示される化合物｝は、次の反応［IV-I］に示す方法で製造することができる。すなわち、上記反応［III］で得られた一般式（３６）で示される化合物と下記一般式（３７−１）で示される化合物とを反応させることで、下記一般式（３８−１）で示される化合物を得ることができる。
【０３３７】
また、本発明の消光剤のうち、例えば、一般式（１）が式中に重合性不飽和基を有する基を持たず、且つ、Ｒ６が置換基を有するもしくは無置換のアミノ基であり、Ａｒ１が一般式（１−１）で示される環構造であるもの｛下記一般式（３８−２）で示される化合物｝は、次の反応［IV-II］に示す方法で製造することができる。すなわち、上記反応［III］で得られた一般式（３６）で示される化合物と下記一般式（３７−２）で示される化合物とを反応させることで、下記一般式（３８−２）で示される化合物を得ることができる。
【０３３８】
また、本発明の消光剤のうち、例えば、一般式（１）が式中に重合性不飽和基を有する基を持たず、且つ、Ｒ６が複素環式アミノ基であり、Ａｒ１が一般式（１−１）で示される環構造であるもの｛下記一般式（３８−３）で示される化合物｝は、次の反応［IV-III］に示す方法で製造することができる。すなわち、上記反応［III］で得られた一般式（３６）で示される化合物と下記一般式（３７−３）で示される化合物とを反応させることで、下記一般式（３８−３）で示される化合物を得ることができる。
【０３３９】
また、本発明の消光剤のうち、例えば、一般式（１）においてＲ６以外の官能基（Ｒ２、Ｒ３、ｎ１個のＲ５及びＲ３１）が重合性不飽和基を有する基を持たず、且つ、Ｒ６が一般式（２）で示される重合性不飽和基を有する基であり、Ａｒ１が一般式（１−１）で示される環構造であるもの｛下記一般式（３８−４）で示される化合物｝は、次の反応［IV-IV］に示す方法で製造することができる。すなわち、上記反応［III］で得られた一般式（３６）で示される化合物と下記一般式（３７−４）で示される化合物とを反応させることで、下記一般式（３８−４）で示される化合物を得ることができる。
【０３４０】
2017222006.tif 000100
（式中、Ｒ６−１は、炭素数１〜２０のアルキル基を表し、２個のＲ６−２はそれぞれ独立して、水素原子、炭素数１〜２０のアルキル基、炭素数１〜２０のハロゲン化アルキル基を表し、Ｒ６−３は、複素環式アミノ基を表し、Ｒ１、Ｒ３２、Ｒ３３、Ｒ102、Ｒ103、Ｒ４、ｎ１個のＲ105、Ｒ７、Ａ１〜Ａ３、Ａｎ-、Ａｒ２及びｎ１は、上記と同じ。）
【０３４１】
一般式（３７−１）のＲ６−１における炭素数１〜２０のアルキル基としては、上記一般式（１）のＲ５における炭素数１〜２０のアルキル基と同じものが挙げられ、好ましいものも同じである。
【０３４２】
一般式（３７−１）で示される化合物は、市販のものを用いればよく、その具体例としては、例えば、メタノール、エタノール、1-プロパノール、2-プロパノール等が挙げられる。
【０３４３】
一般式（３７−２）のＲ６−２における炭素数１〜２０のアルキル基としては、上記一般式（１）のＲ５における炭素数１〜２０のアルキル基と同じものが挙げられ、好ましいものも同じである。
【０３４４】
一般式（３７−２）のＲ６−２における炭素数１〜２０のハロゲン化アルキル基としては、上記一般式（１）のＲ５における置換基を有するアミノ基の置換基における炭素数１〜２０のハロゲン化アルキル基と同じものが挙げられ、好ましいものも同じである。
【０３４５】
一般式（３７−２）のＲ６−２としては、水素原子及び炭素数１〜２０のアルキル基が好ましく、水素原子及び炭素数１〜１２のアルキル基がより好ましく、炭素数１〜６のアルキル基がさらに好ましく、炭素数１〜３のアルキル基が特に好ましい。具体的には例えば、メチル基、エチル基、n-プロピル基、イソプロピル基等が挙げられる。
【０３４６】
一般式（３７−２）で示される化合物は、市販のもの、あるいは自体公知の方法によって適宜合成したものを用いればよく、その具体例としては、例えば、アンモニア、トリフルオロメチルアミン、ペンタフルオロエチルアミン、ヘプタフルオロプロピルアミン、メチルアミン、エチルアミン、n-プロピルアミン、イソプロピルアミン、ジメチルアミン、ジエチルアミン、ジ(n-プロピル)アミン、N-エチルメチルアミン、N-エチルプロピルアミン、N-メチルプロピルアミン等が挙げられる。
【０３４７】
一般式（３７−３）のＲ６−３における複素環式アミノ基としては、上記一般式（１）のＲ６における複素環式アミノ基と同じものが挙げられ、好ましいものも同じである。
【０３４８】
一般式（３７−３）で示される化合物は、市販のもの、あるいは自体公知の方法によって適宜合成したものを用いればよく、その具体例としては、例えば、ピロリジン、ピロール、ピラゾール、イミダゾール、オキサゾール、チアゾール、ピペリジン、ピペラジン、モルホリン、ピリジン、ピリダジン、ピリミジン、ピラジン等が挙げられ、中でもピロリジン、ピロール、ピペリジン、ピリジンが好ましく、ピペリジンがより好ましい。
【０３４９】
一般式（３７−４）で示される化合物は、市販のもの、あるいは自体公知の方法によって適宜合成したものを用いればよく、その具体例としては、例えば下記のものが挙げられる。
2017222006.tif 000101
【０３５０】
上記反応［IV-I］においては、一般式（３６）で示される化合物と一般式（３７−１）で示される化合物を、溶媒中、脱水縮合剤の存在下で通常１０〜１５０℃、好ましくは２０〜１００℃で、通常１〜５０時間、好ましくは５〜４０時間反応させればよい。
【０３５１】
一般式（３７−１）で示される化合物の使用量は、一般式（３６）で示される化合物の重量に対して、通常１〜５０倍、好ましくは１〜１５倍である。
【０３５２】
上記反応［IV-II］においては、一般式（３６）で示される化合物と一般式（３７−２）で示される化合物を、溶媒中、脱水縮合剤の存在下で通常０〜１５０℃、好ましくは１０〜８０℃で、通常１〜２４時間、好ましくは３〜１８時間反応させればよい。
【０３５３】
一般式（３７−２）で示される化合物の使用量は、一般式（３６）で示される化合物のmol数に対して、通常１〜２０当量、好ましくは１〜５当量である。
【０３５４】
上記反応［IV-III］においては、一般式（３６）で示される化合物と一般式（３７−３）で示される化合物を、溶媒中、脱水縮合剤の存在下で通常０〜１５０℃、好ましくは１０〜８０℃で、通常１〜２４時間、好ましくは２〜１８時間反応させればよい。
【０３５５】
一般式（３７−３）で示される化合物の使用量は、一般式（３６）で示される化合物のmol数に対して、通常１〜２０当量、好ましくは１〜５当量である。
【０３５６】
上記反応［IV-IV］においては、一般式（３６）で示される化合物と一般式（３７−４）で示される化合物を、溶媒中、脱水縮合剤の存在下で通常０〜１５０℃、好ましくは１０〜８０℃で、通常１〜２４時間、好ましくは２〜１８時間反応させればよい。
【０３５７】
一般式（３７−４）で示される化合物の使用量は、一般式（３６）で示される化合物のmol数に対して、通常１〜２０当量、好ましくは１〜５当量である。
【０３５８】
上記反応［IV-I］〜［IV-IV］で用いられる溶媒としては、反応［II-I］及び反応［II-II］における溶媒と同じものが挙げられ、中でもエーテル類、ハロゲン化炭化水素類、炭化水素類が好ましく、テトラヒドロフラン、ジクロロメタン、トルエンがより好ましい。これらはそれぞれ単独でも或いは二種以上適宜組み合わせて用いてもよい。反応溶媒の使用量は、一般式（３６）で示される化合物と一般式（３７−１）、（３７−２）、（３７−３）又は（３７−４）で示される化合物との総重量に対して、通常１〜５０倍、好ましくは２〜１５倍である。
【０３５９】
上記反応［IV-I］〜［IV-IV］で用いられる脱水縮合剤としては、一般に脱水縮合剤として使用されるものであればよく、例えば五酸化二リン、無水塩化亜鉛等の無機脱水剤類；例えばジシクロヘキシルカルボジイミド、ジイソプロピルカルボジイミド、1-エチル-3-(3-ジメチルアミノプロピルカルボジイミド)塩酸塩等のカルボジイミド類；例えばポリリン酸、無水酢酸、硫酸、カルボニルジイミダゾ−ル、p-トルエンスルホン酸等が挙げられ、中でもカルボジイミド類が好ましい。該脱水縮合剤の使用量は、一般式（３６）で示される化合物のmol数に対して、通常１〜２０当量、好ましくは１〜１０当量である。上記反応［IV-I］〜［IV-IV］においては、脱水縮合剤の効率を向上させるために、ジメチルアミノピリジン等の触媒を用いてもよい。該触媒の使用量は、一般式（３６）で示される化合物のmol数に対して、通常０．１〜１０当量である。
【０３６０】
一般式（１）においてＲ６以外の官能基（Ｒ２、Ｒ３、ｎ１個のＲ５及び／又はＲ３１）が重合性不飽和基を有する基である化合物の製造方法としては、例えば、一般式（３６）、（３６'）及び（３８−１）〜（３８−４）で示される化合物におけるＲ102、Ｒ103、ｎ１個のＲ105及び／又はＲ131が、下記一般式（２−５）又は（２−６）で示される基である化合物（以下、ヒドロキシ末端を有する化合物と略記する場合がある）を、塩化アクリロイル、塩化メタクリロイル、無水アクリル酸又は無水メタクリル酸と反応させることにより、一般式（２）で示される重合性不飽和基を有する基を持つ化合物を製造する方法が挙げられる。
2017222006.tif 000102
（式中、Ａ１及びＡ２は、上記と同じ。）
【０３６１】
一般式（２−５）で示される基の具体例としては、下記のものが挙げられる。
2017222006.tif 000103
【０３６２】
上記具体例の中でも、下記のものが好ましい。
2017222006.tif 000104
【０３６３】
一般式（２−６）で示される基の具体例としては、下記のものが挙げられる。
2017222006.tif 000105
【０３６４】
上記製造方法は、上記ヒドロキシ末端を有する化合物と塩化アクリロイル、塩化メタクリロイル、無水アクリル酸又は無水メタクリル酸とを、溶媒中、要すれば重合禁止剤の存在下で、通常０〜８０℃、好ましくは１０〜５０℃で、通常１〜７２時間、好ましくは２〜４８時間反応させればよい。
【０３６５】
上記製造方法における溶媒としては、例えばアセトニトリル、テトラヒドロフラン、ジオキサン、N,N-ジメチルホルムアミド、塩化メチレン、クロロホルム、メタクリル酸、アクリル酸等が挙げられる。これらはそれぞれ単独でも或いは二種以上適宜組み合わせて用いてもよい。反応溶媒の使用量は、ヒドロキシ末端を有する化合物と無水メタクリル酸又は無水アクリル酸との反応の総容量に対して、通常１〜５０倍量、好ましくは１〜２０倍量である。
【０３６６】
塩化アクリロイル、塩化メタクリロイル、無水アクリル酸又は無水メタクリル酸の使用量は、ヒドロキシ末端を有する化合物のmol数に対して、通常１〜２０当量、好ましくは１〜１０当量である。
【０３６７】
上記製造方法において、塩化アクリロイル又は無水アクリル酸を使用した場合、ヒドロキシ末端を有する化合物におけるヒドロキシ末端はアクリロイル基となる。また、上記製造方法において、塩化メタクリロイル又は無水メタクリル酸を使用した場合、ヒドロキシ末端を有する化合物におけるヒドロキシ末端はメタクリロイル基となる。
【０３６８】
上記製造方法における重合禁止剤としては、例えばp-メトキシフェノール等が挙げられる。
【０３６９】
上記製造方法におけるヒドロキシ末端を有する化合物は、反応［I］〜［IV-IV］又は［I'］〜［III'］において、一般式（３１）で示される化合物の代わりに下記一般式（４０−１）〜（４０−３）で示される化合物を用いる、一般式（３２）で示される化合物の代わりに下記一般式（４０−４）で示される化合物を用いる、或いは、一般式（３９）で示される化合物の代わりに下記一般式（４０−５）で示される化合物を用いることにより製造することができる。
2017222006.tif 000106
｛式中、Ｒ39は、一般式（２−５）又は（２−６）で示される基を表し、Ｒ１、Ｒ102、Ｒ103、Ｒ４、ｎ５個のＲ105、Ｒ38及びｎ５は、上記と同じ。｝
【０３７０】
一般式（４０−１）〜（４０−３）及び（４０−５）において、Ｒ39は一般式（２−６）で示される基が好ましい。
【０３７１】
一般式（４０−４）において、Ｒ39は一般式（２−５）で示される基が好ましい。
【０３７２】
一般式（４０−１）〜（４０−４）で示される化合物の具体例としては、下記のものが挙げられる。一般式（４０−１）〜（４０−４）で示される化合物は、市販のもの、あるいは自体公知の方法によって適宜合成したものを用いればよい。
2017222006.tif 000107
【０３７３】
一般式（４０−５）で示される化合物の具体例としては、例えばフルオロメタノール、フルオロエタノール、1-フルオロプロパノール、2-フルオロプロパノール、クロロメタノール、クロロエタノール、1-クロロプロパノール、2-クロロプロパノール、ブロモメタノール、ブロモエタノール、1-ブロモプロパノール、2-ブロモプロパノール、ヨードメタノール、ヨードエタノール、1-ヨードプロパノール、2-ヨードプロパノール等が挙げられる。一般式（４０−５）で示される化合物は、市販のもの、あるいは自体公知の方法によって適宜合成したものを用いればよい。
【０３７４】
ヒドロキシ末端を有する化合物を得る反応は、一般式（４０−１）〜（４０−５）で示される化合物を用いる以外、反応［I］〜［IV-IV］又は［I'］〜［III'］と同様の反応条件（反応溶媒、反応温度、反応時間、各使用量）で行えばよい。
【０３７５】
上述した本発明の消光剤の製造方法にかかる各反応時の圧力は、一連の反応が滞りなく実施されれば特に制限はなく、例えば常圧で行えばよい。
【０３７６】
上述した本発明の消光剤の製造方法にかかる各反応後に得られる反応物及び生成物は、必要に応じて、通常この分野で行われる一般的な後処理操作及び精製操作により単離してもよい。具体的には例えば、ろ過、洗浄、抽出、減圧濃縮、再結晶、蒸留、カラムクロマトグラフィ−等を行うことによって得られた反応物及び生成物を単離してもよい。
【０３７７】
［本発明の化合物］
本発明の化合物は、本発明の消光剤の項において記載した一般式（３）で示される化合物である。各官能基の具体例及び好ましい範囲は、本発明の消光剤の項において記載したものと同じものが挙げられる。
【０３７８】
本発明の化合物としては、一般式（３）で示される化合物の中でも、上記一般式（３−１）で示される化合物が好ましく、上記一般式（３−２）で示される化合物がより好ましく、上記一般式（３−３）で示される化合物がさらに好ましく、上記一般式（３−４）で示される化合物がさらにより好ましく、上記一般式（３−５）で示される化合物が特に好ましい。
【０３７９】
本発明の化合物は、蛍光性を有する化合物に対する消光効果に加え、加熱による退色が少なく、高い耐熱効果を奏する。それ故、本発明の化合物は、消光剤用途としてのみならず、該化合物そのものを染料として用いることもできる。
【０３８０】
［本発明の化合物の製造方法］
本発明の化合物のうち、例えば、一般式（３）においてＲ６以外の官能基（Ｒ２、Ｒ３、ｎ１個のＲ５及びＲ３１）が重合性不飽和基を有する基を持たず、且つ、Ｒ６が一般式（２）で示される重合性不飽和基を有する基であり、Ａｒ１が一般式（１−１）で示される環構造であるもの｛上記一般式（３８−４）で示される化合物｝は、上記本発明の消光剤の製造方法における反応［I］〜［III］及び［IV-IV］で示される一連の方法と同様の方法で製造することができる。
【０３８１】
また、本発明の化合物のうち、例えば、一般式（３）においてＲ６以外の官能基（Ｒ２、Ｒ３、ｎ１個のＲ５及びＲ３１）が重合性不飽和基を有する基であるものは、上記本発明の消光剤の製造方法における、ヒドロキシ末端を有する化合物を塩化アクリロイル、塩化メタクリロイル、無水アクリル酸又は無水メタクリル酸と反応させることにより、一般式（２）で示される重合性不飽和基を有する基を持つ化合物を製造する方法と同様の方法で製造することができる。
【０３８２】
［本発明のポリマー］
本発明のポリマーは、上記本発明の化合物由来のモノマー単位を有するポリマーである。
【０３８３】
本発明のポリマーの重量平均分子量（Ｍｗ）は、通常２，０００〜１００，０００、好ましくは２，０００〜５０，０００、より好ましくは、２，０００〜３０，０００である。また、その分散度（Ｍｗ／Ｍｎ）は、通常１．００〜５．００、好ましくは１．００〜３．００である。
【０３８４】
本発明のポリマーは、上記本発明の化合物由来のモノマー単位を有するものであれば、ホモポリマーであってもコポリマーであってもよいが、耐熱性効果が高いという点でコポリマーが好ましい。
【０３８５】
該コポリマーとしては、例えば重合性不飽和基を有する蛍光性染料由来のモノマー単位及び／又は下記一般式（４）、一般式（５）、一般式（６）もしくは一般式（７）で示される化合物由来のモノマー単位１〜２種と、上記一般式（３）で示される化合物由来のモノマー単位とを構成成分とするものが挙げられる（以下、本発明のコポリマーと略記する場合がある）。
【０３８６】
2017222006.tif 000108
［式中、Ｒ１１は、水素原子又はメチル基を表し、Ｒ１２は、水素原子、炭素数１〜２０のアルキル基、炭素数１〜１０のヒドロキシアルキル基、炭素数６〜１０のアリール基、炭素数７〜１３のアリールアルキル基、炭素数２〜９のアルコキシアルキル基、炭素数３〜９のアルコキシアルコキシアルキル基、炭素数７〜１３のアリールオキシアルキル基、炭素数５〜７のモルホリノアルキル基、炭素数３〜９のトリアルキルシリル基、酸素原子を有する炭素数６〜１２の脂環式炭化水素基、炭素数３〜９のジアルキルアミノアルキル基、炭素数１〜１８のフルオロアルキル基、炭素数９〜１４のＮ−アルキレンフタルイミド基、下記一般式（４−１）で示される基
2017222006.tif 000109
（式中、ｑ個のＲ２１はそれぞれ独立して、ヒドロキシ基を置換基として有する又は無置換の炭素数１〜３のアルキレン基を表し、Ｒ２２は、ヒドロキシ基を置換基として有する又は無置換のフェニル基、或いは炭素数１〜３のアルキル基を表し、ｑは１〜３の整数を表す。）、下記一般式（４−２）で示される基
2017222006.tif 000110
（式中、Ｒ２３〜Ｒ２５はそれぞれ独立して、炭素数１〜３のアルキル基を表し、Ｒ２６は炭素数１〜３のアルキレン基を表す。）、又は、下記一般式（４−３）で示される基
2017222006.tif 000111
（式中、Ｒ２７はフェニレン基又はシクロへキシレン基を表し、ｌは、１〜６の整数を表す。）を表す。］、
2017222006.tif 000112
（式中、Ｒ１３は、水素原子又は炭素数１〜３のアルキル基を表し、Ｒ１４は、水素原子、炭素数１〜３のアルキル基、炭素数３〜９のジアルキルアミノアルキル基又は炭素数１〜１０のヒドロキシアルキル基を表し、Ｒ１１は上記と同じ。Ｒ１３とＲ１４は、これらと隣接する窒素原子とでモルホリノ基を形成してもよい。）、
2017222006.tif 000113
（式中、Ｒ１５は、フェニル基又はピロリジノ基を表し、Ｒ１１は上記と同じ。）、
2017222006.tif 000114
（式中、Ｒ１７は、窒素原子又は酸素原子を表し、Ｒ１６は、水素原子、炭素数１〜２０のアルキル基、炭素数１〜１０のヒドロキシアルキル基、炭素数１〜１０のハロゲン化アルキル基、炭素数６〜１０のアリール基、又は、ハロゲノ基もしくは炭素数１〜６のアルキル基を置換基として有する炭素数６〜１０のアリール基表し、ｊは、Ｒ１７が酸素原子の場合に０を表し、Ｒ１７が窒素原子の場合には１を表す。）
【０３８７】
上記重合性不飽和基を有する蛍光性染料由来のモノマー単位としては、上述した重合性消光対象化合物由来のモノマー単位、即ち、重合性不飽和基を有し、且つ、蛍光性を有する化合物に由来するものであって、一般式（３）で示される化合物と重合してコポリマーを形成し得るものであればよい。
【０３８８】
上記重合性不飽和基の具体例としては、例えばアクリロイル基、メタクリロイル基、ビニルアリール基、ビニルオキシ基、アリル基等が挙げられる。
【０３８９】
上記重合性不飽和基を有する蛍光性染料としては、重合性消光対象化合物として挙げたものと同じものが挙げられ、好ましいものも同じである。
【０３９０】
上記重合性不飽和基を有する蛍光性染料としては、例えば、特開平０５−２７１５６７号公報、特開平０９−２７２８１４号公報、特開２００１−０１１３３６号公報、特開２０１３−０４５０８８号公報、国際公開第２０１４／１２６１６７号公報、国際公開第２０１５／０９８９９９号公報、国際公開第２０１５／１３３５７８号公報、国際公開第２０１５／１４７２８５号公報、国際公開第２０１５／１８２６８０号公報等の公報に記載のものであっても、市販のものであってもよい。
【０３９１】
一般式（４）におけるＲ１１としては、メチル基が好ましい。
【０３９２】
一般式（４）のＲ１２及び一般式（７）のＲ１６における炭素数１〜２０のアルキル基としては、一般式（１）のＲ５における炭素数１〜２０のアルキル基と同じものが挙げられ、好ましいものも同じである。
【０３９３】
一般式（４）のＲ１２、一般式（５）のＲ１４及び一般式（７）のＲ１６における炭素数１〜１０のヒドロキシアルキル基としては、例えば、ヒドロキシメチル基、ヒドロキシエチル基、ヒドロキシプロピル基、ヒドロキシブチル基、ヒドロキシペンチル基、ヒドロキシヘキシル基、ヒドロキシヘプチル基、ヒドロキシオクチル基、ヒドロキシノニル基、ヒドロキシデシル基等が挙げられる。
【０３９４】
一般式（４）のＲ１２及び一般式（７）のＲ１６における炭素数６〜１０のアリール基としては、フェニル基、ナフチル基等が挙げられる。
【０３９５】
一般式（４）のＲ１２における炭素数７〜１３のアリールアルキル基としては、例えば、ベンジル基、フェニルエチル基、フェニルプロピル基、ナフチルメチル基、ナフチルエチル基、ナフチルプロピル基等が挙げられ、ベンジル基が好ましい。
【０３９６】
一般式（４）のＲ１２における炭素数２〜９のアルコキシアルキル基としては、例えば、メトキシメチル基、メトキシエチル基、メトキシプロピル基、メトキシブチル基、メトキシペンチル基、メトキシヘキシル基、メトキシヘプチル基、メトキシオクチル基、エトキシメチル基、エトキシエチル基、エトキシプロピル基、エトキシブチル基、エトキシペンチル基、エトキシヘキシル基、エトキシヘプチル基、プロポキシメチル基、プロポキシエチル基、プロポキシプロピル基、プロポキシブチル基、プロポキシペンチル基、プロポキシヘキシル基等が挙げられる。
【０３９７】
一般式（４）のＲ１２における炭素数３〜９のアルコキシアルコキシアルキル基としては、例えば、メトキシメトキシメチル基、メトキシメトキシエチル基、メトキシメトキシプロピル基、エトキシメトキシメチル基、エトキシメトキシエチル基、エトキシメトキシプロピル基、プロポキシメトキシメチル基、プロポキシメトキシエチル基、プロポキシメトキシプロピル基、エトキシエトキシメチル基、エトキシエトキシエチル基、エトキシエトキシプロピル基、プロポキシエトキシメチル基、プロポキシエトキシエチル基、プロポキシエトキシプロピル基、プロポキシプロポキシメチル基、プロポキシプロポキシエチル基、プロポキシプロポキシプロピル基等が挙げられる。
【０３９８】
一般式（４）のＲ１２における炭素数７〜１３のアリールオキシアルキル基としては、例えば、フェノキシメチル基、フェノキシエチル基、フェノキシプロピル基、ナフチルオキシメチル基、ナフチルオキシエチル基、ナフチルオキシプロピル基等が挙げられる。
【０３９９】
一般式（４）のＲ１２における炭素数５〜７のモルホリノアルキル基としては、例えば、モルホリノメチル基、モルホリノエチル基、モルホリノプロピル基等が挙げられる。
【０４００】
一般式（４）のＲ１２における炭素数３〜９のトリアルキルシリル基としては、例えば、トリメチルシリル基、トリエチルシリル基、トリプロピルシリル基、ジメチルエチルシリル基、ジエチルメチルシリル基等が挙げられる。
【０４０１】
一般式（４）のＲ１２における、酸素原子を有する炭素数６〜１２の脂環式炭化水素基としては、例えば、ジシクロペンテニルオキシエチル基等が挙げられる。
【０４０２】
一般式（４）のＲ１２及び一般式（５）のＲ１４における炭素数３〜９のジアルキルアミノアルキル基としては、例えば、N,N-ジメチルアミノメチル基、N,N-ジメチルアミノエチル基、N,N-ジメチルアミノプロピル基、N,N-ジエチルアミノメチル基、N,N-ジエチルアミノエチル基、N,N-ジエチルアミノプロピル基、N,N-ジプロピルアミノメチル基、N,N-ジプロピルアミノエチル基、N,N-ジプロピルアミノプロピル基等が挙げられる。
【０４０３】
一般式（４）のＲ１２における炭素数１〜１８のフルオロアルキル基としては、例えば、2,2,2-トリフルオロエチル基、2,2,3,3-テトラフルオロプロピル基、2,2,3,3,4,4-ヘキサフルオロブチル基、2,2,3,3,4,4,5,5-オクタフルオロペンチル基、3,3,4,4,5,5,6,6,7,7,8,8,9,9,10,10,10-ヘプタデカフルオロデシル基、2-(ヘプタデカフルオロオクチル)エチル基等が挙げられる。
【０４０４】
一般式（４）のＲ１２における炭素数９〜１４のＮ−アルキレンフタルイミド基としては、例えば、2-フタルイミドエチル基、2-テトラヒドロフタルイミドエチル基等が挙げられる。
【０４０５】
一般式（４−１）のＲ２１におけるヒドロキシ基を置換基として有する又は無置換の炭素数１〜３のアルキレン基としては、メチレン基、エチレン基、トリメチレン基、ヒドロキシメチレン基、ヒドロキシエチレン基、1-ヒドロキシトリメチレン基、2-ヒドロキシトリメチレン基等が挙げられ、エチレン基、トリメチレン基、2-ヒドロキシトリメチレン基が好ましい。
【０４０６】
一般式（４−１）のＲ２２におけるヒドロキシ基を置換基として有する又は無置換のフェニル基としては、ヒドロキシフェニル基、フェニル基等が挙げられる。
【０４０７】
一般式（４−１）のＲ２２、一般式（４−２）のＲ２３〜Ｒ２５、及び一般式（５）のＲ１３及びＲ１４における炭素数１〜３のアルキル基としては、メチル基、エチル基、n-プロピル基、イソプロピル基が挙げられる。
【０４０８】
一般式（４−１）で示される基の具体例としては、(4-ヒドロキシフェノキシ)メチル基、(4-ヒドロキシフェノキシ)エチル基、(4-ヒドロキシフェノキシ)プロピル基、1-ヒドロキシ-1-フェノキシメチル基、1-ヒドロキシ-2-フェノキシエチル基、2-ヒドロキシ-3-フェノキシプロピル基、メチルトリメチレングリコール基、メチルトリエチレングリコール基、メチルトリプロピレングリコール基等が挙げられ、中でも(4-ヒドロキシフェノキシ)プロピル基、2-ヒドロキシ-3-フェノキシプロピル基、メチルトリプロピレングリコール基、メチルトリエチレングリコール基が好ましい。
【０４０９】
一般式（８）のＲ２６における炭素数１〜３のアルキレン基としては、メチレン基、エチレン基、トリメチレン基等が挙げられる。
【０４１０】
一般式（４−２）で示される基の具体例としては、トリメチルアンモニウムメチル基、トリメチルアンモニウムエチル基、トリエチルアンモニウムメチル基、トリエチルアンモニウムエチル基等が挙げられる。
【０４１１】
一般式（４−３）で示される基の好ましい具体例としては、例えば、下記のものが挙げられる。
2017222006.tif 000115
【０４１２】
一般式（４）におけるＲ１２としては、水素原子、炭素数１〜２０のアルキル基、炭素数１〜１０のヒドロキシアルキル基、炭素数６〜１０のアリール基、炭素数７〜１３のアリールアルキル基、炭素数２〜９のアルコキシアルキル基、炭素数７〜１３のアリールオキシアルキル基、一般式(４−１)で示される基、一般式(４−３)で示される基が好ましく、中でも水素原子、炭素数１〜２０のアルキル基、炭素数１〜１０のヒドロキシアルキル基、炭素数６〜１０のアリール基、炭素数７〜１３のアリールアルキル基、炭素数２〜９のアルコキシアルキル基がより好ましく、水素原子、炭素数１〜１２のアルキル基、炭素数７〜１３のアリールアルキル基がさらに好ましく、炭素数１〜４のアルキル基が特に好ましい。
【０４１３】
一般式（４）の好ましい具体例としては、アクリル酸、アクリル酸ベンジル、メタクリル酸、メタクリル酸ベンジル、ヒドロキシエチルメタクリレート、メタクリル酸メチル等が挙げられ、中でもメタクリル酸、メタクリル酸ベンジル、メタクリル酸メチルが好ましく、メタクリル酸メチルがより好ましい。
【０４１４】
一般式（５）の好ましい具体例としては、アクリルアミド、メタクリルアミド、N,N-ジメチルアクリルアミド、N,N-ジメチルメタクリルアミド、N,N-ジエチルアクリルアミド、N,N-ジエチルメタクリルアミド、ヒドロキシエチルアクリルアミド、ヒドロキシエチルメタクリルアミド、4-アクリロイルモルホリン、4-メタクリロイルモルホリン等が挙げられ、中でもアクリルアミド、メタクリルアミド、N,N-ジメチルアクリルアミド、N,N-ジエチルアクリルアミドが好ましく、N,N-ジエチルアクリルアミドがより好ましい。
【０４１５】
一般式（６）の好ましい具体例としては、スチレン、α-メチルスチレン、N-ビニルピロリドン等が挙げられ、中でもスチレン、α-メチルスチレンが好ましく、スチレンがより好ましい。
【０４１６】
一般式（７）のＲ１６における炭素数１〜１０のハロゲン化アルキル基としては、例えば、クロロメチル基、クロロエチル基、クロロ-n-プロピル基、クロロイソプロピル基、クロロ-n-ブチル基、クロロ-tert-ブチル基、クロロ-n-ペンチル基、クロロ-n-ヘキシル基、クロロ-n-ヘプチル基、クロロ-n-オクチル基、クロロ-n-ノニル基、クロロ-n-デシル基、クロロシクロヘキシル基、クロロシクロヘプチル基、フルオロメチル基、フルオロエチル基、フルオロ-n-プロピル基、フルオロイソプロピル基、フルオロ-n-ブチル基、フルオロ-tert-ブチル基、フルオロ-n-ペンチル基、フルオロ-n-ヘキシル基、フルオロ-n-ヘプチル基、フルオロ-n-オクチル基、フルオロ-n-ノニル基、フルオロ-n-デシル基、フルオロシクロヘキシル基、フルオロシクロヘプチル基等が挙げられる。
【０４１７】
一般式（７）のＲ１６におけるハロゲノ基又は炭素数１〜６のアルキル基を置換基として有する炭素数６〜１０のアリール基としては、例えば、クロロフェニル基、フルオロフェニル基、メチルフェニル基、エチルフェニル基、n-プロピルフェニル基、n-ブチルフェニル基、n-ペンチルフェニル基、n-ヘキシルフェニル基、クロロナフチル基、フルオロナフチル基、メチルナフチル基、エチルナフチル基、n-プロピルナフチル基等が挙げられる。
【０４１８】
一般式（７）の好ましい具体例としては、無水マレイン酸、マレイミド、N-メチルマレイミド、N-エチルマレイミド、N-ブチルマレイミド、N-オクチルマレイミド、N-ドデシルマレイミド、N-(2-エチルヘキシル)マレイミド、N-(2-ヒドロキシエチル)マレイミド、N-(2-クロロヘキシル)マレイミド、N-シクロヘキシルマレイミド、N-(2-メチルシクロヘキシル)マレイミド、N-(2-エチルシクロヘキシル)マレイミド、N-(2-クロロシクロヘキシル)マレイミド、N-フェニルマレイミド、N-(2-メチルフェニル)マレイミド、N-(2-エチルフェニル)マレイミド、N-(2-クロロフェニル)マレイミド等が挙げられ、中でも、N-フェニルマレイミドが好ましい。
【０４１９】
本発明のコポリマーは、上述したモノマー単位以外にも、種々の染料を由来とするモノマー単位を含んでいてもよい。ただし、当該染料は、一般式（３）で示される化合物及び重合性不飽和基を有する蛍光性染料とは異なるものである。
【０４２０】
本発明のコポリマーは、具体的には、下記表記載のモノマー単位の組合せが挙げられ、中でも組合せ１、２及び６〜１２が好ましく、組合せ１、２及び６〜９がより好ましく、組合せ１、２及び６が特に好ましい。また、下記組合せ２及び６の中でも、一般式（３）で示される化合物と１種類の一般式（４）で示される化合物とからなる組合せが好ましい。
【０４２１】
2017222006.tif 000116
【０４２２】
一般式（３）で示される化合物由来のモノマー単位と、重合性不飽和基を有する蛍光性染料由来のモノマー単位及び／又は一般式（４）、一般式（５）、一般式（６）もしくは一般式（７）で示される化合物由来のモノマー単位との重量比率は、用いられるモノマー単位の種類によって適宜設定されればよいが、得られるポリマーの総重量に対して一般式（３）で示される化合物由来のモノマー単位が、通常１〜９０重量％、好ましくは５〜８５重量％である。
【０４２３】
本発明のコポリマーの好ましい具体例としては、一般式（３）で示される化合物由来のモノマー単位と、重合性不飽和基を有する蛍光性染料由来のモノマー単位及び／又は下記一般式（４'）で示される化合物由来のモノマー単位１〜２種類を含んでなるポリマーが挙げられる。
2017222006.tif 000117
（式中、Ｒ'１２は、水素原子、炭素数１〜２０のアルキル基、炭素数１〜１０のヒドロキシアルキル基、炭素数６〜１０のアリール基、炭素数７〜１３のアリールアルキル基又は炭素数２〜９のアルコキシアルキル基を表し、Ｒ１１は、上記と同じ。）
【０４２４】
一般式（４'）のＲ'１２における炭素数１〜２０のアルキル基、炭素数１〜１０のヒドロキシアルキル基、炭素数６〜１０のアリール基、炭素数７〜１３のアリールアルキル基、及び炭素数２〜９のアルコキシアルキル基の具体例は、上記一般式（４）におけるＲ１２のそれらと同じものが挙げられる。
【０４２５】
一般式（４'）におけるＲ'１２としては、水素原子、炭素数１〜１２のアルキル基、炭素数７〜１３のアリールアルキル基が好ましく、炭素数１〜４のアルキル基がより好ましい。
【０４２６】
一般式（４'）の好ましい具体例としては、アクリル酸、アクリル酸ベンジル、メタクリル酸、メタクリル酸ベンジル、メタクリル酸メチル等が挙げられ、中でもメタクリル酸、メタクリル酸ベンジル、メタクリル酸メチルが好ましく、メタクリル酸メチルがより好ましい。
【０４２７】
本発明のポリマーは、蛍光性を有する化合物に対する消光効果に加え、加熱による退色が少なく、高い耐熱効果を奏する。また、本発明のポリマーは、耐溶出性及び耐候性にも優れている。それ故、本発明のポリマーは、消光剤用途としてのみならず、該ポリマーそのものを染料として用いることもできる。
【０４２８】
また、本発明のポリマーが重合性不飽和基を有する蛍光性染料由来のモノマー単位を含んでなるものである場合、当該ポリマーに含まれる本発明の化合物（モノマー）は、当該ポリマーに含まれる蛍光性染料の発する蛍光をポリマー分子内で抑制することができる。すなわち、当該ポリマーは、重合性不飽和基を有する蛍光性染料のみからなるポリマーと比べて蛍光発光が抑制されており、染料としてより好適に用いることができる。
【０４２９】
上記重合性不飽和基を有する蛍光性染料を含んでなる本発明のポリマーは、本発明の化合物由来のモノマー単位を含んでなるポリマー（ポリマー１）と重合性不飽和基を有する蛍光性染料由来のモノマー単位を含んでなるポリマー（ポリマー２）の２種類のポリマーを混合することにより得られる効果を、当該ポリマー１種類で得ることができる。即ち、例えば、カラーフィルター等の着色画素を上記ポリマー２から形成する際、ポリマー２の蛍光発光を抑制するためには、上記ポリマー１及びポリマー２の２種類のポリマーで２層のフィルター層を形成する必要がある。これに対し、当該重合性不飽和基を有する蛍光性染料を含んでなる本発明のポリマーを着色画素の形成に用いる場合、ポリマー１及びポリマー２から形成される２層のフィルター層と同様に蛍光を抑制した着色画素を、１層のフィルター層で容易に形成することができ、フィルター層全体の厚みを薄くすることも可能となる。
【０４３０】
尚、本発明のポリマーを消光剤として用いる場合、消光対象化合物は本発明の消光剤の項で記載したものと同じものが挙げられ、その使用量、使用方法等についても本発明の消光剤の項で記載した量、方法等に準じればよい。
【０４３１】
［本発明のポリマーの製造方法］
本発明のポリマーは、例えば以下の如く製造される。即ち、上記の如く得られた本発明の化合物を自体公知の重合反応に付すことにより、本発明のポリマーを得ることができる。本発明のポリマーがコポリマーの場合には、重合反応の際に、上記一般式（３）で示される化合物と、重合性不飽和基を有する蛍光性染料及び／又は一般式（４）、一般式（５）、一般式（６）もしくは一般式（７）で示される化合物の１〜２種類とを、最終的に得られるポリマー中の各モノマーに由来するモノマー単位の比率が上記の如くなるように混合した後、重合させればよい。
【０４３２】
上記重合反応としては、例えば、以下の如くなされる。即ち、一般式（３）で示される化合物、或いは、一般式（３）で示される化合物と重合性不飽和基を有する蛍光性染料及び／又は一般式（４）、一般式（５）、一般式（６）もしくは一般式（７）で示される化合物の１〜２種類とを、その総容量に対して１〜１０倍容量の適当な溶媒、例えばトルエン、1,4-ジオキサン、テトラヒドロフラン、イソプロパノール、メチルエチルケトン、プロピレングリコールモノメチルエーテルアセテート等に溶解する。次いで、溶解した化合物の全量に対して０．０１〜３０重量％の重合開始剤、例えばアゾビスイソブチロニトリル、2,2'-アゾビス(2,4-ジメチルバレロニトリル)、2,2'-アゾビス(2-メチルプロピオネート)、2,2'-アゾビス(2-メチルブチロニトリル)、過酸化ベンゾイル、過酸化ラウロイル等の存在下、５０〜１５０℃で１〜４８時間反応させることにより行なわれる。反応後は高分子取得の常法に従って処理してもよい。
【０４３３】
［着色組成物１］
上述の通り、本発明の化合物又はポリマーは、消光剤用途としてのみならず、当該化合物又はポリマーそのものを染料として用いることもできる。そのため、本発明の化合物又はポリマーを少なくとも１種類含む着色組成物（以下、本発明の着色組成物１と略記する場合がある）は、加熱による退色が少ない着色組成物であり、さらに、耐熱性を有する優れた着色硬化膜を形成することができる。そのため、本発明の着色組成物１は、液晶表示装置（ＬＣＤ）や固体撮像素子（ＣＣＤ、ＣＭＯＳ等）に用いられるカラーフィルター等の着色画素形成用途、印刷インキ、インクジェットインキ、および塗料等の用途に用いることができ、特に、液晶表示装置のカラーフィルター用として好適である。さらに、本発明の着色組成物１は、従来公知の成形方法により、シート、フィルム、ボトル、カップ等に成形して着色樹脂成形物として使用することもできる。よって、メガネ、カラーコンタクトレンズ等の用途にも使用することができ、公知の樹脂との多層構造体とすることによっても同様に使用することができる。その他にも、例えば光学フィルム、ヘアカラーリング剤、化合物や生体物質に対する標識物質、有機太陽電池の材料等の用途にも用いることが可能である。本発明の着色組成物１は、各用途に合わせて、上記本発明の化合物又はポリマーの他に、この分野で通常用いられる添加剤等を含んでいてもよい。
【０４３４】
例えば本発明の着色組成物１を着色樹脂用途として用いる場合、本発明の着色組成物１は、少なくとも上記本発明の化合物又はポリマーを１種以上含み、且つ、その他の樹脂と混合しているものが好ましく、本発明のポリマーを１種以上含み、且つ、その他の樹脂と混合しているものがより好ましい。その他の樹脂としては特に限定されないが、例えばポリオレフィン樹脂、ポリスチレン樹脂、ポリエステル樹脂、ポリアミド樹脂、ポリウレタン樹脂、ポリカーボネート樹脂、エポキシ樹脂、アクリル樹脂、アクリロニトリル樹脂等が挙げられる。その他の樹脂のより具体的な例としては、上記重合性不飽和基を有する蛍光性染料、一般式（４）で示される化合物、一般式（５）で示される化合物、一般式（６）で示される化合物及び一般式（７）で示される化合物から選ばれる１種に由来するホモポリマー、又はこれらから選ばれる２種以上に由来するコポリマーが好ましく、ホモポリマーがより好ましい。ホモポリマーとしては、重合性不飽和基を有する蛍光性染料由来のホモポリマー及び一般式（４）で示される化合物由来のホモポリマーが好ましく、重合性不飽和基を有する蛍光性染料由来のホモポリマー及び上記一般式（４'）で示される化合物由来のホモポリマーがより好ましい。また、その他の樹脂と混合させる場合、その混合割合は、求められる着色樹脂の色に応じて適宜設定されればよい。本発明の着色組成物１を着色樹脂として用いる場合、自体公知の成形方法により成形して用いてもよい。さらに、本発明の着色組成物１は、上記本発明の化合物又はポリマー及び要すればその他の樹脂の他にも、本発明の目的及び効果を妨げない範囲において、滑性剤、帯電防止剤、紫外線防止剤、酸化防止剤、光安定剤、分散剤、加工安定剤、加工助剤、耐衝撃性改良剤、充填剤、補強剤、防炎剤、可塑剤、発泡剤等のこの分野で通常用いられる添加剤を含んでいてもよい。本発明の着色組成物１は、着色樹脂用途として用いる場合、溶媒に接触させても染料の溶出が少なく、優れた耐候性を有するものである。
【０４３５】
例えば本発明の着色組成物１を着色画素形成用途として用いる場合、本発明の着色組成物１は、少なくとも本発明の化合物又はポリマーを１種以上、重合開始剤、バインダー樹脂並びにラジカル重合性モノマー又はオリゴマーを含むものが好ましく、必要に応じて、顔料、溶剤、シランカップリング剤並びに架橋剤等を含んでいてもよい。本発明の着色組成物１は、本発明の化合物又はポリマーを、本発明の着色組成物１の重量に対して１〜５０重量％、好ましくは５〜３０重量％含有する。尚、ここでいう本発明の着色組成物１の重量は、溶剤を除く固形成分の重量を意味し、以下本発明では同様の意味を表す。
【０４３６】
上記重合開始剤としては、通常この分野で用いられる従来公知の熱重合開始剤又は光重合開始剤を用いることができ、光重合開始剤が好ましい。具体的には例えば、ジエトキシアセトフェノン、2-ヒドロキシ-2-メチル-1-フェニルプロパン-1-オン、ベンジルジメチルケタール、1-(4-イソプロピルフェニル)-2-ヒドロキシ-2-メチルプロパン-1-オン、4-(2-ヒドロキシエトキシ)フェニル-(2-ヒドロキシ-2-プロピル)ケトン、1-ヒドロキシシクロヘキシル-フェニルケトン、2-メチル-2-モルホリノ(4-チオメチルフェニル)プロパン-1-オン、2-ベンジル-2-ジメチルアミノ-1-(4-モルホリノフェニル)-ブタノン等のアセトフェノン系；ベンゾイン、ベンゾインイソプロピルエーテル、ベンゾインイソブチルエーテル等のベンゾイン系；2,4,6-トリメチルベンゾイルジフェニルホスフィンオキサイド等のアシルホスフィンオキサイド系；ベンジル、メチルフェニルグリオキシエステル系；ベンゾフェノン、ο-ベンゾイル安息香酸メチル、4-フェニルベンゾフェノン、4,4'-ジクロロベンゾフェノン、ヒドロキシベンゾフェノン、4-ベンゾイル-4'-メチル-ジフェニルサルファイド、アクリル化ベンゾフェノン、3,3',4,4'-テトラ(tert-ブチルパーオキシカルボニル)ベンゾフェノン、3,3'-ジメチル-4-メトキシベンゾフェノン等のベンゾフェノン系；2-イソプロピルチオキサントン、2,4-ジメチルチオキサントン、2,4-ジエチルチオキサントン、2,4-ジクロロチオキサントン等のチオキサントン系；ミヒラーケトン、4,4'-ジエチルアミノベンゾフェノン等のアミノベンゾフェノン系；1-[4-(フェニルチオ)フェニル]-1,2-オクタンジオン-2-(ο-ベンゾイルオキシム)、1-[6-(2-メチルベンゾイル)-9-エチル-9H-カルバゾール-3-イル]エタノン-ο-アセチルオキシム等のオキシムエステル系；10-ブチル-2-クロロアクリドン、2-エチルアンスラキノン、9,10-フェナンスレンキノン、カンファーキノン等が挙げられる。
【０４３７】
上記重合開始剤は、単独でも２種以上を含有してもよい。その含有量は、本発明の着色組成物１の重量に対して１〜５０重量％、好ましくは５〜３０重量％である。
【０４３８】
上記バインダー樹脂としては、例えば、カルボキシ基又はヒドロキシ基を少なくとも１つ有するエチレン性不飽和モノマー、或いは該エチレン性不飽和モノマーと芳香族炭化水素基や脂肪族炭化水素基を有するエチレン性不飽和モノマーとの共重合体、該共重合体の側鎖もしくは末端等にエポキシ基を有したものや、アクリレートを付加させたもの等が挙げられる。これらは単独でも２種以上を組み合わせてもよい。
【０４３９】
上記カルボキシ基を有するエチレン性不飽和モノマーの具体例としては、アクリル酸、メタクリル酸、ベンジルメタクリレート、クロトン酸、α-クロルアクリル酸、エタクリル酸、けい皮酸等の不飽和モノカルボン酸類；マレイン酸、無水マレイン酸、フマル酸、イタコン酸、無水イタコン酸、シトラコン酸、無水シトラコン酸、メサコン酸等の不飽和ジカルボン酸（無水物）類；３価以上の不飽和多価カルボン酸（無水物）類、2-アクリロイロキシエチルヘキサヒドロフタル酸、2-メタクリロイロキシエチルヘキサヒドロフタル酸、2-メタクリロイロキシエチル2-ヒドロキシプロピルフタル酸、2-アクリロイロキシエチル2-ヒドロキシエチルフタル酸等が挙げられる。
【０４４０】
上記バインダー樹脂の含有量は、本発明の着色組成物１の重量に対して、１０〜５０重量％、好ましくは２０〜５０重量％である。
【０４４１】
上記ラジカル重合性モノマーまたはオリゴマーとしては、一例として、ポリエチレングリコールジアクリレート（エチレン基の数が２〜１４のもの）、ポリエチレングリコールジメタクリレート（エチレン基の数が２〜１４のもの）、トリメチロールプロパンジアクリレート、トリメチロールプロパンジメタクリレート、トリメチロールプロパントリアクリレート、トリメチロールプロパントリメタクリレート、トリメチロールプロパンエトキシトリアクリレート、トリメチロールプロパンエトキシトリメタクリレート、トリメチロールプロパンプロポキシトリアクリレート、トリメチロールプロパンプロポキシトリメタクリレート、テトラメチロールメタントリアクリレート、テトラメチロールメタントリメタクリレート、テトラメチロールメタンテトラアクリレート、テトラメチロールメタンテトラメタクリレート、ポリプロピレングリコールジアクリレート（プロピレン基の数が２〜１４のもの）、ポリプロピレングリコールジメタクリレート（プロピレン基の数が２〜１４のもの）、ジペンタエリスリトールペンタアクリレート、ジペンタエリスリトールペンタメタクリレート、ジペンタエリスリトールヘキサアクリレート、ジペンタエリスリトールヘキサメタクリレート、エトキシ化ペンタエリスリトールテトラアクリレート（エトキシ基が４０以下のもの）、プロポキシ化ペンタエリスリトールテトラアクリレート（プロポキシ基が４０以下のもの）、エトキシ化トリメチロールプロパントリアクリレート（エトキシ基が４０以下のもの）、プロポキシ化トリメチロールプロパントリアクリレート（プロポキシ基が４０以下のもの）、ビスフェノールＡポリオキシエチレンジアクリレート、ビスフェノールＡポリオキシエチレンジメタクリレート、ビスフェノールＡジオキシエチレンジアクリレート、ビスフェノールＡジオキシエチレンジメタクリレート、ビスフェノールＡトリオキシエチレンジアクリレート、ビスフェノールＡトリオキシエチレンジメタクリレート、ビスフェノールＡデカオキシエチレンジアクリレート、ビスフェノールＡデカオキシエチレンジメタクリレート、イソシアヌル酸エトキシ変性トリアクリレート、多価カルボン酸（無水フタル酸等）とヒドロキシ基及びエチレン性不飽和基を有する化合物（β-ヒドロキシエチルアクリレート、β-ヒドロキシエチルメタクリレート等）とのエステル化物、アクリル酸若しくはメタクリル酸のアルキルエステル（アクリル酸メチルエステル、メタクリル酸メチルエステル、アクリル酸エチルエステル、メタクリル酸エチルエステル、アクリル酸ブチルエステル、メタクリル酸ブチルエステル、アクリル酸2-エチルヘキシルエステル、メタクリル酸2-エチルヘキシルエステル等）、2-ヒドロキシエチルアクリレート、2-ヒドロキシエチルメタクリレート、フェノキシエチルアクリレート、フェノキシエチルメタクリレート、N,N-ジメチルアクリルアミド、N,N-ジメチルアミノエチルアクリレート、N,N-ジメチルアミノエチルアクリレートのメチルクロライドによる四級塩化物、N,N-ジメチルアミノプロピルアクリルアミドのメチルクロライドによる四級塩化物、アクリロイルモルホリン、N-イソプロピルアクリルアミド、N,N-ジエチルアクリルアミドなどが挙げられ、中でも、ジペンタエリスリトールペンタアクリレート、ジペンタエリスリトールペンタメタクリレート、ジペンタエリスリトールヘキサアクリレート、ジペンタエリスリトールヘキサメタクリレートが好ましく、ジペンタエリスリトールペンタアクリレート、ジペンタエリスリトールヘキサアクリレートがより好ましい。
【０４４２】
上記顔料としては、赤色や青色、緑色の着色パターンを作製するために用いられる顔料であればよく、例えばフタロシアニン系顔料等が挙げられる。該フタロシアニン系顔料としては、中心金属に、マグネシウム、チタン、鉄、コバルト、ニッケル、銅、亜鉛、アルミニウムを含むものが挙げられ、具体的には例えば、Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２４２、Ｃ．Ｉ．ピグメントレッド２４３、Ｃ．Ｉ．ピグメントレッド２５４、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：５、Ｃ．Ｉ．ピグメントブルー１５：６、Ｃ．Ｉ．ピグメントブルー１６、Ｃ．Ｉ．ピグメントブルー１７：１、Ｃ．Ｉ．ピグメントブルー７５、Ｃ．Ｉ．ピグメントブルー７９、Ｃ．Ｉ．ピグメントグリーン７、Ｃ．Ｉ．ピグメントグリーン３６、Ｃ．Ｉ．ピグメントグリーン３７、Ｃ．Ｉ．ピグメントグリーン５８、クロロアルミニウムフタロシアニン、ヒドロキシアルミニウムフタロシアニン、アルミニウムフタロシアニンオキシド、亜鉛フタロシアニンが挙げられる。
【０４４３】
上記顔料の含有量は、本発明の着色組成物１の重量に対して１０〜５０重量％、好ましくは１０〜３０重量％である。
【０４４４】
本発明の着色組成物１が上記顔料を含む場合、顔料分散剤を含有するのが好ましい。該顔料分散剤としては、例えば、ポリアミドアミン及びその塩、ポリカルボン酸及びその塩、高分子量不飽和酸エステル、変性ポリウレタン、変性ポリエステル、変性ポリアクリレート、変性ポリメタクリレート、アクリル系共重合体、メタクリル系共重合体、ナフタレンスルホン酸ホルマリン縮合物、ポリオキシエチレンアルキルリン酸エステル、ポリオキシエチレンアルキルアミン、アルカノールアミン等が挙げられる。顔料分散剤は、単独で使用しても、２種以上を組み合わせて使用してもよい。その含有量は、顔料の重量に対して、通常１〜８０重量％であり、好ましくは１０〜６０重量％である。
【０４４５】
上記溶剤としては、本発明の着色組成物１に含まれる成分に応じて適宜選択すればよい。具体的には例えば、酢酸エチル、酢酸-n-ブチル、酢酸イソブチル、ギ酸アミル、酢酸イソアミル、プロピオン酸ブチル、酪酸イソプロピル、酪酸エチル、酪酸ブチル、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、3-オキシプロピオン酸メチル、3-オキシプロピオン酸エチル、3-メトキシプロピオン酸メチル、3-メトキシプロピオン酸エチル、3-エトキシプロピオン酸メチル、3-エトキシプロピオン酸エチル、2-オキシプロピオン酸メチル、2-オキシプロピオン酸エチル、2-オキシプロピオン酸プロピル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、2-オキソブタン酸メチル、2-オキソブタン酸エチル、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテル、プロピレングリコールモノメチルエーテルアセテート、プロピレングリコールモノエチルエーテルアセテート、プロピレングリコールモノプロピルエーテルアセテート、メチルエチルケトン、シクロヘキサノン、2-ヘプタノン、3-ヘプタノン等が挙げられる。上記溶剤の量は、本発明の着色組成物１の濃度が、溶剤中で通常１０〜８０重量％になる量である。
【０４４６】
上記シランカップリング剤は、ガラス等の基材に結合する場合に用いられる。該シランカップリング剤としては、通常この分野で用いられる従来公知のものを用いることができ、反応性有機官能基として、例えば、エポキシ基、チオール基、ヒドロキシ基、アミノ基、ウレイド基、ビニル基、アクリロイル基などを有するシランカップリング剤が挙げられる。具体的には例えば、β-(3,4-エポキシシクロヘキシル)エチルトリメトキシシラン、γ-グリシドオキシプロピルトリメトキシシラン、γ-メルカプトプロピルトリメトキシシラン、γ-アミノプロピルトリエトキシシラン、N-β-(アミノエチル)-γ-アミノプロピルトリメトキシシラン、γ-ウレイドプロピルトリエトキシシラン、ビニルトリエトキシシラン、ビニル-トリス(β-メトキシエトキシ)シラン、γ-メタクリロキシプロピルトリメトキシシランが挙げられる。上記シランカップリング剤は、反応溶液中で通常０．１〜１０重量％、好ましくは１〜５重量％となる量を用いればよい。
【０４４７】
上記架橋剤としては、架橋反応により膜硬化を行なえるものであれば特に限定されず、例えば、（ａ）エポキシ樹脂、（ｂ）メチロール基、アルコキシメチル基及びアシロキシメチル基から選ばれる少なくとも１つの置換基で置換された、メラミン化合物、グアナミン化合物、グリコールウリル化合物又はウレア化合物、（ｃ）メチロール基、アルコキシメチル基及びアシロキシメチル基から選ばれる少なくとも１つの置換基で置換された、フェノール化合物、ナフトール化合物又はヒドロキシアントラセン化合物、が挙げられ、中でも、多官能エポキシ樹脂が好ましい。
【０４４８】
上記架橋剤の含有量は、本発明の着色組成物１の重量に対して、１０〜５０重量％、好ましくは２０〜５０重量％である。
【０４４９】
本発明の着色組成物１は、上記記載のもの以外に、重合禁止剤、界面活性剤、添加剤等を含んでいてもよく、それらは自体公知のものであれば特に限定されず、用いられる量も通常この分野で用いられる量であれば限定されない。
【０４５０】
本発明の着色組成物１は、前述の成分を混合して調製される。
【０４５１】
［着色組成物２］
本発明の消光剤は、少なくとも１種類の該消光剤と、少なくとも１種類の消光対象化合物とを含む着色組成物を形成することができる（以下、本発明の着色組成物２と略記する場合がある）。本発明の着色組成物２は、本来消光対象化合物が発する蛍光を抑制し、例えばカラーフィルターとして用いる場合、高コントラストを有する優れた着色硬化膜を形成することができる。そのため、本発明の着色組成物２は、液晶表示装置（ＬＣＤ）や固体撮像素子（ＣＣＤ、ＣＭＯＳ等）に用いられるカラーフィルター等の着色画素形成用途、印刷インキ、インクジェットインキ、および塗料等の用途に用いることができ、特に、液晶表示装置のカラーフィルター用として好適である。さらに、本発明の着色組成物２は、従来公知の成形方法により、シート、フィルム、ボトル、カップ等に成形して着色樹脂成形物として使用することもできる。よって、メガネ、カラーコンタクトレンズ等の用途にも使用することができ、公知の樹脂との多層構造体とすることによっても同様に使用することができる。その他にも、例えば光学フィルム、ヘアカラーリング剤、化合物や生体物質に対する標識物質、有機太陽電池の材料等の用途にも用いることが可能である。
【０４５２】
本発明の着色組成物２は、少なくとも本発明の消光剤を１種以上、及び、少なくとも消光対象化合物を１種以上と、重合開始剤、バインダー樹脂並びにラジカル重合性モノマー又はオリゴマーを含むものが好ましく、必要に応じて、顔料、溶剤、シランカップリング剤並びに架橋剤等を含んでいてもよい。本発明の着色組成物２は、本発明の消光剤を、本発明の着色組成物２の重量に対して１〜８０重量％、好ましくは１０〜５０重量％含有する。尚、ここでいう本発明の着色組成物２の重量は、溶剤を除く固形成分の重量を意味する。
【０４５３】
上記消光対象化合物としては、本発明の消光剤の項で記載したものと同じものが挙げられる。
【０４５４】
上記消光対象化合物の含有量は、本発明の着色組成物２の重量に対して、１〜５０重量％、好ましくは５〜３０重量％である。
【０４５５】
本発明の着色組成物２における重合開始剤、バインダー樹脂、ラジカル重合性モノマー又はオリゴマー、顔料、溶剤、シランカップリング剤及び架橋剤としては、本発明の着色組成物１におけるそれらと同じものが挙げられ、各含有量も同じである。
【０４５６】
以下に、実施例により本発明をさらに詳細に述べるが、本発明はこれらの実施例に限定されるものではない。
【実施例】
【０４５７】
実施例１  カルボン酸体（化合物７）の合成
（１）ジエチル体（化合物２）の合成
撹拌装置を備えた丸底フラスコに、3-ブロモアニリン（化合物１：東京化成工業(株)製）３３．４ｇ（１９４．０ｍｍｏｌ）及びアセトニトリル２００ｍｌを加えて溶解し、さらにヨウ化エチル（和光純薬工業(株)製）１３６．２ｇ（８７３．０ｍｍｏｌ）及び炭酸カリウム（和光純薬工業(株)製）９３．８ｇ（６７９．０ｍｍｏｌ）を加え、６５度で２２時間反応を行った。反応終了後、反応液から不溶物をろ別し、減圧濃縮によって溶媒を留去して黄色液体を得た。該液体をシリカゲルカラムで精製し、黄色液体のジエチル体（化合物２）４２．３ｇ（収率９６％）を得た。
2017222006.tif 000118
（２）ジブロモ体（化合物３）の合成
撹拌装置を備えた丸底フラスコに、上記（１）で得たジエチル体（化合物２）４．６ｇ（２０．０ｍｍｏｌ）及び酢酸（和光純薬工業(株)製）２３ｍｌを加えて溶解し、さらに３７％ホルマリン液（和光純薬工業(株)製）３．３ｇ（４０．０ｍｍｏｌ）を加え、６０度で２時間反応を行った。反応終了後、減圧濃縮によって反応液から溶媒を留去し、さらに飽和重曹水４０ｍｌを加え、酢酸エチルで抽出した。抽出により得られた溶液を水で洗浄し、減圧濃縮によって溶媒を留去して黄色液体を得た。該液体をシリカゲルカラムで精製し、無色液体のジブロモ体（化合物３）４．６ｇ（収率９８％）を得た。
2017222006.tif 000119
（３）シリル−キサントン体（化合物４）の合成
撹拌装置を備えた丸底フラスコに、上記（２）で得たジブロモ体（化合物３）１２．６ｇ（２７．０ｍｍｏｌ）及びテトラヒドロフラン（ＴＨＦ）５００ｍｌを加えて溶解し、−６０度に冷却した後、さらに１．０Ｍ  sec-ブチルリチウムヘキサン−シクロヘキサン溶液（関東化学(株)製）８１．０ｍｌ（８１．０ｍｍｏｌ）を滴下し、−６０度で１時間反応を行った。その後、ジクロロジメチルシラン（東京化成工業(株)製）６．３ｇ（４８．６ｍｍｏｌ）を加え、室温で３時間反応を行った。反応終了後、１Ｎ塩酸を反応液に加え、酢酸エチルで抽出した。抽出により得られた溶液を水で洗浄し、減圧濃縮によって溶媒を留去して茶色液体を得た。該液体にアセトン２５０ｍｌを加え、０度に冷却した後、さらに過マンガン酸カリウム（和光純薬工業(株)製）１０．７ｇ（６７．５ｍｍｏｌ）を分割しながら加え、０度で１４時間反応を行った。反応終了後、セライトろ過した反応液から減圧濃縮によって溶媒を留去し、黄色液体を得た。該液体をシリカゲルカラムで精製し、黄色固体のシリル−キサントン体（化合物４）４．５ｇ（収率４４％）を得た。
2017222006.tif 000120
（４）エステル体（化合物６）の合成
撹拌装置を備えた丸底フラスコに、2-ヨード安息香酸（化合物５：和光純薬工業(株)製）１０．７ｇ（４３．０ｍｍｏｌ）及びジクロロメタン１３０ｍｌを加えて溶解し、さらにtert-ブチルアルコール（和光純薬工業(株)製）３．８ｇ（５１．６ｍｍｏｌ）、4-ジメチルアミノピリジン（ＤＭＡＰ）（和光純薬工業(株)製）６．３ｇ（５１．６ｍｍｏｌ）及びジシクロヘキシルカルボジイミド（ＤＣＣ）（和光純薬工業(株)製）１０．７ｇ（５１．６ｍｏｌ）を加え、室温で８時間反応を行った。反応終了後、セライトろ過した反応液から減圧濃縮によって溶媒を留去し、黄色液体を得た。該液体をシリカゲルカラムで精製し、無色液体のエステル体（化合物６）１０．４ｇ（収率８０％）を得た。
2017222006.tif 000121
（５）カルボン酸体（化合物７）の合成
撹拌装置を備えた丸底フラスコに、上記（４）で得たエステル体（化合物６）１．５ｇ（５．０ｍｍｏｌ）及びＴＨＦ３０ｍｌを加えて溶解し、−６０度に冷却した後、さらに１．０Ｍ  sec-ブチルリチウムヘキサン−シクロヘキサン溶液（関東化学(株)製）１０．３ｍｌ（１０．３ｍｍｏｌ）を滴下し、−６０度で１時間反応を行った。その後、上記（３）で得たシリル−キサントン体（化合物４）１．０ｇ（２．５ｍｍｏｌ）を加え、室温で３時間反応を行った。減圧濃縮によって反応液から溶媒を留去した後、得られた茶色液体にジクロロメタン２０ｍｌ、濃塩酸（和光純薬工業(株)製）０．５ｇ（４．５ｍｍｏｌ）及びテトラキス(ペンタフルオロフェニル)ホウ素(IV)のリチウム塩（ＬｉＦＡＢＡ）（東ソー・ファインケム(株)製）１．９ｇ（２．５ｍｍｏｌ）を加え、室温で７時間反応を行った。反応終了後、ジクロロメタンで反応液を希釈し、水で洗浄した後、減圧濃縮によって反応液から溶媒を留去し、緑色固体を得た。該固体をシリカゲルカラムで精製し、カウンターアニオンにテトラキス(ペンタフルオロフェニル)ホウ素(IV)アニオンを有する青色固体のカルボン酸体（化合物７）０．７ｇ（収率２４％）を得た。
2017222006.tif 000122
【０４５８】
実施例２  モノマー（化合物９）の合成
撹拌装置を備えた丸底フラスコに、実施例１で得たカルボン酸体（化合物７）０．７ｇ（０．６ｍｍｏｌ）及びジクロロメタン６ｍｌを加えて溶解し、さらにメタクリル酸2-ヒドロキシエチル（化合物８：和光純薬工業(株)製）０．１ｇ（０．７ｍｍｏｌ）、4-ジメチルアミノピリジン（ＤＭＡＰ）（和光純薬工業(株)製）１０ｍｇ（０．１ｍｍｏｌ）及び1-エチル-3-(3-ジメチルアミノプロピル)カルボジイミド塩酸塩（ＷＳＣ）（東洋紡(株)製）０．２ｇ（１．０ｍｏｌ）を加え、室温で８時間反応を行った。反応終了後、反応液を水で洗浄し、減圧濃縮によって溶媒を留去し、赤褐色固体を得た。該固体をシリカゲルカラムで精製し、濃青色固体のモノマー（化合物９）０．３ｇ（収率３９％）を得た。
2017222006.tif 000123
【０４５９】
実験例１  モノマー（化合物９）によるローダミンＢの消光評価
（１）消光対象化合物の蛍光測定
ローダミンＢ（和光純薬工業(株)製）１０．５ｍｇ（０．０２２ｍｍｏｌ）をメスフラスコに入れ、メタノールで１００ｍｌにメスアップした。その溶液をホールピペットで１ｍｌ量りとり、メタノールでさらに１００ｍｌにメスアップした。これをＡ液とした。Ａ液をホールピペットで２ｍｌ量りとり、メタノールで２０ｍｌにメスアップした（ローダミンＢの濃度：２．１９×１０−７ｍｏｌ／Ｌ）。得られた溶液を、分光蛍光光度計（(株)日立製分光蛍光光度計Ｆ−４５００）を用いて、最大蛍光波長での蛍光強度（Ｉａ）を測定した。【０４６０】
（２）消光評価
実施例２にて得られた化合物９を１０．３ｍｇ（０．００８１ｍｍｏｌ）量りとり、メタノールで１００ｍｌにメスアップした。これをＢ液とした。ホールピペットでＡ液を２ｍｌ、Ｂ液を１２ｍｌ量りとり、メタノールで２０ｍｌにメスアップした（化合物９の濃度：４．８４×１０−５ｍｏｌ／Ｌ）。得られた溶液を、分光蛍光光度計（(株)日立製分光蛍光光度計Ｆ−４５００）を用いて、最大蛍光波長での蛍光強度（Ｉｂ）を測定した。測定したＩａ及びＩｂの値から下記式より蛍光強度の減少率（％）を求めた。
蛍光強度の減少率（％）＝（Ｉａ−Ｉｂ）／Ｉａ×１００【０４６１】
実験例２  モノマー（化合物９）による酢酸クレシルバイオレットの消光評価
（１）消光対象化合物の蛍光測定
酢酸クレシルバイオレット（和光純薬工業(株)製）１０．２ｍｇ（０．０３２ｍｍｏｌ）をメスフラスコに入れ、メタノールで１００ｍｌにメスアップした。その溶液をホールピペットで１ｍｌ量りとり、メタノールでさらに１００ｍｌにメスアップした。これをＣ液とした。Ｃ液をホールピペットで５ｍｌ量りとり、メタノールで２０ｍｌにメスアップした（酢酸クレシルバイオレットの濃度：７．９４×１０−７ｍｏｌ／Ｌ）。得られた溶液を、分光蛍光光度計（(株)日立製分光蛍光光度計Ｆ−４５００）を用いて、最大蛍光波長での蛍光強度（Ｉｃ）を測定した。【０４６２】
（２）消光評価
ホールピペットでＢ液を１２ｍｌ、Ｃ液を５ｍｌ量りとり、メタノールで２０ｍｌにメスアップした（化合物９の濃度：４．８４×１０−５ｍｏｌ／Ｌ）。得られた溶液を、分光蛍光光度計（(株)日立製分光蛍光光度計Ｆ−４５００）を用いて、最大蛍光波長での蛍光強度（Ｉｄ）を測定した。測定したＩｃ及びＩｄの値から下記式より蛍光強度の減少率（％）を求めた。
蛍光強度の減少率（％）＝（Ｉｃ−Ｉｄ）／Ｉｃ×１００【０４６３】
比較例１  ジエチルアクリルアミドによるローダミンＢの消光評価
ジエチルアクリルアミド（和光純薬工業(株)製）を１２．５ｍｇ（０．０００９８ｍｍｏｌ）量りとり、メタノールで１００ｍｌにメスアップした。これをＢ'液とした。実験例１にて得られたＡ液を２ｍｌ、Ｂ'液を１ｍｌホールピペットで量りとり、メタノールで２０ｍｌにメスアップした（ジエチルアクリルアミドの濃度：４．９１×１０−５ｍｏｌ／Ｌ）。得られた溶液を、分光蛍光光度計（(株)日立製分光蛍光光度計Ｆ−４５００）を用いて、最大蛍光波長での蛍光強度（Ｉｂ'）を測定した。実験例１にて得られたＩａの値及び測定したＩｂ'の値から下記式より蛍光強度の減少率（％）を求めた。
蛍光強度の減少率（％）＝（Ｉａ−Ｉｂ'）／Ｉａ×１００【０４６４】
比較例２  ピリジンによるローダミンＢの消光評価
比較例１において、ジエチルアクリルアミドを用いる代わりに、ピリジン（和光純薬工業(株)製）を１２．０ｍｇ（０．００１５ｍｍｏｌ）用いた以外は、同様の方法によって蛍光強度の減少率を求めた（ピリジンの濃度：７．５８×１０−５ｍｏｌ／Ｌ）。【０４６５】
比較例３  トリフェニルアミンによるローダミンＢの消光評価
比較例１において、ジエチルアクリルアミドを用いる代わりに、トリフェニルアミン（和光純薬工業(株)製）を２８．２ｍｇ（０．００１１ｍｍｏｌ）用いた以外は、同様の方法によって蛍光強度の減少率を求めた（トリフェニルアミンの濃度：５．７４×１０−５ｍｏｌ／Ｌ）。【０４６６】
比較例４  Ｎ，Ｎ−ジエチルアニリンによるローダミンＢの消光評価
比較例１において、ジエチルアクリルアミドを用いる代わりに、N,N-ジエチルアニリン（和光純薬工業(株)製）を２０．０ｍｇ（０．００１３ｍｍｏｌ）用いた以外は、同様の方法によって蛍光強度の減少率を求めた（N,N-ジエチルアニリンの濃度：６．７０×１０−５ｍｏｌ／Ｌ）。【０４６７】
比較例５  ｐ−アミノ安息香酸によるローダミンＢの消光評価
比較例１において、ジエチルアクリルアミドを用いる代わりに、p-アミノ安息香酸（和光純薬工業(株)製）を１４．３ｍｇ（０．００１０ｍｍｏｌ）用いた以外は、同様の方法によって蛍光強度の減少率を求めた（p-アミノ安息香酸の濃度：５．２１×１０−５ｍｏｌ／Ｌ）。【０４６８】
実験例１及び２の結果について、表１に示す。また、比較例１〜５の結果について、表２に示す。【０４６９】
【表１】
2017222006.tif 000124
【０４７０】
【表２】
2017222006.tif 000125
【０４７１】
上記表１で示される結果から、本発明の消光剤は、キサンテン骨格を有するローダミンＢ、ベンゾ[ａ]フェノキサジン骨格を有する酢酸クレシルバイオレット等の種々の蛍光性を有する化合物に対し、その蛍光発光を十分に抑制し得るほどの消光能を有していることが判った。さらに、上記表１の実験例１で示される結果と上記表２の比較例１〜５で示される結果との比較から、本発明の消光剤は、ジエチルアクリルアミド等の従来の消光剤と比較して優れた消光効果を奏することが判った。【０４７２】
合成例１  染料ポリマー（ＭＭＡ／化合物１０由来）の合成
（１）染料モノマー（化合物１０）の合成
国際公開第２０１４／１２６１６７号公報に記載の方法に従って、染料モノマー（化合物１０）を合成した。
2017222006.tif 000126
【０４７３】
（２）染料ポリマー（ＭＭＡ／化合物１０由来）の合成
撹拌装置を備えた丸底フラスコに、プロピレングリコールモノメチルエーテルアセテート（ＰＧＭＥＡ）（(株)ダイセル製）１０５ｇを加え、窒素置換し、９５℃に加熱した。三角フラスコに、（１）にて得られた染料モノマー（化合物１０）１５ｇ（１２．１ｍｍｏｌ）、メタクリル酸メチル（ＭＭＡ）（和光純薬工業(株)製）２８５．０３ｇ（２．８５ｍｏｌ）、2,2'-アゾビス(2-メチルプロピオン酸メチル)（商品名Ｖ−６０１：和光純薬工業(株)製）１５ｇ（６５．１ｍｍｏｌ）及びＰＧＭＥＡ１０５ｇを加えて溶解し、丸底フラスコに９５℃で２時間かけて滴下した。滴下後、９５℃で２時間反応を行った。反応終了後、酢酸エチル１２００ｇを加え、ヘキサン５．２Ｌに滴下して再沈させた。再沈したポリマーをろ取、減圧乾燥し、赤色の染料ポリマー（ＭＭＡ／化合物１０由来）３２２．０６ｇ（収率１００％）を得た。【０４７４】
実施例３  ポリマー（ＭＭＡ：化合物９＝９５：５）の合成
撹拌装置を備えた丸底フラスコに、ＰＧＭＥＡ（(株)ダイセル製）１．７５ｇを加え、窒素置換し、９５℃に加熱した。三角フラスコに、実施例２にて得られたモノマー（化合物９）０．２５ｇ（０．２０ｍｍｏｌ）、ＭＭＡ（和光純薬工業(株)製）４．７５ｇ（４７．４４ｍｍｏｌ）、2,2'-アゾビス(2-メチルプロピオン酸メチル)（商品名Ｖ−６０１：和光純薬工業(株)製）０．２５ｇ（１．０９ｍｍｏｌ）及びＰＧＭＥＡ１．７５ｇを加えて溶解し、丸底フラスコに９５℃で２時間かけて滴下した。滴下後、９５℃で２時間反応を行った。反応終了後、酢酸エチル１４ｇを加え、ヘキサン８０ｍＬに滴下して再沈させた。再沈したポリマーをろ取、減圧乾燥し、赤色のポリマー（ＭＭＡ／化合物９由来、ＭＭＡ：化合物９＝９５：５）４．６２ｇ（収率８８％）を得た。【０４７５】
実験例３  ポリマー（ＭＭＡ：化合物９＝９５：５）の染料ポリマーに対する消光評価
（１）蛍光消光対象の蛍光測定
合成例１にて得られた染料ポリマー（ＭＭＡ／化合物１０由来）９．９ｍｇ（うち化合物１０：４．０１×１０−７ｍｏｌ）をメスフラスコに入れ、ＰＧＭＥＡで１００ｍｌにメスアップした。これをＤ液とした。Ｄ液をホールピペットで１ｍｌ量りとり、ＰＧＭＥＡでさらに２０ｍｌにメスアップした（化合物１０の濃度：２．００×１０−８ｍｏｌ／Ｌ）。得られた溶液を、分光蛍光光度計（(株)日立製分光蛍光光度計Ｆ−４５００）を用いて、最大蛍光波長での蛍光強度（Ｉｅ）を測定した。【０４７６】
（２）消光評価
実施例３にて得られたポリマー（ＭＭＡ：化合物９＝９５：５）を１００ｍｇ（うち化合物９：３．９２×１０−６ｍｏｌ）、ホールピペットでＤ液を１ｍｌ、ＰＧＭＥＡで２０ｍｌにメスアップした（化合物９の濃度：１．９６×１０−４ｍｏｌ／Ｌ）。得られた溶液を、分光蛍光光度計（(株)日立製分光蛍光光度計Ｆ−４５００）を用いて、最大蛍光波長での蛍光強度（Ｉｆ）を測定した。測定したＩｅ及びＩｆの値から下記式より蛍光強度の減少率（％）を求めた。
蛍光強度の減少率（％）＝（Ｉｅ−Ｉｆ）／Ｉｅ×１００【０４７７】
実験例３の結果について、表３に示す。【０４７８】
【表３】
2017222006.tif 000127
【０４７９】
上記表３で示される結果から、本発明のポリマーは、蛍光性を有する染料ポリマーに対して十分な消光効果を奏することが判った。すなわち、本発明のポリマーも本発明の化合物と同様に、蛍光性を有する化合物に対し、その蛍光発光を十分に抑制し得るほどの消光能を有していることが判った。
【国際調査報告】
2017222006.tif 000159
2017222006.tif 000160
2017222006.tif 000161
2017222006.tif 000162